(57)【要約】  本発明は、装置間通信のための方法及び装置を提供する。該方法は、第一の端末装置が第一のグループにおける中心端末装置として機能することを確定し、該第一のグループが該中心端末装置と少なくとも一つのメンバー端末装置を含むことと、該第一の端末装置が第二の端末装置に第一の無線リソースを割り当て、該第二の端末装置が該第一の無線リソースに基づいて装置間通信を行うようにし、該第二の端末装置が該第一のグループにおけるメンバー端末装置に属することとを含む。本発明は、装置間通信の効率及び信頼性を向上させることができる。
2019519951.tif 000002
【特許請求の範囲】
【請求項１】
装置間通信のための方法であって、
第一の端末装置が第一のグループにおける中心端末装置として機能することを確定し、前記第一のグループが前記中心端末装置と少なくとも一つのメンバー端末装置を含むことと、
前記第一の端末装置が第二の端末装置に第一の無線リソースを割り当て、前記第二の端末装置が前記第一の無線リソースに基づいて装置間通信を行うようにし、前記第二の端末装置が前記第一のグループにおけるメンバー端末装置に属することとを含む、前記装置間通信のための方法。
【請求項２】
前記第一の端末装置が第一のグループにおける中心端末装置として機能することを確定することは、
前記第一の端末装置が第一のシーケンスを生成することと、
前記第一の端末装置が第一の指示情報を送信し、前記第一の指示情報が前記第一のシーケンス及び前記第一の端末装置の装置情報を示すことに用いられ、一つの装置情報が一つの端末装置を一意に示すことに用いられることと、
前記第一の端末装置が少なくとも一つの第二の指示情報を受信し、前記少なくとも一つの第二の指示情報が少なくとも一つの第三の端末装置と一対一で対応し、各第二の指示情報が対応する第三の端末装置によって生成された第二のシーケンス及び対応する第三の端末装置の装置情報を示すことに用いられることと、
前記第一のシーケンスと前記第二のシーケンスとの関係がプリセット条件を満たしている場合、前記第一の端末装置が第一の端末装置が前記第一のグループにおける中心端末装置として機能することを確定することを含むことを特徴とする
請求項１に記載の方法。
【請求項３】
前記方法はさらに、
前記第一のシーケンスと前記第二のシーケンスとの関係がプリセット条件を満たしている場合、前記第一の端末装置が前記第三の端末装置が前記第一のグループにおけるメンバー端末装置に属することを確定することを含むことを特徴とする
請求項２に記載の方法。
【請求項４】
前記方法はさらに、
前記第一の端末装置が第一の検出信号を送信し、前記第三の端末装置が受信された第一の検出信号の信号強度が第一のプリセット強度以上であることを確定した後に前記第二の指示情報を送信するようにし、又は、前記第三の端末装置が受信された第一の検出信号に基づいて確定された前記第一の端末装置と前記第二の端末装置の間の距離が第一のプリセット距離以下であることを確定した後に前記第二の指示情報を送信するようにすることを含むことを特徴とする
請求項２又は３に記載の方法。
【請求項５】
前記第一の端末装置が第一の指示情報を送信することは、
前記第一の端末装置が第二の検出信号を受信し、前記第二の検出信号が前記第三の端末装置から送信されたものであることと、
前記第一の端末装置が受信された第二の検出信号の信号強度が第一のプリセット強度以上であることを確定した後に前記第一の指示情報を送信すること、又は
前記第一の端末装置が受信された第二の検出信号に基づいて前記第一の端末装置と前記第三の端末装置の間の距離を確定し、前記第一の端末装置と前記第三の端末装置の間の距離が第一のプリセット距離以下であることを確定した後に第一の指示情報を送信することとを含むことを特徴とする
請求項２〜４のいずれか一項に記載の方法。
【請求項６】
前記第二のシーケンスは前記第三の端末装置が前記第三の端末装置の装置情報に基づいて確定したものであり、また
前記第一の端末が第一のシーケンスを生成することは、
前記第一の端末装置が前記第一の端末装置の装置情報に基づいて第一のシーケンスを生成することを含むことを特徴とする
請求項２〜５のいずれか一項に記載の方法。
【請求項７】
前記第一の端末装置が第一の端末装置が前記第一のグループにおける中心端末装置として機能することを確定する前に、前記方法はさらに、
前記第一のシーケンスと前記第二のシーケンスとの関係がプリセット条件を満たしている場合、前記第一の端末装置が第三の指示情報を送信し、前記第三の指示情報が、前記第一の端末装置が中心端末装置として機能することをリクエストすることを示すことに用いられることを含むことを特徴とする
請求項２〜６のいずれか一項に記載の方法。
【請求項８】
前記第一の端末装置が第一の端末装置が前記第一のグループにおける中心端末装置として機能することを確定することは、
第一の端末装置が第四の指示情報を受信し、前記第四の指示情報が、前記第三の端末装置が第一の端末装置が前記第一のグループにおける中心端末装置として機能することを同意することを示すことに用いられ、前記第四の指示情報が、前記第三の端末装置が前記第一のシーケンスと前記第二のシーケンスとの関係が前記プリセット条件を満たしていることを確定した場合に送信したものであることと、
第一の端末装置が前記第四の指示情報に基づき、第一の端末装置が前記第一のグループにおける中心端末装置であることを確定し、且つ前記第三の端末が前記メンバー端末装置に属することを確定することとを含むことを特徴とする
請求項７に記載の方法。
【請求項９】
前記第四の指示情報はさらに前記第一のシーケンスを示すことに用いられることを特徴とする
請求項８に記載の方法。
【請求項１０】
前記第一の端末装置が第一の端末装置が前記第一のグループにおける中心端末装置として機能することを確定することは、
前記第一の端末装置が、前記第三の指示情報を送信した後の所定期間Ｔ内に第五の指示情報が受信されていないことを確定した場合、第一の端末装置が前記第一のグループにおける中心端末装置であることを確定し、且つ前記第三の端末が前記メンバー端末装置に属することを確定し、前記第五の指示情報が、前記第三の端末装置が前記第一の端末装置が前記第一のグループにおける中心端末装置として機能することを同意しないことを示すことに用いられることを含むことを特徴とする
請求項７に記載の方法。
【請求項１１】
前記方法はさらに、
前記第一の端末装置が、前記プリセット期間Ｔの後に前記第五の指示情報を受信した場合、前記第三の端末装置が前記第一のグループに属しないことを確定することを含むことを特徴とする
請求項１０に記載の方法。
【請求項１２】
前記第一の端末装置が第一の端末装置が前記第一のグループにおける中心端末装置として機能することを確定する前に、前記方法はさらに、
前記第一の端末装置が前記第三の指示情報を送信した後のプリセット期間Ｔ内に第五の指示情報を受信したことを確定した場合、前記第一の指示情報を再度送信し、前記第五の指示情報が、前記第三の端末装置が第一の端末装置が前記第一のグループにおける中心端末装置として機能することを同意しないことを示すことに用いられることを含むことを特徴とする
請求項７に記載の方法。
【請求項１３】
前記第五の指示情報は、前記第三の端末装置が前記第一の指示情報の受信エラーを確定した後に送信したものであり、また
前記第五の指示情報がさらに前記第一の指示情報のうちの受信エラーになる部分を示すことに用いられることを特徴とする
請求項１０〜１２のいずれか一項に記載の方法。
【請求項１４】
前記方法はさらに、
前記第一の端末装置が前記第一のグループにおける各端末装置にグループ内識別子を割り当て、一つのグループ内識別子が前記第一のグループにおける一つの端末装置を一意に示すことに用いられることと、
前記第一の端末装置が第六の指示情報を送信し、前記第六の指示情報が前記第一のグループにおける各端末装置のグループ内識別子を示すことに用いられ、前記第一のグループにおける各端末装置同士が前記グループ識別子に基づいて装置間通信を行うようにすることとを含むことを特徴とする
請求項１〜１３のいずれか一項に記載の方法。
【請求項１５】
前記方法はさらに、
第一の端末装置が前記第一のグループのグループ識別子を確定し、一つのグループ識別子が一つの装置グループを示すことに用いられることと、
前記第一の端末装置が第一のグループブロードキャスト信号を周期的に送信し、前記第一のグループブロードキャスト信号に前記第一のグループのグループ識別子及び前記第一の端末装置の装置情報が含まれることとを含むことを特徴とする
請求項１〜１４のいずれか一項に記載の方法。
【請求項１６】
前記方法はさらに、
第一の端末装置が少なくとも一つの第二のグループブロードキャスト信号を検出し、前記少なくとも一つの第二のグループブロードキャスト信号が少なくとも一つの第二のグループと一対一で対応し、各第二のグループブロードキャスト信号が対応する第二のグループにおける中心端末装置によって周期的に送信されたものであり、各第二のグループブロードキャスト信号に、対応する第二のグループのグループ識別子及び対応する第二のグループにおける中心端末装置の装置情報が含まれることと、
前記第一の端末装置が、前記第二のグループのグループ識別子が前記第一のグループのグループ識別子と同じであることを確定した場合、前記第一のグループのグループ識別子を変更すること、又は
前記第一の端末装置が、前記第二のグループのグループ識別子が前記第一のグループのグループ識別子と同じであることを確定した場合、第九の指示情報を送信し、前記第九の指示情報が、前記第二のグループのグループ識別子を変更するように前記第二のグループにおける中心端末装置に指示することに用いられることとを含むことを特徴とする
請求項１５に記載の方法。
【請求項１７】
前記方法はさらに、
前記第一の端末装置が第四の端末装置から送信された第一のリクエストメッセージを受信し、前記第一のリクエストメッセージに前記第四の端末装置の装置情報が含まれ、前記第一のリクエストメッセージが、前記第四の端末装置が前記第一のグループへの加入をリクエストすることを示すことに用いられ、前記第一のリクエストメッセージが、前記第二の端末装置が受信された第一のグループブロードキャスト信号の信号強度が第二のプリセット強度以上であることを確定した後に送信したものであり、又は、前記第一のリクエストメッセージが、前記第二の端末装置が受信された第一のグループブロードキャスト信号に基づいて確定された前記第一の端末装置と前記第四の端末装置の間の距離が第二のプリセット距離以下であることを確定した後に送信したものであることと、
前記第一の端末装置が前記第一のリクエストメッセージに基づき、前記第四の端末装置が前記第一のグループにおけるメンバー端末装置に属することを確定することとを含むことを特徴とする
請求項１５又は１６に記載の方法。
【請求項１８】
前記方法はさらに、
前記第一の端末装置が前記第一のグループにおける第五の端末装置から送信された第二のリクエストメッセージを受信し、前記第五の端末装置が前記第一のグループにおけるメンバー端末装置に属し、前記第二のリクエストメッセージが、前記第五の端末装置が前記第一のグループからの脱退をリクエストすることを示すことに用いられ、前記第二のリクエストメッセージが、前記第五の端末装置が受信された第一のグループブロードキャスト信号の信号強度が第二のプリセット強度未満であることを確定した後に送信したものであり、又は、前記第二のリクエストメッセージが、前記第五の端末装置が受信された第一のグループブロードキャスト信号に基づいて確定された前記第一の端末と前記第五の端末装置の間の距離が第二のプリセット距離より大きいことを確定した後に送信したものであることと、
前記第一の端末装置が前記第二のリクエストメッセージに基づき、第五の端末装置が前記第一のグループにおけるメンバー端末装置に属しないことを確定することとを含むことを特徴とする
請求項１５〜１７のいずれか一項に記載の方法。
【請求項１９】
前記方法はさらに、
前記第一の端末装置が第六の端末装置から送信されたハートビート信号を検出し、前記第六の端末装置が前記第一のグループにおけるメンバー端末装置に属し、前記ハートビート信号に前記第六の端末装置の装置情報が含まれ、前記ハートビート信号が、前記第六の端末装置が前記第一のグループにおけるメンバー端末装置として機能することを確定した後にプリセット周期に従って送信するものであることと、
前記第一の端末装置が、プリセット時間内に前記ハートビート信号を受信していないことを確定した場合、前記第六の端末装置が前記第一のグループにおけるメンバー端末装置に属しないことを確定し、前記プリセット時間が前記プリセット周期の時間以上であり、前記第六の端末装置が受信された第一のグループブロードキャスト信号の信号強度が第二のプリセット強度未満であることを確定した後に前記ハートビート信号の送信を停止し、又は、前記第六の端末装置が受信された第一のグループブロードキャスト信号に基づいて確定された前記第一の端末装置と前記第六の端末装置の間の距離が第二のプリセット距離より大きいことを確定した後に前記ハートビート信号の送信を停止することとを含むことを特徴とする
請求項１５〜１８のいずれか一項に記載の方法。
【請求項２０】
前記第一の無線リソースは、具体的に前記第二の端末装置が前記第一のグループにおける第七の端末装置へ第一のデータを送信することに用いられることを特徴とする
請求項１〜１９のいずれか一項に記載の方法。
【請求項２１】
前記方法はさらに、
前記第一の端末装置が前記第七の端末装置へ前記第一の無線リソースの指示情報を送信することを含むことを特徴とする
請求項２０に記載の方法。
【請求項２２】
前記方法はさらに、
前記第一の端末装置が前記第七の端末装置へ第十の指示情報を送信し、前記第十の指示情報が検出信号を送信するように前記第七の端末装置に指示することに用いられることを含むことを特徴とする
請求項２０又は２１に記載の方法。
【請求項２３】
前記方法はさらに、
前記第一の端末装置が前記第七の端末装置に第二の無線リソースを割り当て、前記第七の端末装置が前記第二の無線リソースによって前記第一のデータに対するフィードバック情報を送信するようにすることを含むことを特徴とする
請求項２０〜２２のいずれか一項に記載の方法。
【請求項２４】
前記方法はさらに、
第一の端末装置が第三のグループブロードキャスト信号を受信し、前記第三のグループブロードキャスト信号が第三のグループにおける中心端末装置によって周期的に送信されたものであり、前記第三のグループブロードキャスト信号に前記第三のグループのグループ識別子及び前記第三のグループにおける中心端末装置の装置情報が含まれることと、
前記第三のグループに含まれる端末装置を確定し、且つ前記第一のグループに含まれる端末装置が前記第三のグループにおける中心端末装置に知られるように、前記第一の端末装置が前記第三のグループブロードキャスト信号に基づき、前記第三のグループにおける中心端末装置と通信することとを含むことを特徴とする
請求項１〜２３のいずれか一項に記載の方法。
【請求項２５】
前記方法はさらに、
前記第一の端末装置が第一の無線リソースによって前記第二の端末装置から送信された第二のデータを受信し、前記第二のデータが第八の端末装置に送信される必要があるデータであり、前記第八の端末装置が前記第三のグループに属することと、
前記第一の端末装置が第三の無線リソースを確定し、前記第三の無線リソースが前記第三のグループにおける中心端末装置により前記第一の端末装置に割り当てられたものであることと、
前記第一の端末装置が前記第三の無線リソースによって前記第三のグループにおける中心端末装置又は前記第八の端末装置へ前記第二のデータを送信することとを含むことを特徴とする
請求項１〜２４のいずれか一項に記載の方法。
【請求項２６】
前記方法はさらに、
前記第一の端末装置が第四の無線リソースによって前記第三のグループにおける中心端末装置から送信された第三のデータを受信し、前記第四の無線リソースが前記第三のグループにおける中心端末装置によって割り当てられたものであり、前記第三のデータが前記第二の端末装置に送信される必要があるデータであることと、
前記第一の端末装置が第一の無線リソースによって前記第二の端末装置へ前記第三のデータを送信することとを含むことを特徴とする
請求項１〜２５のいずれか一項に記載の方法。
【請求項２７】
前記方法はさらに、
前記第一の端末装置が第一の無線リソースによって前記第二の端末装置から送信された第四のデータを受信し、前記第四のデータがネットワーク装置に送信される必要があるデータであることと、
前記第一の端末装置が前記ネットワーク装置へ前記第四のデータを送信することとを含むことを特徴とする
請求項１〜２６のいずれか一項に記載の方法。
【請求項２８】
前記方法はさらに、
前記第一の端末装置がネットワーク装置から送信された第五のデータを受信し、前記第五のデータが前記第二の端末装置に送信される必要があるデータであることと、
前記第一の端末装置が第一の無線リソースによって前記第二の端末装置へ前記第五のデータを送信することとを含むことを特徴とする
請求項１〜２７のいずれか一項に記載の方法。
【請求項２９】
前記方法はさらに、
前記第一の端末装置が第三のリクエストメッセージを送信し、前記第三のリクエストメッセージが、前記第一の端末装置が前記第一のグループにおける中心端末装置の変更をリクエストすることを示すことに用いられることと、
前記第一の端末装置が第九の端末装置から送信された第四のリクエストメッセージを受信し、前記第九の端末装置が前記第一のグループにおけるメンバー端末装置に属し、前記第四のリクエストメッセージが、前記第九の端末装置が前記第一のグループにおける中心端末装置として機能することをリクエストすることを示すことに用いられ、前記第四のリクエストメッセージが、前記第九の端末装置が前記第三のリクエストメッセージに基づいて送信したものであることと、
前記第一の端末装置が前記第四のリクエストメッセージに基づき、前記第九の端末装置が前記第一のグループにおける中心端末装置として機能することを確定することとを含むことを特徴とする
請求項１〜２８のいずれか一項に記載の方法。
【請求項３０】
前記第一の端末装置が第三のリクエストメッセージを送信する前に、前記方法はさらに、
前記第一の端末装置が現在の電気量がプリセット閾値以下であることを確定すること、又は
前記第一の端末装置が前記第一のグループにおける各メンバー端末装置との距離がプリセット条件を満たしていることを確定すること、又は
前記第一の端末装置がネットワーク装置との通信接続が中断されたことを確定することを含むことを特徴とする
請求項２９に記載の方法。
【請求項３１】
装置間通信のための方法であって、
第二の端末装置が第一のグループにおけるメンバー端末装置として機能することを確定し、前記第一のグループが中心端末装置と少なくとも一つのメンバー端末装置を含むことと、
前記第二の端末装置が前記第一のグループにおける中心端末装置により割り当てられた第一の無線リソースによって装置間通信を行うこととを含む、前記装置間通信のための方法。
【請求項３２】
前記第一の端末装置が第一のグループにおける中心端末装置として機能することを確定することは、
前記第二の端末装置が第二のシーケンスを生成することと、
前記第二の端末装置が第二の指示情報を送信し、前記第二の指示情報が前記第二のシーケンス及び前記第二の端末装置の装置情報を示すことに用いられ、一つの装置情報が一つの端末装置を一意に示すことに用いられることと、
前記第二の端末装置が第一の指示情報を受信し、前記第一の指示情報が第一の端末装置によって生成された第一のシーケンス及び前記第一の端末装置の装置情報を示すことに用いられることと、
前記第一のシーケンスと前記第二のシーケンスとの関係がプリセット条件を満たしている場合、前記第二の端末装置が第二の端末装置が前記第一のグループにおけるメンバー端末装置として機能することを確定することとを含むことを特徴とする
請求項３１に記載の方法。
【請求項３３】
前記方法はさらに、
前記第一のシーケンスと前記第二のシーケンスとの関係がプリセット条件を満たしている場合、前記第二の端末装置が、前記第一の端末装置が前記第一のグループにおける中心端末装置として機能することを確定することを含むことを特徴とする
請求項３２に記載の方法。
【請求項３４】
前記方法はさらに、
前記第二の端末装置が第二の検出信号を送信し、前記第一の端末装置が受信された第二の検出信号の信号強度が第一のプリセット強度以上であることを確定した後に前記第一の指示情報を送信するようにし、又は、前記第一の端末装置が受信された第二の検出信号に基づいて確定された前記第一の端末装置と前記第二の端末装置の間の距離が第一のプリセット距離以下であることを確定した後に前記第一の指示情報を送信するようにすることを含むことを特徴とする
請求項３２又は３３に記載の方法。
【請求項３５】
前記第二の端末装置が第二の指示情報を送信することは、
前記第二の端末装置が第一の検出信号を受信し、前記第一の検出信号が前記第一の端末装置から送信されたものであることと、
前記第二の端末装置が受信された第一の検出信号の信号強度が第一のプリセット強度以上であることを確定した後に前記第二の指示情報を送信すること、又は
前記第二の端末装置が受信された第一の検出信号に基づいて前記第一の端末装置と前記第二の端末装置の間の距離を確定し、前記第一の端末装置と前記第二の端末装置の間の距離が第一のプリセット距離以下であることを確定した後に第二の指示情報を送信することとを含むことを特徴とする
請求項３２〜３４のいずれか一項に記載の方法。
【請求項３６】
前記第一のシーケンスは前記第一の端末装置が前記第一の端末装置の装置情報に基づいて確定したものであり、また
前記第二の端末装置が第二のシーケンスを生成することは、
前記第二の端末装置が前記第二の端末装置の装置情報に基づいて第二のシーケンスを生成することを含むことを特徴とする
請求項３２〜３５のいずれか一項に記載の方法。
【請求項３７】
前記第二の端末装置が第二の端末装置が前記第一のグループにおけるメンバー端末装置として機能することを確定する前に、前記方法はさらに、
前記第二の端末装置が前記第一の端末装置から送信された第三の指示情報を受信し、前記第三の指示情報が、前記第一の端末装置が中心端末装置として機能することをリクエストすることを示すことに用いられることを含むことを特徴とする
請求項３２〜３６のいずれか一項に記載の方法。
【請求項３８】
前記方法はさらに、
前記第二の端末装置が前記第一のシーケンスと前記第二のシーケンスとの関係が前記プリセット条件を満たしていることを確定した場合に第四の指示情報を送信し、前記第四の指示情報が、前記第二の端末装置が第一の端末装置が前記第一のグループにおける中心端末装置として機能することを同意することを示すことに用いられることを含むことを特徴とする
請求項３７に記載の方法。
【請求項３９】
前記方法はさらに、
前記第二の端末装置が前記第一の端末装置から送信された第六の指示情報を受信し、前記第六の指示情報が、前記第一の端末装置から前記第二の端末装置に割り当てられたグループ内識別子を示すことに用いられることを含み、また
前記第二の端末装置が前記第一のグループにおける中心端末装置により割り当てられた第一の無線リソースによって装置間通信を行うことは、
前記第二の端末装置が前記グループ内識別子に基づき、前記第一のグループにおける中心端末装置により割り当てられた第一の無線リソースによって装置間通信を行うことを含むことを特徴とする
請求項３１〜３８のいずれか一項に記載の方法。
【請求項４０】
前記方法はさらに、
第二の端末装置が前記第一の端末装置から周期的に送信された第一のグループブロードキャスト信号を受信し、前記第一のグループブロードキャスト信号に前記第一のグループのグループ識別子及び前記第一の端末装置の装置情報が含まれ、前記第一のグループのグループ識別子が前記第一の端末装置によって確定されたものであり、一つのグループ識別子が一つの装置グループを示すことに用いられることを含むことを特徴とする
請求項３１〜３９のいずれか一項に記載の方法。
【請求項４１】
第二の端末装置が第一のグループにおけるメンバー端末装置として機能することを確定する前に、前記方法はさらに、
前記第二の端末装置が受信された第一のグループブロードキャスト信号の信号強度が第二のプリセット強度以上であることを確定した後に、前記第一の端末装置へ第一のリクエストメッセージを送信すること、又は
前記第二の端末装置が受信された第一のグループブロードキャスト信号に基づいて確定された前記第一の端末装置と前記第二の端末装置との距離が第二のプリセット距離以下であることを確定した後に、前記第一の端末装置へ第一のリクエストメッセージを送信することを含み、
ここで、前記第一のリクエストメッセージに前記第二の端末装置の装置情報が含まれ、前記第一のリクエストメッセージが前記第二の端末装置が前記第一のグループへの加入をリクエストすることを示すことに用いられることを特徴とする
請求項４０に記載の方法。
【請求項４２】
前記第二の端末装置が受信された第一のグループブロードキャスト信号の信号強度が第二のプリセット強度未満であることを確定した後、又は、受信された第一のグループブロードキャスト信号に基づいて確定された前記第一の端末装置と前記第二の端末装置の間の距離が第二のプリセット距離より大きいことを確定した後に、前記第一の端末装置へ第二のリクエストメッセージを送信し、前記第二のリクエストメッセージが、前記第二のメンバー端末装置が前記第一のグループからの脱退をリクエストすることを示すことに用いられることを含むことを特徴とする
請求項４０又は４１に記載の方法。
【請求項４３】
前記方法はさらに、
前記第二の端末装置が、前記第一のグループにおけるメンバー端末装置として機能することを確定した後にプリセット周期に従って前記第一の端末装置へハートビート信号を送信することと、
前記第二の端末装置が受信された第一のグループブロードキャスト信号の信号強度が第二のプリセット強度未満であることを確定した後に前記ハートビート信号の送信を停止すること、又は
前記第二の端末装置が受信された第一のグループブロードキャスト信号に基づいて確定された前記第一の端末装置と前記第二の端末装置の間の距離が第二のプリセット距離より大きいことを確定した後に前記ハートビート信号の送信を停止することを含むことを特徴とする
請求項４０〜４２のいずれか一項に記載の方法。
【請求項４４】
前記第二の端末装置が前記第一のグループにおける中心端末装置により割り当てされた第一の無線リソースによって装置間通信を行うことは、
前記第二の端末装置が前記第一の無線リソースによって前記第一のグループにおける第七の端末装置へ第一のデータを送信することを含むことを特徴とする
請求項３１〜４３のいずれか一項に記載の方法。
【請求項４５】
前記第二の端末装置が前記第一のグループにおける中心端末装置により割り当てられた第一の無線リソースによって装置間通信を行うことは、
前記第二の端末装置が前記第一の無線リソースによって前記第一の端末装置へ第二のデータを送信し、前記第二のデータが第八の端末装置に送信される必要があるデータであり、前記第八の端末装置が第三のグループに属することを含むことを特徴とする
請求項３１〜４４のいずれか一項に記載の方法。
【請求項４６】
前記第二の端末装置が前記第一のグループにおける中心端末装置により割り当てられた第一の無線リソースによって装置間通信を行うことは、
前記第二の端末装置が第一の無線リソースによって前記第一の端末装置から送信された第三のデータを受信し、前記第三のデータが第三のグループにおける中心端末装置が第四の無線リソースによって前記第一の端末装置に送信した第三のデータであり、前記第四の無線リソースが前記第三のグループにおける中心端末装置によって割り当てられたものであることを含むことを特徴とする
請求項３１〜４５のいずれか一項に記載の方法。
【請求項４７】
前記方法はさらに、
前記第二の端末装置が第四の無線リソースによって第三のグループにおける中心端末装置から送信された第三のデータを受信し、前記第四の無線リソースが前記第三のグループにおける中心端末装置によって割り当てられたものであることを含むことを特徴とする
請求項３１〜４６のいずれか一項に記載の方法。
【請求項４８】
前記第二の端末装置が前記第一のグループにおける中心端末装置により割り当てられた第一の無線リソースによって装置間通信を行うことは、
前記第二の端末装置が前記第一の無線リソースによって前記第一の端末装置へ第四のデータを送信し、前記第四のデータがネットワーク装置に送信される必要があるデータであることを含むことを特徴とする
請求項３１〜４７のいずれか一項に記載の方法。
【請求項４９】
前記第二の端末装置が前記第一のグループにおける中心端末装置により割り当てられた第一の無線リソースによって装置間通信を行うことは、
前記第二の端末装置が第一の無線リソースによって前記第一の端末装置から送信された第五のデータを受信し、第五のデータがネットワーク装置から前記第一の端末装置に送信されたものであることを特徴とする
請求項３１〜４８のいずれか一項に記載の方法。
【請求項５０】
前記方法はさらに、
前記第二の端末装置が前記第一の端末装置から送信された第三のリクエストメッセージを受信し、前記第三のリクエストメッセージが、前記第一の端末装置が前記第一のグループにおける中心端末装置の変更をリクエストすることを示すことに用いられることと、
前記第二の端末装置が前記第三のリクエストメッセージに基づき、前記第一の端末装置へ第四のリクエストメッセージを送信し、前記第四のリクエストメッセージが、前記第二の端末装置が前記第一のグループにおける中心端末装置として機能することをリクエストすることを示すことに用いられることとを含むことを特徴とする
請求項３１〜４９のいずれか一項に記載の方法。
【請求項５１】
装置間通信のための装置であって、
第一のグループにおける中心端末装置として機能することを確定するように構成され、前記第一のグループが前記中心端末装置と少なくとも一つのメンバー端末装置を含む確定ユニットと、
第二の端末装置に第一の無線リソースを割り当て、前記第二の端末装置が前記第一の無線リソースに基づいて装置間通信を行うようにするように構成され、前記第二の端末装置が前記第一のグループにおけるメンバー端末装置に属する処理ユニットとを備える、前記装置間通信のための装置。
【請求項５２】
前記確定ユニットは第一のシーケンスを生成するように構成され、
前記装置はさらに、
第一の指示情報を送信するように構成され、前記第一の指示情報が前記第一のシーケンス及び前記装置の装置情報を示すことに用いられ、一つの装置情報が一つの端末装置を一意に示すことに用いられる送信ユニットと、
少なくとも一つの第二の指示情報を受信するように構成され、前記少なくとも一つの第二の指示情報が少なくとも一つの第三の端末装置と一対一で対応し、各第二の指示情報が対応する第三の端末装置によって生成された第二のシーケンス及び対応する第三の端末装置の装置情報を示すことに用いられる受信ユニットとを備え、
前記確定ユニットは前記第一のシーケンスと前記第二のシーケンスとの関係がプリセット条件を満たしている場合、前記第一のグループにおける中心端末装置として機能することを確定するように構成されることを特徴とする
請求項５１に記載の装置。
【請求項５３】
前記確定ユニットは前記第一のシーケンスと前記第二のシーケンスとの関係がプリセット条件を満たしている場合、前記第三の端末装置が前記第一のグループにおけるメンバー端末装置に属することを確定するように構成されることを特徴とする
請求項５２に記載の装置。
【請求項５４】
前記送信ユニットはさらに第一の検出信号を送信し、前記第三の端末装置が受信された第一の検出信号の信号強度が第一のプリセット強度以上であることを確定した後に前記第二の指示情報を送信するようにし、又は、前記第三の端末装置が受信された第一の検出信号に基づいて確定された前記第一の端末装置と前記第二の端末装置の間の距離が第一のプリセット距離以下であることを確定した後に前記第二の指示情報を送信するようにするように構成されることを特徴とする
請求項５２又は５３に記載の装置。
【請求項５５】
前記受信ユニットはさらに第二の検出信号を受信するように構成され、前記第二の検出信号が前記第三の端末装置から送信されたものであり、
前記確定ユニットはさらに、受信された第二の検出信号の信号強度が第一のプリセット強度以上であることを確定した後に、前記第一の指示情報を送信するように前記送信ユニットを制御するように構成され、又は
前記確定ユニットはさらに、受信された第二の検出信号に基づいて前記装置と前記第三の端末装置の間の距離を確定し、前記装置と前記第三の端末装置の間の距離が第一のプリセット距離以下であることを確定した後に、第一の指示情報を送信するように前記送信ユニットを制御するように構成されることを特徴とする
請求項５２〜５４のいずれか一項に記載の装置。
【請求項５６】
前記第二のシーケンスは前記第三の端末装置が前記第三の端末装置の装置情報に基づいて確定したものであり、また
前記確定ユニットは具体的に前記装置の装置情報に基づいて第一のシーケンスを生成するように構成されることを特徴とする
請求項５２〜５５のいずれか一項に記載の装置。
【請求項５７】
前記確定ユニットはさらに、前記第一のシーケンスと前記第二のシーケンスとの関係がプリセット条件を満たしている場合、第三の指示情報を送信するように前記送信ユニットを制御するように構成され、前記第三の指示情報が、前記装置が中心端末装置として機能することをリクエストすることを示すことに用いられることを特徴とする
請求項５２〜５６のいずれか一項に記載の装置。
【請求項５８】
前記受信ユニットはさらに第四の指示情報を受信するように構成され、前記第四の指示情報が、前記第三の端末装置が前記装置が前記第一のグループにおける中心端末装置として機能することを同意することを示すことに用いられ、前記第四の指示情報が、前記第三の端末装置が前記第一のシーケンスと前記第二のシーケンスとの関係が前記プリセット条件を満たしていることを確定した時に送信したものであり、
前記確定ユニットは具体的に前記第四の指示情報に基づき、前記第一のグループにおける中心端末装置として機能することを確定し、且つ前記第三の端末が前記メンバー端末装置に属することを確定するように構成されることを特徴とする
請求項５７に記載の装置。
【請求項５９】
前記第四の指示情報はさらに前記第一のシーケンスを示すことに用いられることを特徴とする
請求項５８に記載の装置。
【請求項６０】
前記確定ユニットは具体的に、前記送信ユニットが前記第三の指示情報を送信した後の所定期間Ｔ内に前記受信ユニットが第五の指示情報が受信されていないことを確定した場合、前記第一のグループにおける中心端末装置として機能することを確定し、且つ前記第三の端末が前記メンバー端末装置に属することを確定するように構成され、前記第五の指示情報が、前記第三の端末装置が前記装置が前記第一のグループにおける中心端末装置として機能することを同意しないことを示すことに用いられることを特徴とする
請求項５７に記載の装置。
【請求項６１】
前記確定ユニットはさらに前記受信ユニットが前記プリセット期間Ｔの後に前記第五の指示情報を受信した場合、前記第三の端末装置が前記第一のグループに属しないことを確定するように構成されることを特徴とする
請求項６０に記載の装置。
【請求項６２】
前記確定ユニットはさらに、前記送信ユニットが前記第三の指示情報を送信した後のプリセット期間Ｔ内に第五の指示情報を受信したことを確定した場合、前記第一の指示情報を再度送信するように前記送信ユニットを制御するように構成され、前記第五の指示情報が、前記第三の端末装置が前記装置が前記第一のグループにおける中心端末装置として機能することを同意しないことを示すことに用いられることを特徴とする
請求項５７に記載の装置。
【請求項６３】
前記第五の指示情報は、前記第三の端末装置が前記第一の指示情報の受信エラーを確定した後に送信したものであり、また
前記第五の指示情報がさらに前記第一の指示情報のうちの受信エラーになる部分を示すことに用いられることを特徴とする
請求項６０〜６２のいずれか一項に記載の装置。
【請求項６４】
前記処理ユニットはさらに前記第一のグループにおける各端末装置にグループ内識別子を割り当てるように構成され、一つのグループ内識別子が前記第一のグループにおける一つの端末装置を一意に示すことに用いられ、
前記装置はさらに、
第六の指示情報を送信するように構成され、前記第六の指示情報が前記第一のグループにおける各端末装置のグループ内識別子を示すことに用いられ、前記第一のグループにおける各端末装置同士が前記グループ識別子に基づいて装置間通信を行うようにする送信ユニットを備えることを特徴とする
請求項５１〜６３のいずれか一項に記載の装置。
【請求項６５】
前記確定ユニットはさらに前記第一のグループのグループ識別子を確定するように構成され、一つのグループ識別子が一つの装置グループを示すことに用いられ、
前記装置はさらに、
第一のグループブロードキャスト信号を周期的に送信するように構成され、前記第一のグループブロードキャスト信号に前記第一のグループのグループ識別子及び前記装置の装置情報が含まれる送信ユニットを備えることを特徴とする
請求項５１〜６４のいずれか一項に記載の装置。
【請求項６６】
前記装置はさらに、
少なくとも一つの第二のグループブロードキャスト信号を受信するように構成され、前記少なくとも一つの第二のグループブロードキャスト信号が少なくとも一つの第二のグループと一対一で対応し、各第二のグループブロードキャスト信号が対応する第二のグループにおける中心端末装置によって周期的に送信されたものであり、各第二のグループブロードキャスト信号に、対応する第二のグループのグループ識別子及び対応する第二のグループにおける中心端末装置の装置情報が含まれる受信ユニットを備え、
前記確定ユニットはさらに、前記第二のグループのグループ識別子が前記第一のグループのグループ識別子と同じであることを確定した場合、前記第一のグループのグループ識別子を変更するように構成され、又は
前記確定ユニットはさらに前記第二のグループのグループ識別子が前記第一のグループのグループ識別子と同じであることを確定した場合、第九の指示情報を送信するように前記送信ユニットを制御するように構成され、前記第九の指示情報が、前記第二のグループのグループ識別子を変更するように前記第二のグループにおける中心端末装置に指示することに用いられることを特徴とする
請求項６５に記載の装置。
【請求項６７】
前記装置はさらに、
第四の端末装置から送信された第一のリクエストメッセージを受信するように構成され、前記第一のリクエストメッセージに前記第四の端末装置の装置情報が含まれ、前記第一のリクエストメッセージが、前記第四の端末装置が前記第一のグループへの加入をリクエストすることを示すことに用いられ、前記第一のリクエストメッセージが、前記第二の端末装置が受信された第一のグループブロードキャスト信号の信号強度が第二のプリセット強度以上であることを確定した後に送信したものであり、又は、前記第一のリクエストメッセージが、前記第二の端末装置が受信された第一のグループブロードキャスト信号に基づいて確定された前記装置と前記第四の端末装置の間の距離が第二のプリセット距離以下であることを確定した後に送信したものである受信ユニットを備え、
前記確定ユニットはさらに前記第一のリクエストメッセージに基づき、前記第四の端末装置が前記第一のグループにおけるメンバー端末装置に属することを確定するように構成されることを特徴とする
請求項６５又は６６に記載の装置。
【請求項６８】
前記装置はさらに、
前記第一のグループにおける第五の端末装置から送信された第二のリクエストメッセージを受信するように構成され、前記第五の端末装置が前記第一のグループにおけるメンバー端末装置に属し、前記第二のリクエストメッセージが、前記第五の端末装置が前記第一のグループからの脱退をリクエストすることを示すことに用いられ、前記第二のリクエストメッセージが、前記第五の端末装置が受信された第一のグループブロードキャスト信号の信号強度が第二のプリセット強度未満であることを確定した後に送信したものであり、又は、前記第二のリクエストメッセージが、前記第五の端末装置が受信された第一のグループブロードキャスト信号に基づいて確定された前記装置と前記第五の端末装置の間の距離が第二のプリセット距離より大きいことを確定した後に送信したものである受信ユニットを備え、
前記確定ユニットはさらに前記第二のリクエストメッセージに基づき、第五の端末装置が前記第一のグループにおけるメンバー端末装置に属しないことを確定するように構成されることを特徴とする
請求項６５〜６７のいずれか一項に記載の装置。
【請求項６９】
前記装置はさらに、
第六の端末装置から送信されたハートビート信号を受信するように構成され、前記第六の端末装置が前記第一のグループにおけるメンバー端末装置に属し、前記ハートビート信号に前記第六の端末装置の装置情報が含まれ、前記ハートビート信号が、前記第六の端末装置が前記第一のグループにおけるメンバー端末装置として機能することを確定した後にプリセット周期に従って送信するものである受信ユニットを備え、
前記確定ユニットはさらに、プリセット時間内に前記受信ユニットが前記ハートビート信号が受信されていないことを確定した場合、前記第六の端末装置が前記第一のグループにおけるメンバー端末装置に属しないことを確定するように構成され、前記プリセット時間が前記プリセット周期の時間以上であり、前記第六の端末装置が受信された第一のグループブロードキャスト信号の信号強度が第二のプリセット強度未満であることを確定した後に前記ハートビート信号の送信を停止し、又は、前記第六の端末装置が受信された第一のグループブロードキャスト信号に基づいて確定された前記装置と前記第六の端末装置の間の距離が第二のプリセット距離より大きいことを確定した後に前記ハートビート信号の送信を停止することを特徴とする
請求項６５〜６８のいずれか一項に記載の装置。
【請求項７０】
前記第一の無線リソースは具体的に前記第二の端末装置が前記第一のグループにおける第七の端末装置へ第一のデータを送信することに用いられることを特徴とする
請求項５１〜６９のいずれか一項に記載の装置。
【請求項７１】
前記装置はさらに、
前記第七の端末装置へ前記第一の無線リソースの指示情報を送信するように構成される送信ユニットを備えることを特徴とする
請求項７０に記載の装置。
【請求項７２】
前記装置はさらに、
前記第七の端末装置へ第十の指示情報を送信するように構成され、前記第十の指示情報が検出信号を送信するように前記第七の端末装置に指示することに用いられる送信ユニットを備えることを特徴とする
請求項７０又は７１に記載の装置。
【請求項７３】
前記処理ユニットはさらに前記第七の端末装置に第二の無線リソースを割り当て、前記第七の端末装置が前記第二の無線リソースによって前記第一のデータに対するフィードバック情報を送信するようにするように構成されることを特徴とする
請求項７０又は７２に記載の装置。
【請求項７４】
前記装置はさらに、
第三のグループブロードキャスト信号を受信するように構成され、前記第三のグループブロードキャスト信号が第三のグループにおける中心端末装置によって周期的に送信されたものであり、前記第三のグループブロードキャスト信号に前記第三のグループのグループ識別子及び前記第三のグループにおける中心端末装置の装置情報が含まれる受信ユニットを備え、
前記確定ユニットは、前記第三のグループに含まれる端末装置を確定し、且つ前記第一のグループに含まれる端末装置が前記第三のグループにおける中心端末装置に知られるように、前記第三のグループブロードキャスト信号に基づき、前記第三のグループにおける中心端末装置と通信するように送信ユニットと前記受信ユニットを制御するようにさらに構成されることを特徴とする
請求項５１〜７３のいずれか一項に記載の装置。
【請求項７５】
前記装置はさらに、
第一の無線リソースによって前記第二の端末装置から送信された第二のデータを受信するように構成され、前記第二のデータが第八の端末装置に送信される必要があるデータであり、前記第八の端末装置が前記第三のグループに属する受信ユニットを備え、
前記確定ユニットはさらに第三の無線リソースを確定するように構成され、前記第三の無線リソースが前記第三のグループにおける中心端末装置により前記装置に割り当てられたものであり、
送信ユニットは前記第三の無線リソースによって前記第三のグループにおける中心端末装置又は前記第八の端末装置へ前記第二のデータを送信するように構成されることを特徴とする
請求項５１〜７４のいずれか一項に記載の装置。
【請求項７６】
前記装置はさらに、
第四の無線リソースによって前記第三のグループにおける中心端末装置から送信された第三のデータを受信するように構成され、前記第四の無線リソースが前記第三のグループにおける中心端末装置によって割り当てられたものであり、前記第三のデータが前記第二の端末装置に送信される必要があるデータである受信ユニットと、
第一の無線リソースによって前記第二の端末装置へ前記第三のデータを送信するように構成される送信ユニットとを備えることを特徴とする
請求項５１〜７５のいずれか一項に記載の装置。
【請求項７７】
前記装置はさらに、
第一の無線リソースによって前記第二の端末装置から送信された第四のデータを受信するように構成され、前記第四のデータがネットワーク装置に送信される必要があるデータである受信ユニットと、
前記ネットワーク装置へ前記第四のデータを送信するように構成される送信ユニットとを備えることを特徴とする
請求項５１〜７６のいずれか一項に記載の装置。
【請求項７８】
前記装置はさらに、
ネットワーク装置から送信された第五のデータを受信するように構成され、前記第五のデータが前記第二の端末装置に送信される必要があるデータである受信ユニットと、
第一の無線リソースによって前記第二の端末装置へ前記第五のデータを送信するように構成される送信ユニットとを備えることを特徴とする
請求項５１〜７７のいずれか一項に記載の装置。
【請求項７９】
前記装置はさらに、
第三のリクエストメッセージを送信するように構成され、前記第三のリクエストメッセージが、前記装置が前記第一のグループにおける中心端末装置の変更をリクエストすることを示すことに用いられる送信ユニットと、
第九の端末装置から送信された第四のリクエストメッセージを受信するように構成され、前記第九の端末装置が前記第一のグループにおけるメンバー端末装置に属し、前記第四のリクエストメッセージが、前記第九の端末装置が前記第一のグループにおける中心端末装置として機能することをリクエストすることを示すことに用いられ、前記第四のリクエストメッセージが、前記第九の端末装置が前記第三のリクエストメッセージに基づいて送信したものである受信ユニットとを備え、
前記装置は前記第四のリクエストメッセージに基づき、前記第九の端末装置が前記第一のグループにおける中心端末装置として機能することを確定することを特徴とする
請求項５１〜７８のいずれか一項に記載の装置。
【請求項８０】
前記確定ユニットはさらに、現在の電気量がプリセット閾値以下であることを確定するように構成され、又は
前記確定ユニットはさらに前記第一のグループにおける各メンバー端末装置との距離がプリセット条件を満たしていることを確定するように構成され、又は
前記確定ユニットはさらにネットワーク装置との通信接続が中断されたことを確定するように構成されることを特徴とする
請求項７９に記載の装置。
【請求項８１】
装置間通信のための装置であって、
第一のグループにおけるメンバー端末装置として機能することを確定するように構成され、前記第一のグループが中心端末装置と少なくとも一つのメンバー端末装置を含む確定ユニットと、
前記第一のグループにおける中心端末装置により割り当てられた第一の無線リソースによって装置間通信を行うように構成される通信ユニットとを備える、前記装置間通信のための装置。
【請求項８２】
前記確定ユニットは第二のシーケンスを生成するように構成され、
前記通信ユニットは、第二の指示情報を送信するように構成され、前記第二の指示情報が前記第二のシーケンス及び前記装置の装置情報を示すことに用いられ、一つの装置情報が一つの端末装置を一意に示すことに用いられ、
前記通信ユニットは、第一の指示情報を受信するように構成され、前記第一の指示情報が第一の端末装置によって生成された第一のシーケンス及び前記第一の端末装置の装置情報を示すことに用いられ、
前記確定ユニットは、前記第一のシーケンスと前記第二のシーケンスとの関係がプリセット条件を満たしている場合、前記第一のグループにおけるメンバー端末装置として機能することを確定するように構成されることを特徴とする
請求項８１に記載の装置。
【請求項８３】
前記確定ユニットは、前記第一のシーケンスと前記第二のシーケンスとの関係がプリセット条件を満たしている場合、前記第一の端末装置が前記第一のグループにおける中心端末装置であることを確定するように構成されることを特徴とする
請求項８２に記載の装置。
【請求項８４】
前記通信ユニットは、第二の検出信号を送信し、前記第一の端末装置が受信された第二の検出信号の信号強度が第一のプリセット強度以上であることを確定した後に前記第一の指示情報を送信するようにし、又は、前記第一の端末装置が受信された第二の検出信号に基づいて確定された前記第一の端末装置と前記装置の間の距離が第一のプリセット距離以下であることを確定した後に前記第一の指示情報を送信するようにするように構成されることを特徴とする
請求項８２又は８３に記載の装置。
【請求項８５】
前記通信ユニットは、第一の検出信号を受信するように構成され、前記第一の検出信号が前記第一の端末装置から送信されたものであり、
前記確定ユニットは、前記通信ユニットによって受信された第一の検出信号の信号強度が第一のプリセット強度以上であることを確定した後に、前記第二の指示情報を送信するように前記通信ユニットを制御するように構成され、又は
前記確定ユニットは、前記通信ユニットによって受信された第一の検出信号に基づいて前記第一の端末装置と前記装置の間の距離を確定し、前記第一の端末装置と前記装置の間の距離が第一のプリセット距離以下であることを確定した後に、第二の指示情報を送信するように前記通信ユニットを制御するように構成されることを特徴とする
請求項８２〜８４のいずれか一項に記載の装置。
【請求項８６】
前記第一のシーケンスは前記第一の端末装置が前記第一の端末装置の装置情報に基づいて確定したものであり、また
前記確定ユニットは、前記装置の装置情報に基づいて第二のシーケンスを生成するように構成されることを特徴とする
請求項８２〜８５のいずれか一項に記載の装置。
【請求項８７】
前記通信ユニットは、前記第一の端末装置から送信された第三の指示情報を受信するように構成され、前記第三の指示情報が、前記第一の端末装置が中心端末装置として機能することをリクエストすることを示すことに用いられることを特徴とする
請求項８２〜８６のいずれか一項に記載の装置。
【請求項８８】
前記確定ユニットは、前記第一のシーケンスと前記第二のシーケンスとの関係が前記プリセット条件を満たしていることを確定した場合、第四の指示情報を送信するように通信ユニットを制御するように構成され、前記第四の指示情報が、前記装置が第一の端末装置が前記第一のグループにおける中心端末装置として機能することを同意することを示すことに用いられることを特徴とする
請求項８７に記載の装置。
【請求項８９】
前記通信ユニットは前記第一の端末装置から送信された第六の指示情報を受信するように構成され、前記第六の指示情報が、前記第一の端末装置から前記装置に割り当てられたグループ内識別子を示すことに用いられ、また
前記通信ユニットは前記グループ内識別子に基づき、前記第一のグループにおける中心端末装置により割り当てられた第一の無線リソースによって装置間通信を行うように構成されることを特徴とする
請求項８１〜８８のいずれか一項に記載の装置。
【請求項９０】
前記通信ユニットは、前記第一の端末装置から周期的に送信された第一のグループブロードキャスト信号を受信するように構成され、前記第一のグループブロードキャスト信号に前記第一のグループのグループ識別子及び前記第一の端末装置の装置情報が含まれ、前記第一のグループのグループ識別子が前記第一の端末装置によって確定されたものであり、一つのグループ識別子が一つの装置グループを示すことに用いられることを特徴とする
請求項８１〜８９のいずれか一項に記載の装置。
【請求項９１】
前記確定ユニットは、前記通信ユニットによって受信された第一のグループブロードキャスト信号の信号強度が第二のプリセット強度以上であることを確定した後に、前記第一の端末装置へ第一のリクエストメッセージを送信するように前記通信ユニットを制御するように構成され、又は
前記確定ユニットは、前記通信ユニットによって受信された第一のグループブロードキャスト信号に基づいて確定された前記第一の端末装置と前記装置との距離が第二のプリセット距離以下であることを確定した後に、前記第一の端末装置へ第一のリクエストメッセージを送信するように前記通信ユニットを制御するように構成され、
ここで、前記第一のリクエストメッセージは前記装置の装置情報を含み、前記第一のリクエストメッセージは前記装置が前記第一のグループへの加入をリクエストすることを示すことに用いられることを特徴とする
請求項９０に記載の装置。
【請求項９２】
前記確定ユニットは、前記通信ユニットによって受信された第一のグループブロードキャスト信号の信号強度が第二のプリセット強度未満であることを確定した後に、前記第一の端末装置へ第二のリクエストメッセージを送信するように前記通信ユニットを制御するように構成され、又は
前記確定ユニットは、前記通信ユニットによって受信された第一のグループブロードキャスト信号に基づいて確定された前記第一の端末装置と前記装置の間の距離が第二のプリセット距離より大きいことを確定した後に、前記第一の端末装置へ第二のリクエストメッセージを送信するように前記通信ユニットを制御するように構成され、
ここで、前記第二のリクエストメッセージは前記第二のメンバー端末装置が前記第一のグループからの脱退をリクエストすることを示すことに用いられることを特徴とする
請求項９０又は９１に記載の装置。
【請求項９３】
前記確定ユニットは、前記第一のグループにおけるメンバー端末装置として機能することを確定した後に、プリセット周期に従って前記第一の端末装置へハートビート信号を送信するように前記通信ユニットを制御するように構成され、
前記確定ユニットは、前記通信ユニットによって受信された第一のグループブロードキャスト信号の信号強度が第二のプリセット強度未満であることを確定した後に、前記ハートビート信号の送信を停止するように前記通信ユニットを制御するように構成され、又は
前記確定ユニットは、前記通信ユニットによって受信された第一のグループブロードキャスト信号に基づいて確定された前記第一の端末装置と前記装置の間の距離が第二のプリセット距離より大きいことを確定した後に、前記ハートビート信号の送信を停止するように前記通信ユニットを制御するように構成されることを特徴とする
請求項９０〜９２のいずれか一項に記載の装置。
【請求項９４】
前記通信ユニットは、前記第一の無線リソースによって前記第一のグループにおける第七の端末装置へ第一のデータを送信するように構成されることを特徴とする
請求項８１〜９３のいずれか一項に記載の装置。
【請求項９５】
前記通信ユニットは、前記第一の無線リソースによって前記第一の端末装置へ第二のデータを送信するように構成され、前記第二のデータが第八の端末装置に送信される必要があるデータであり、前記第八の端末装置が第三のグループに属することを特徴とする
請求項８１〜９４のいずれか一項に記載の装置。
【請求項９６】
前記通信ユニットは、第一の無線リソースによって前記第一の端末装置から送信された第三のデータを受信するように構成され、前記第三のデータが第三のグループにおける中心端末装置が第四の無線リソースによって前記第一の端末装置に送信した第三のデータであり、前記第四の無線リソースが前記第三のグループにおける中心端末装置によって割り当てられたものであることを特徴とする
請求項８１〜９５のいずれか一項に記載の装置。
【請求項９７】
前記通信ユニットは、第四の無線リソースによって第三のグループにおける中心端末装置から送信された第三のデータを受信するように構成され、前記第四の無線リソースが前記第三のグループにおける中心端末装置によって割り当てられたものであることを特徴とする
請求項８１〜９６のいずれか一項に記載の装置。
【請求項９８】
前記通信ユニットは、前記第一の無線リソースによって前記第一の端末装置へ第四のデータを送信するように構成され、前記第四のデータがネットワーク装置に送信される必要があるデータであることを特徴とする
請求項８１〜９７のいずれか一項に記載の装置。
【請求項９９】
前記通信ユニットは、第一の無線リソースによって前記第一の端末装置から送信された第五のデータを受信するように構成され、第五のデータがネットワーク装置から前記第一の端末装置に送信されたものであることを特徴とする
請求項８１〜９８のいずれか一項に記載の装置。
【請求項１００】
前記通信ユニットは、前記第一の端末装置から送信された第三のリクエストメッセージを受信するように構成され、前記第三のリクエストメッセージが、前記第一の端末装置が前記第一のグループにおける中心端末装置の変更をリクエストすることを示すことに用いられ、
前記通信ユニットは、前記第三のリクエストメッセージに基づき、前記第一の端末装置へ第四のリクエストメッセージを送信するように構成され、前記第四のリクエストメッセージが、前記装置が前記第一のグループにおける中心端末装置として機能することをリクエストすることを示すことに用いられることを特徴とする
請求項８１〜９９のいずれか一項に記載の装置。
【発明の詳細な説明】
【技術分野】
【０００１】
本発明は、通信分野に関し、且つより具体的には、装置間通信のための方法及び装置に関する。
【背景技術】
【０００２】
通信技術の発展に伴い、装置間通信技術、例えばデバイスツーデバイス（Ｄ２Ｄ：Ｄｅｖｉｃｅ−ｔｏ−Ｄｅｖｉｃｅ）通信技術と車間（Ｖ２Ｖ：ｖｅｈｉｃｌｅ  ｔｏ  ｖｅｈｉｃｌｅ）通信技術などは無線通信技術発展の人気のある分野となっている。
【０００３】
現在、セルラーネットワークの協力がない場合（例えば、従来のＶ２Ｖ通信技術、又は、ネットワーク装置のカバレッジがないＤ２Ｄ通信技術）、リソース衝突を回避するために、リッスンビフォアトーク（ＬＢＴ：Ｌｉｓｔｅｎ−ｂｅｆｏｒｅ−ｔａｌｋ）などのような方式でしかリソーススケジューリングを行うことができないが、該スケジューリング方式の効率が低く、端末の数の増加に伴い、端末間の伝送衝突の可能性が大きくなり、通信遅延が徐々に増加し、伝送成功率が徐々に低下し、そのため装置間通信の効率及び信頼性に深刻な影響を与える。
【０００４】
したがって、装置間通信の効率及び信頼性を向上させることができるという技術を提供することが望まれる。
【発明の概要】
【発明が解決しようとする課題】
【０００５】
本発明は、装置間通信の効率及び信頼性を向上させることができる、装置間通信のための方法及び装置を提供する。
【課題を解決するための手段】
【０００６】
第一の態様では、装置間通信のための方法が提供され、該方法は、第一の端末装置が第一のグループにおける中心端末装置として機能することを確定し、該第一のグループが該中心端末装置と少なくとも一つのメンバー端末装置を含むことと、該第一の端末装置が第二の端末装置に第一の無線リソースを割り当て、該第二の端末装置が該第一の無線リソースに基づいて装置間通信を行うようにし、該第二の端末装置が該第一のグループにおけるメンバー端末装置に属することとを含む。
【０００７】
第一の態様と組み合わせ、第一の態様の第一の実施形態では、該第一の端末装置が第一のグループにおける中心端末装置として機能することを確定することは、該第一の端末装置が第一のシーケンスを生成することと、該第一の端末装置が第一の指示情報を送信し、該第一の指示情報が該第一のシーケンス及び該第一の端末装置の装置情報を示すことに用いられ、一つの装置情報が一つの端末装置を一意に示すことに用いられることと、該第一の端末装置が少なくとも一つの第二の指示情報を受信し、該少なくとも一つの第二の指示情報が少なくとも一つの第三の端末装置と一対一で対応し、各第二の指示情報が対応する第三の端末装置によって生成された第二のシーケンス及び対応する第三の端末装置の装置情報を示すことに用いられることと、該第一のシーケンスと該第二のシーケンスとの関係がプリセット条件を満たしている場合、該第一の端末装置が第一の端末装置が該第一のグループにおける中心端末装置として機能することを確定することとを含む。
【０００８】
第一の態様及びその上記実施形態と組み合わせ、第一の態様の第二の実施形態では、該方法はさらに、該第一のシーケンスと該第二のシーケンスとの関係がプリセット条件を満たしている場合、該第一の端末装置が該第三の端末装置が該第一のグループにおけるメンバー端末装置に属することを確定することを含む。
【０００９】
第一の態様及びその上記実施形態と組み合わせ、第一の態様の第三の実施形態では、該方法はさらに、該第一の端末装置が第一の検出信号を送信し、該第三の端末装置が受信された第一の検出信号の信号強度が第一のプリセット強度以上であることを確定した後に該第二の指示情報を送信するようにし、又は、該第三の端末装置が受信された第一の検出信号に基づいて確定された該第一の端末装置と該第二の端末装置の間の距離が第一のプリセット距離以下であることを確定した後に該第二の指示情報を送信するようにすることを含む。
【００１０】
第一の態様及びその上記実施形態と組み合わせ、第一の態様の第四の実施形態では、該第一の端末装置が第一の指示情報を送信することは、該第一の端末装置が第二の検出信号を受信し、該第二の検出信号が該第三の端末装置から送信されたものであることと、該第一の端末装置が受信された第二の検出信号の信号強度が第一のプリセット強度以上であることを確定した後に該第一の指示情報を送信すること、又は、該第一の端末装置が受信された第二の検出信号に基づいて該第一の端末装置と該第三の端末装置の間の距離を確定し、該第一の端末装置と該第三の端末装置の間の距離が第一のプリセット距離以下であることを確定した後に第一の指示情報を送信することとを含む。
【００１１】
第一の態様及びその上記実施形態と組み合わせ、第一の態様の第五の実施形態では、該第二のシーケンスは該第三の端末装置が該第三の端末装置の装置情報に基づいて確定したものであり、及び該第一の端末が第一のシーケンスを生成することは、該第一の端末装置が該第一の端末装置の装置情報に基づいて第一のシーケンスを生成することを含む。
【００１２】
第一の態様及びその上記実施形態と組み合わせ、第一の態様の第六の実施形態では、該第一の端末装置が第一の端末装置が該第一のグループにおける中心端末装置として機能することを確定する前に、該方法はさらに、該第一のシーケンスと該第二のシーケンスとの関係がプリセット条件を満たしている場合、該第一の端末装置が第三の指示情報を送信し、該第三の指示情報が、該第一の端末装置が中心端末装置として機能することをリクエストすることを示すことに用いられることを含む。
【００１３】
第一の態様及びその上記実施形態と組み合わせ、第一の態様の第七の実施形態では、該第一の端末装置が第一の端末装置が該第一のグループにおける中心端末装置として機能することを確定することは、第一の端末装置が第四の指示情報を受信し、該第四の指示情報が、該第三の端末装置が第一の端末装置が該第一のグループにおける中心端末装置として機能することを同意することを示すことに用いられ、該第四の指示情報が、該第三の端末装置が該第一のシーケンスと該第二のシーケンスとの関係が該プリセット条件を満たしていることを確定した場合に送信したものであることと、第一の端末装置が該第四の指示情報に基づき、第一の端末装置が該第一のグループにおける中心端末装置であることを確定し、且つ該第三の端末が該メンバー端末装置に属することを確定することとを含む。
【００１４】
第一の態様及びその上記実施形態と組み合わせ、第一の態様の第八の実施形態では、該第四の指示情報はさらに該第一のシーケンスを示すことに用いられる。
【００１５】
第一の態様及びその上記実施形態と組み合わせ、第一の態様の第九の実施形態では、該第一の端末装置が第一の端末装置が該第一のグループにおける中心端末装置として機能することを確定することは、該第一の端末装置が該第三の指示情報を送信した後の所定期間Ｔ内に第五の指示情報が受信されていないことを確定した場合に、第一の端末装置が該第一のグループにおける中心端末装置であることを確定し、且つ該第三の端末が該メンバー端末装置に属することを確定し、該第五の指示情報が、該第三の端末装置が該第一の端末装置が該第一のグループにおける中心端末装置として機能することを同意しないことを示すことに用いられることを含む。
【００１６】
第一の態様及びその上記実施形態と組み合わせ、第一の態様の第十の実施形態では、該方法はさらに、該第一の端末装置が該プリセット期間Ｔの後に該第五の指示情報を受信した場合に、該第三の端末装置が該第一のグループに属しないことを確定することを含む。
【００１７】
第一の態様及びその上記実施形態と組み合わせ、第一の態様の第十一の実施形態では、該第一の端末装置が第一の端末装置が該第一のグループにおける中心端末装置として機能することを確定する前に、該方法はさらに、該第一の端末装置が該第三の指示情報を送信した後のプリセット期間Ｔ内に第五の指示情報を受信したことを確定した場合に、該第一の指示情報を再度送信し、該第五の指示情報が、該第三の端末装置が第一の端末装置が該第一のグループにおける中心端末装置として機能することを同意しないことを示すことに用いられることを含む。
【００１８】
第一の態様及びその上記実施形態と組み合わせ、第一の態様の第十二の実施形態では、該第五の指示情報は、該第三の端末装置が該第一の指示情報の受信エラーを確定した後に送信したものであり、及び該第五の指示情報がさらに該第一の指示情報のうちの受信エラーになる部分を示すことに用いられる。
【００１９】
第一の態様及びその上記実施形態と組み合わせ、第一の態様の第十三の実施形態では、該方法はさらに該第一の端末装置が該第一のグループにおける各端末装置にグループ内識別子を割り当て、一つのグループ内識別子が該第一のグループにおける一つの端末装置を一意に示すことに用いられることと、該第一の端末装置が第六の指示情報を送信し、該第六の指示情報が該第一のグループにおける各端末装置のグループ内識別子を示すことに用いられ、該第一のグループにおける各端末装置同士が該グループ識別子に基づいて装置間通信を行うようにすることとを含む。
【００２０】
第一の態様及びその上記実施形態と組み合わせ、第一の態様の第十四の実施形態では、該方法はさらに、第一の端末装置が該第一のグループのグループ識別子を確定し、一つのグループ識別子が一つの装置グループを示すことに用いられることと、該第一の端末装置が第一のグループブロードキャスト信号を周期的に送信し、該第一のグループブロードキャスト信号に該第一のグループのグループ識別子及び該第一の端末装置の装置情報が含まれることとを含む。
【００２１】
第一の態様及びその上記実施形態と組み合わせ、第一の態様の第十五の実施形態では、該方法はさらに、第一の端末装置が少なくとも一つの第二のグループブロードキャスト信号を検出し、該少なくとも一つの第二のグループブロードキャスト信号が少なくとも一つの第二のグループと一対一で対応し、各第二のグループブロードキャスト信号が対応する第二のグループにおける中心端末装置によって周期的に送信されたものであり、各第二のグループブロードキャスト信号に、対応する第二のグループのグループ識別子及び対応する第二のグループにおける中心端末装置の装置情報が含まれることと、該第一の端末装置が、該第二のグループのグループ識別子が該第一のグループのグループ識別子と同じであることを確定した場合に、該第一のグループのグループ識別子を変更すること、又は該第一の端末装置が、該第二のグループのグループ識別子が該第一のグループのグループ識別子と同じであることを確定した場合に、第九の指示情報を送信し、該第九の指示情報が、該第二のグループのグループ識別子を変更するように該第二のグループにおける中心端末装置に指示することに用いられることを含む。
【００２２】
第一の態様及びその上記実施形態と組み合わせ、第一の態様の第十六の実施形態では、該方法はさらに、該第一の端末装置が第四の端末装置から送信された第一のリクエストメッセージを受信し、該第一のリクエストメッセージに該第四の端末装置の装置情報が含まれ、該第一のリクエストメッセージが、該第四の端末装置が該第一のグループへの加入をリクエストすることを示すことに用いられ、該第一のリクエストメッセージが、該第二の端末装置が受信された第一のグループブロードキャスト信号の信号強度が第二のプリセット強度以上であることを確定した後に送信したものであり、又は、該第一のリクエストメッセージが、該第二の端末装置が受信された第一のグループブロードキャスト信号に基づいて確定された該第一の端末装置と該第四の端末装置の間の距離が第二のプリセット距離以下であることを確定した後に送信したものであることと、該第一の端末装置が該第一のリクエストメッセージに基づき、該第四の端末装置が該第一のグループにおけるメンバー端末装置に属することを確定することとを含む。
【００２３】
第一の態様及びその上記実施形態と組み合わせ、第一の態様の第十七の実施形態では、該方法はさらに、
該第一の端末装置が該第一のグループにおける第五の端末装置から送信された第二のリクエストメッセージを受信し、該第五の端末装置が該第一のグループにおけるメンバー端末装置に属し、該第二のリクエストメッセージが、該第五の端末装置が該第一のグループからの脱退をリクエストすることを示すことに用いられ、該第二のリクエストメッセージが、該第五の端末装置が受信された第一のグループブロードキャスト信号の信号強度が第二のプリセット強度未満であることを確定した後に送信したものであり、又は、該第二のリクエストメッセージが、該第五の端末装置が受信された第一のグループブロードキャスト信号に基づいて確定された該第一の端末と該第五の端末装置の間の距離が第二のプリセット距離より大きいことを確定した後に送信したものであることと、該第一の端末装置が該第二のリクエストメッセージに基づき、第五の端末装置が該第一のグループにおけるメンバー端末装置に属しないことを確定することとを含む。
【００２４】
第一の態様及びその上記実施形態と組み合わせ、第一の態様の第十八の実施形態では、該方法はさらに、該第一の端末装置が第六の端末装置から送信されたハートビート信号を検出し、該第六の端末装置が該第一のグループにおけるメンバー端末装置に属し、該ハートビート信号に該第六の端末装置の装置情報が含まれ、該ハートビート信号が、該第六の端末装置が該第一のグループにおけるメンバー端末装置として機能することを確定した後にプリセット周期又は第一の端末装置によって設定された周期に従って送信したものであることと、該第一の端末装置がプリセット時間内に該ハートビート信号を正確に受信していないことを確定した場合に、該第六の端末装置が該第一のグループにおけるメンバー端末装置に属しないことを確定し、該プリセット時間が該プリセット周期の時間以上であり、該第六の端末装置が受信された第一のグループブロードキャスト信号の信号強度が第二のプリセット強度未満であることを確定した後に該ハートビート信号の送信を停止し、又は、該第六の端末装置が受信された第一のグループブロードキャスト信号に基づいて確定された該第一の端末装置と該第六の端末装置の間の距離が第二のプリセット距離より大きいことを確定した後に該ハートビート信号の送信を停止することとを含む。
【００２５】
第一の態様及びその上記実施形態と組み合わせ、第一の態様の第十九の実施形態では、該第一の無線リソースは、具体的に該第二の端末装置が該第一のグループにおける第七の端末装置へ第一のデータを送信することに用いられる。
【００２６】
第一の態様及びその上記実施形態と組み合わせ、第一の態様の第二十の実施形態では、該方法はさらに該第一の端末装置が該第七の端末装置へ該第一の無線リソースの指示情報を送信することを含む。
【００２７】
第一の態様及びその上記実施形態と組み合わせ、第一の態様の第二十一の実施形態では、該方法はさらに該第一の端末装置が該第七の端末装置へ第十の指示情報を送信し、該第十の指示情報が検出信号を送信するように該第七の端末装置に指示することに用いられることを含む。
【００２８】
第一の態様及びその上記実施形態と組み合わせ、第一の態様の第二十二の実施形態では、該方法はさらに、該第一の端末装置が該第七の端末装置に第二の無線リソースを割り当て、該第七の端末装置が該第二の無線リソースによって該第一のデータに対するフィードバック情報を送信するようにすることを含む。
【００２９】
第一の態様及びその上記実施形態と組み合わせ、第一の態様の第二十三の実施形態では、該方法はさらに、第一の端末装置が第三のグループブロードキャスト信号を受信し、該第三のグループブロードキャスト信号が第三のグループにおける中心端末装置が周期的に送信したものであり、該第三のグループブロードキャスト信号に該第三のグループのグループ識別子及び該第三のグループにおける中心端末装置の装置情報が含まれることと、該第三のグループに含まれる端末装置を確定し、且つ該第一のグループに含まれる端末装置が該第三のグループにおける中心端末装置に知られるように、該第一の端末装置が該第三のグループブロードキャスト信号に基づき、該第三のグループにおける中心端末装置と通信することとを含む。
【００３０】
第一の態様及びその上記実施形態と組み合わせ、第一の態様の第二十四の実施形態では、該方法はさらに、該第一の端末装置が第一の無線リソースによって該第二の端末装置から送信された第二のデータを受信し、該第二のデータが第八の端末装置に送信される必要があるデータであり、該第八の端末装置が該第三のグループに属することと、該第一の端末装置が第三の無線リソースを確定し、該第三の無線リソースが該第三のグループにおける中心端末装置により該第一の端末装置に割り当てられたものであることと、該第一の端末装置が該第三の無線リソースによって該第三のグループにおける中心端末装置又は該第八の端末装置へ該第二のデータを送信することとを含む。
【００３１】
第一の態様及びその上記実施形態と組み合わせ、第一の態様の第二十五の実施形態では、該方法はさらに、該第一の端末装置が第四の無線リソースによって該第三のグループにおける中心端末装置から送信された第三のデータを受信し、該第四の無線リソースが該第三のグループにおける中心端末装置によって割り当てられたものであり、該第三のデータが該第二の端末装置に送信される必要があるデータであることと、該第一の端末装置が第一の無線リソースによって該第二の端末装置へ該第三のデータを送信することとを含む。
【００３２】
第一の態様及びその上記実施形態と組み合わせ、第一の態様の第二十六の実施形態では、該方法はさらに、該第一の端末装置が第一の無線リソースによって該第二の端末装置から送信された第四のデータを受信し、該第四のデータがネットワーク装置に送信される必要があるデータであることと、該第一の端末装置が該ネットワーク装置へ該第四のデータを送信することとを含む。
【００３３】
第一の態様及びその上記実施形態と組み合わせ、第一の態様の第二十七の実施形態では、該方法はさらに、該第一の端末装置がネットワーク装置から送信された第五のデータを受信し、該第五のデータが該第二の端末装置に送信される必要があるデータであることと、該第一の端末装置が第一の無線リソースによって該第二の端末装置へ該第五のデータを送信することとを含む。
【００３４】
第一の態様及びその上記実施形態と組み合わせ、第一の態様の第二十八の実施形態では、該方法はさらに、該第一の端末装置が第三のリクエストメッセージを送信し、該第三のリクエストメッセージが、該第一の端末装置が該第一のグループにおける中心端末装置の変更をリクエストすることを示すことに用いられることと、該第一の端末装置が第九の端末装置から送信された第四のリクエストメッセージを受信し、該第九の端末装置が該第一のグループにおけるメンバー端末装置に属し、該第四のリクエストメッセージが、該第九の端末装置が該第一のグループにおける中心端末装置として機能することをリクエストすることを示すことに用いられ、該第四のリクエストメッセージが、該第九の端末装置が該第三のリクエストメッセージに基づいて送信したものであることと、該第一の端末装置が該第四のリクエストメッセージに基づき、該第九の端末装置が該第一のグループにおける中心端末装置として機能することを確定することとを含む。
【００３５】
第一の態様及びその上記実施形態と組み合わせ、第一の態様の第二十九の実施形態では、該第一の端末装置が第三のリクエストメッセージを送信する前に、該方法はさらに、該第一の端末装置が現在の電気量がプリセット閾値以下であることを確定すること、又は該第一の端末装置が該第一のグループにおける各メンバー端末装置との距離がプリセット条件を満たしていることを確定すること、又は該第一の端末装置がネットワーク装置との通信接続が中断されたことを確定することを含む。
【００３６】
第二の態様では、装置間通信のための方法が提供され、該方法は、第二の端末装置が第一のグループにおけるメンバー端末装置として機能することを確定し、該第一のグループが中心端末装置と少なくとも一つのメンバー端末装置を含むことと、該第二の端末装置が該第一のグループにおける中心端末装置により割り当てられた第一の無線リソースによって装置間通信を行うこととを含む。
【００３７】
第二の態様と組み合わせ、第二の態様の第一の実施形態では、該第一の端末装置が第一のグループにおける中心端末装置として機能することを確定することは、該第二の端末装置が第二のシーケンスを生成することと、該第二の端末装置が第二の指示情報を送信し、該第二の指示情報が該第二のシーケンス及び該第二の端末装置の装置情報を示すことに用いられ、一つの装置情報が一つの端末装置を一意に示すことに用いられることと、該第二の端末装置が第一の指示情報を受信し、該第一の指示情報が第一の端末装置によって生成された第一のシーケンス及び該第一の端末装置の装置情報を示すことに用いられることと、該第一のシーケンスと該第二のシーケンスとの関係がプリセット条件を満たしている場合、該第二の端末装置が第二の端末装置が該第一のグループにおけるメンバー端末装置として機能することを確定することとを含む。
【００３８】
第二の態様及びその上記実施形態と組み合わせ、第二の態様の第二の実施形態では、該方法はさらに、該第一のシーケンスと該第二のシーケンスとの関係がプリセット条件を満たしている場合、該第二の端末装置が、該第一の端末装置が該第一のグループにおける中心端末装置として機能することを確定することを含む。
【００３９】
第二の態様及びその上記実施形態と組み合わせ、第二の態様の第三の実施形態では、該方法はさらに、該第二の端末装置が第二の検出信号を送信し、該第一の端末装置が受信された第二の検出信号の信号強度が第一のプリセット強度以上であることを確定した後に該第一の指示情報を送信するようにし、又は、該第一の端末装置が受信された第二の検出信号に基づいて確定された該第一の端末装置と該第二の端末装置の間の距離が第一のプリセット距離以下であることを確定した後に該第一の指示情報を送信するようにすることを含む。
【００４０】
第二の態様及びその上記実施形態と組み合わせ、第二の態様の第四の実施形態では、該第二の端末装置が第二の指示情報を送信することは、該第二の端末装置が第一の検出信号を受信し、該第一の検出信号が該第一の端末装置から送信されたものであることと、該第二の端末装置が受信された第一の検出信号の信号強度が第一のプリセット強度以上であることを確定した後に該第二の指示情報を送信すること、又は該第二の端末装置が受信された第一の検出信号に基づいて該第一の端末装置と該第二の端末装置の間の距離を確定し、該第一の端末装置と該第二の端末装置の間の距離が第一のプリセット距離以下であることを確定した後に第二の指示情報を送信することを含む。
【００４１】
第二の態様及びその上記実施形態と組み合わせ、第二の態様の第五の実施形態では、該第一のシーケンスは該第一の端末装置が該第一の端末装置の装置情報に基づいて確定したものであり、及び該第二の端末装置が第二のシーケンスを生成することは、該第二の端末装置が該第二の端末装置の装置情報に基づいて第二のシーケンスを生成することを含む。
【００４２】
第二の態様及びその上記実施形態と組み合わせ、第二の態様の第六の実施形態では、該第二の端末装置が第二の端末装置が該第一のグループにおけるメンバー端末装置として機能することを確定する前に、該方法はさらに、該第二の端末装置が該第一の端末装置から送信された第三の指示情報を受信し、該第三の指示情報が、該第一の端末装置が中心端末装置として機能することをリクエストすることを示すことに用いられることを含む。
【００４３】
第二の態様及びその上記実施形態と組み合わせ、第二の態様の第七の実施形態では、該方法はさらに、該第二の端末装置が該第一のシーケンスと該第二のシーケンスとの関係が該プリセット条件を満たしていることを確定した時に第四の指示情報を送信し、該第四の指示情報が、該第二の端末装置が第一の端末装置が該第一のグループにおける中心端末装置として機能することを同意することを示すことに用いられることを含む。
【００４４】
第二の態様及びその上記実施形態と組み合わせ、第二の態様の第八の実施形態では、該方法はさらに、該第二の端末装置が該第一の端末装置から送信された第六の指示情報を受信し、該第六の指示情報が、該第一の端末装置から該第二の端末装置に割り当てられたグループ内識別子を示すことに用いられることを含み、及び該第二の端末装置が該第一のグループにおける中心端末装置により割り当てられた第一の無線リソースによって装置間通信を行うことは、該第二の端末装置が該グループ内識別子に基づき、該第一のグループにおける中心端末装置により割り当てられた第一の無線リソースによって装置間通信を行うことを含む。
【００４５】
第二の態様及びその上記実施形態と組み合わせ、第二の態様の第九の実施形態では、該方法はさらに、第二の端末装置が該第一の端末装置から周期的に送信された第一のグループブロードキャスト信号を受信し、該第一のグループブロードキャスト信号に該第一のグループのグループ識別子及び該第一の端末装置の装置情報が含まれ、該第一のグループのグループ識別子が該第一の端末装置によって確定されたものであり、一つのグループ識別子が一つの装置グループを示すことに用いられることを含む。
【００４６】
第二の態様及びその上記実施形態と組み合わせ、第二の態様の第十の実施形態では、第二の端末装置が第一のグループにおけるメンバー端末装置として機能することを確定する前に、該方法はさらに、該第二の端末装置が受信された第一のグループブロードキャスト信号の信号強度が第二のプリセット強度以上であることを確定した後に、該第一の端末装置へ第一のリクエストメッセージを送信すること、又は該第二の端末装置が受信された第一のグループブロードキャスト信号に基づいて確定された該第一の端末装置と該第二の端末装置との距離が第二のプリセット距離以下であることを確定した後に、該第一の端末装置へ第一のリクエストメッセージを送信することを含み、該第一のリクエストメッセージに該第二の端末装置の装置情報が含まれ、該第一のリクエストメッセージが該第二の端末装置が該第一のグループへの加入をリクエストすることを示すことに用いられる。
【００４７】
第二の態様及びその上記実施形態と組み合わせ、第二の態様の第十一の実施形態では、該第二の端末装置が受信された第一のグループブロードキャスト信号の信号強度が第二のプリセット強度未満であることを確定した後、又は受信された第一のグループブロードキャスト信号に基づいて確定された該第一の端末装置と該第二の端末装置の間の距離が第二のプリセット距離より大きいことを確定した後に、該第一の端末装置へ第二のリクエストメッセージを送信し、該第二のリクエストメッセージが、該第二のメンバー端末装置が該第一のグループからの脱退をリクエストすることを示すことに用いられることを含む。
【００４８】
第二の態様及びその上記実施形態と組み合わせ、第二の態様の第十二の実施形態では、該方法はさらに、該第二の端末装置が、該第一のグループにおけるメンバー端末装置として機能することを確定した後にプリセット周期に従って該第一の端末装置へハートビート信号を送信することと、該第二の端末装置が受信された第一のグループブロードキャスト信号の信号強度が第二のプリセット強度未満であることを確定した後に該ハートビート信号の送信を停止すること、又は該第二の端末装置が受信された第一のグループブロードキャスト信号に基づいて確定された該第一の端末装置と該第二の端末装置の間の距離が第二のプリセット距離より大きいことを確定した後に該ハートビート信号の送信を停止することを含む。
【００４９】
第二の態様及びその上記実施形態と組み合わせ、第二の態様の第十三の実施形態では、該第二の端末装置が該第一のグループにおける中心端末装置により割り当てされた第一の無線リソースによって装置間通信を行うことは、該第二の端末装置が該第一の無線リソースによって該第一のグループにおける第七の端末装置へ第一のデータを送信することを含む。
【００５０】
第二の態様及びその上記実施形態と組み合わせ、第二の態様の第十四の実施形態では、該第二の端末装置が該第一のグループにおける中心端末装置により割り当てられた第一の無線リソースによって装置間通信を行うことは、該第二の端末装置が該第一の無線リソースによって該第一の端末装置へ第二のデータを送信し、該第二のデータが第八の端末装置に送信される必要があるデータであり、該第八の端末装置が第三のグループに属することを含む。
【００５１】
第二の態様及びその上記実施形態と組み合わせ、第二の態様の第十五の実施形態では、該第二の端末装置が該第一のグループにおける中心端末装置により割り当てられた第一の無線リソースによって装置間通信を行うことは、該第二の端末装置が第一の無線リソースによって該第一の端末装置から送信された第三のデータを受信し、該第三のデータが第三のグループにおける中心端末装置が第四の無線リソースによって該第一の端末装置に送信した第三のデータであり、該第四の無線リソースが該第三のグループにおける中心端末装置によって割り当てられたものであることを含む。
【００５２】
第二の態様及びその上記実施形態と組み合わせ、第二の態様の第十六の実施形態では、該方法はさらに該第二の端末装置が第四の無線リソースによって第三のグループにおける中心端末装置から送信された第三のデータを受信し、該第四の無線リソースが該第三のグループにおける中心端末装置によって割り当てられたものであることを含む。
【００５３】
第二の態様及びその上記実施形態と組み合わせ、第二の態様の第十七の実施形態では、該第二の端末装置が該第一のグループにおける中心端末装置により割り当てられた第一の無線リソースによって装置間通信を行うことは、該第二の端末装置が該第一の無線リソースによって該第一の端末装置へ第四のデータを送信し、該第四のデータがネットワーク装置に送信される必要があるデータであることを含む。
【００５４】
第二の態様及びその上記実施形態と組み合わせ、第二の態様の第十八の実施形態では、該第二の端末装置が該第一のグループにおける中心端末装置により割り当てられた第一の無線リソースによって装置間通信を行うことは、該第二の端末装置が第一の無線リソースによって該第一の端末装置から送信された第五のデータを受信し、第五のデータがネットワーク装置から該第一の端末装置に送信されたものであることを含む。
【００５５】
第二の態様及びその上記実施形態と組み合わせ、第二の態様の第十九の実施形態では、該方法はさらに、該第二の端末装置が該第一の端末装置から送信された第三のリクエストメッセージを受信し、該第三のリクエストメッセージが、該第一の端末装置が該第一のグループにおける中心端末装置の変更をリクエストすることを示すことに用いられることと、該第二の端末装置が該第三のリクエストメッセージに基づき、該第一の端末装置へ第四のリクエストメッセージを送信し、該第四のリクエストメッセージが、該第二の端末装置が該第一のグループにおける中心端末装置として機能することをリクエストすることを示すことに用いられることとを含む。
【００５６】
第三の態様では、装置間通信のための装置が提供され、該装置は、上記第一の態様及び第一の態様の各実施形態を実現するためのユニット又はモジュールを備える。
【００５７】
第四の態様では、装置間通信のための装置が提供され、該装置は、上記第二の態様及び第一の態様の各実施形態を実現するためのユニット又はモジュールを備える。
【００５８】
第五の態様では、コンピュータプログラム製品が提供され、前記コンピュータプログラム製品は、コンピュータプログラムコードを含み、前記コンピュータプログラムコードが端末装置の受信ユニット、処理ユニット、送信ユニット又は受信機、プロセッサ、送信機で実行される場合、前記端末装置が上記第一の態様及びその各実施形態のいずれかの装置間通信のための方法を実行する。
【００５９】
第六の態様では、コンピュータプログラム製品が提供され、前記コンピュータプログラム製品は、コンピュータプログラムコードを含み、前記コンピュータプログラムコードが端末装置の受信ユニット、処理ユニット、送信ユニット又は受信機、プロセッサ、送信機で実行される場合、前記端末装置が上記第二の態様及びその各実施形態のいずれかの装置間通信のための方法を実行する。
【００６０】
第七の態様では、コンピュータ可読記憶媒体が提供され、前記コンピュータ可読記憶媒体はプログラムを記憶し、前記プログラムによりユーザ装置が上記第一の態様及びその各実施形態のいずれかの装置間通信のための方法を実行する。
【００６１】
第八の態様では、コンピュータ可読記憶媒体が提供され、前記コンピュータ可読記憶媒体はプログラムを記憶し、前記プログラムによりユーザ装置が上記第二の態様及びその各実施形態のいずれかの装置間通信のための方法を実行する。
【００６２】
本発明の実施例による装置間通信のための方法及び装置では、少なくとも二つの端末装置がネゴシエーションを行って一つのグループにおける中心端末装置及びメンバー端末装置を確定することにより、該グループにおける中心端末装置によって該グループにおけるメンバー端末装置に装置間通信のための無線リソースを割り当てることができ、これにより、セルラーネットワークの協力がない場合（例えば、従来のＶ２Ｖ通信技術、又は、ネットワーク装置のカバレッジがないＤ２Ｄ通信技術）でも、リソーススケジューリングを実現することができ、これにより、リソース共有によって引き起こされた衝突問題を効果的に回避し、装置間通信の成功率を高め、通信遅延を減らし、装置間通信のキャパシティを拡大し、装置間通信の効率及び信頼性を向上させることができる。
【図面の簡単な説明】
【００６３】
【図１】本発明の実施例による装置間通信のための方法及び装置が適用された通信システムの一例を示す図である。
【図２】本発明の一実施例による装置間通信のための方法を示すフローチャートである。
【図３】本発明の一実施例による中心端末装置の判定プロセスを示す図である。
【図４】本発明の別の実施例による装置間通信のための方法を示すフローチャートである。
【図５】本発明の一実施例による装置間通信のための装置を示すブロック図である。
【図６】本発明の別の実施例による装置間通信のための装置を示すブロック図である。
【図７】本発明の一実施例による装置間通信のための装置を示すブロック図である。
【図８】本発明の別の実施例による装置間通信のための装置を示すブロック図である。
【発明を実施するための形態】
【００６４】
本発明の実施例の技術的解決策をより明確に説明するために、以下に本発明の実施例に必要な図面を簡単に説明し、当然ながら、以下に記載される図面が本発明のいくつかの実施例だけであり、当業者であれば、創造的な労力を要することなく、これらの図面に基づいて他の図面を得ることができる。
【００６５】
以下に本発明の実施例の図面を組み合わせながら、本発明の実施例に係る技術的解決策を明確で、全面的に説明し、明らかに、説明した実施例は本発明の一部の実施例だけであり、全ての実施例ではない。本発明の実施例に基づき、当業者が創造的な労力を要せずに得た他の実施例は、全て本発明の保護範囲に属する。
【００６６】
本明細書で用いられた用語「部材」、「モジュール」、「システム」などは、コンピュータに関連するエンティティ、ハードウェア、ファームウェア、ハードウェアとソフトウェアの組み合わせ、ソフトウェア、又は実行中のソフトウェアを表すことに用いられる。例えば、部材は、プロセッサで実行されるプロセス、プロセッサ、オブジェクト、実行可能ファイル、実行スレッド、プログラム及び／又はコンピュータであってもよいがこれらに限定されない。図示により、コンピューティングデバイスで実行されるアプリケーション及びコンピューティングデバイスは全て部材であってもよい。一つ又は複数の部材はプロセス及び／又は実行スレッド内に留まることができ、部材は一つのコンピュータに配置されてもよく、及び／又は二つ以上のコンピュータ間に分布されてもよい。また、これらの部材は様々なデータ構造を記憶している様々なコンピュータ可読媒体から実行されてもよい。部材は例えば一つ又は複数のデータパケット（例えばローカルシステム、分散システム及び／又はネットワーク間の別の部材とインタラクションを行う二つの部材からのデータ、例えば信号によって他のシステムとインタラクションを行うインターネット）を有する信号に基づいてローカル及び／又はリモートプロセスにより通信することができる。
【００６７】
本発明の各態様又は特徴は方法、装置又は標準プログラミング及び／又はエンジニアリング製品として実現されてもよい。本出願に用いられた用語「製品」はいかなるコンピュータ可読デバイス、キャリア又は媒体からアクセス可能なコンピュータプログラムを含む。例えば、コンピュータ可読媒体は、磁気記憶デバイス（例えばハードディスク、フロッピーディスク又は磁気テープなど）、光ディスク（例えばＣＤ（Ｃｏｍｐａｃｔ  Ｄｉｓｋ：コンパクトディスク）、ＤＶＤ（Ｄｉｇｉｔａｌ  Ｖｅｒｓａｔｉｌｅ  Ｄｉｓｋ：デジタルバーサタイルディスク）など）、スマートカードとフラッシュデバイス（例えばＥＰＲＯＭ（Ｅｒａｓａｂｌｅ  Ｐｒｏｇｒａｍｍａｂｌｅ  Ｒｅａｄ−Ｏｎｌｙ  Ｍｅｍｏｒｙ：消去可能プログラマブル読み取り専用メモリ）、カード、スティック又はキードライブなど）を含むことができるがこれらに限定されない。また、本明細書で説明される様々な記憶媒体は情報を記憶するための一つ又は複数のデバイス及び／又は他の機械可読媒体を表すことができる。用語「機械可読媒体」は、無線チャネルとコマンド及び／又はデータを記憶、含有及び／又は搬送することができる様々な媒体とを含むことができるがこれらに限定されない。
【００６８】
発明の実施例の技術的解決策は、従来のセルラー通信システム、例えばグローバルモバイル通信（英語全称：Ｇｌｏｂａｌ  Ｓｙｓｔｅｍ  ｆｏｒ  Ｍｏｂｉｌｅ  Ｃｏｍｍｕｎｉｃａｔｉｏｎ、英語略称：ＧＳＭ）、広帯域符号分割多元接続（英語全称：Ｗｉｄｅｂａｎｄ  Ｃｏｄｅ  Ｄｉｖｉｓｉｏｎ  Ｍｕｌｔｉｐｌｅ  Ａｃｃｅｓｓ、英語略称：ＷＣＤＭＡ）、長期発展型（英語全称：Ｌｏｎｇ  Ｔｅｒｍ  Ｅｖｏｌｕｔｉｏｎ、英語略称：ＬＴＥ）などのシステムに応用されてもよく、サポートしている通信が主に音声及びデータ通信に用いられる。一般的には、一つの従来の基地局にサポートされる接続の数が限られ、また実現しやすい。
【００６９】
次世代移動通信システムは、従来の通信だけでなく、Ｍ２Ｍ（英語全称：Ｍａｃｈｉｎｅ  ｔｏ  Ｍａｃｈｉｎｅ）通信、又はマシンタイプ通信（英語全称：Ｍａｃｈｉｎｅ  Ｔｙｐｅ  Ｃｏｍｍｕｎｉｃａｔｉｏｎ）通信をサポートする。予測によれば、２０２０年に、ネットワークに接続されるＭＴＣ装置は５００−１０００億に達し、これは現在の接続数をはるかに超える。Ｍ２Ｍ類サービスに対して、そのサービスの種類が大きく異なるため、ネットワークニューズは大きな違いがある。一般的に、以下のいくつかのニューズがある：
確実に伝送するが、遅延に敏感ではないこと、
遅延が低く、高い信頼性で伝送すること。
【００７０】
確実に伝送するが、遅延に敏感ではないというサービスに対して、処理しやすい。しかし、遅延が低く、高い信頼性で伝送するというサービスに対して、伝送する時に遅延が短いだけでなく、且つ信頼できることを要求し、例えばＶ２Ｖ（英語全称：Ｖｅｈｉｃｌｅ  ｔｏ  Ｖｅｈｉｃｌｅ）サービス又はＶ２Ｘ（英語全称：Ｖｅｈｉｃｌｅ  ｔｏ  Ｅｖｅｒｙｔｈｉｎｇ）サービスがある。伝送が信頼できない場合、再度送信して伝送遅延が大き過ぎ、要求を満たすことができない。本発明の実施例の解決策により、伝送の信頼性問題を効果的に解決することができる。
【００７１】
選択可能に、該端末装置はユーザ装置である。
【００７２】
本発明は端末装置と組み合わせて各実施例を説明する。端末装置は、ユーザ装置（ＵＥ：Ｕｓｅｒ  Ｅｑｕｉｐｍｅｎｔ）、移動局、アクセス端末、加入者ユニット、加入者局、移動サイト、遠隔局、遠隔端末、移動装置、ユーザ端末、端末、無線通信装置、ユーザエージェント又はユーザ装置などと呼ばれてもよい。端末装置はＷＬＡＮ（Ｗｉｒｅｌｅｓｓ  Ｌｏｃａｌ  Ａｒｅａ  Ｎｅｔｗｏｒｋｓ：無線ローカルエリアネットワーク）におけるＳＴ（ＳＴＡＩＯＮ、ステーション）であってもよし、セルラー電話、コードレス電話、ＳＩＰ（Ｓｅｓｓｉｏｎ  Ｉｎｉｔｉａｔｉｏｎ  Ｐｒｏｔｏｃｏｌ：セッション開始プロトコル）電話、ＷＬＬ（Ｗｉｒｅｌｅｓｓ  Ｌｏｃａｌ  Ｌｏｏｐ：無線ローカルループ）サイト、ＰＤＡ（Ｐｅｒｓｏｎａ１  Ｄｉｇｉｔａ１  Ａｓｓｉｓｔａｎｔ：パーソナルデジタル処理）、無線通信機能を備えたハンドヘルドデバイス、コンピューティングデバイス又は無線モデムに接続された他の処理装置、車載デバイス、ウェアラブルデバイス及び将来の５Ｇネットワークにおける移動局又は将来の進化したＰＬＭＮネットワークにおける端末装置などであってもよい。
【００７３】
また、本発明の実施例では、端末装置はさらにリレー（Ｒｅｌａｙ）などの、アクセスネットワーク装置（例えば基地局）とデータ通信を行うことができる他の装置をさらに備えることができる。
【００７４】
また、本発明の実施例では、アクセスネットワーク装置は移動局と通信するための装置であってもよく、アクセスネットワーク装置はＷＬＡＮ（Ｗｉｒｅｌｅｓｓ  Ｌｏｃａｌ  Ａｒｅａ  Ｎｅｔｗｏｒｋｓ：無線ローカルエリアネットワーク）におけるＡＰ（ＡＣＣＥＳＳ  ＰＯＩＮＴ：アクセスポイント）、ＧＳＭ又はＣＤＭＡ（Ｃｏｄｅ  Ｄｉｖｉｓｉｏｎ  Ｍｕｌｔｉｐｌｅ  Ａｃｃｅｓｓ：コード分割多重アクセス）におけるＢＴＳ（Ｂａｓｅ  Ｔｒａｎｓｃｅｉｖｅｒ  Ｓｔａｔｉｏｎ：基地局）であってもよいし、ＷＣＤＭＡにおけるＮＢ（ＮｏｄｅＢ：基地局）であってもよいし、ＬＴＥ（Ｌｏｎｇ  Ｔｅｒｍ  Ｅｖｏｌｕｔｉｏｎ：長期発展）におけるｅＮＢ又はｅＮｏｄｅＢ（Ｅｖｏｌｕｔｉｏｎａｌ  Ｎ  ｏｄｅ  Ｂ：発展型基地局）、又は中継局又はアクセスポイント、又は車載デバイス、ウェアラブルデバイス及び将来の５Ｇネットワークにおけるアクセスネットワーク装置又は将来の進化したＰＬＭＮネットワークにおけるアクセスネットワーク装置などであってもよい。
【００７５】
図１は本発明の実施例による装置間通信のための方法及び装置が適用された通信システムを示す図である。図１に示すように、該通信システム１００は少なくとも二つの端末装置、例えば図１の端末装置１１０及び端末装置１２０を備え、端末装置１１０及び端末装置１２０が例えばセルラー電話、スマートフォン、ポータブルコンピュータ、ハンドヘルド通信デバイス、ハンドヘルドコンピューティングデバイス、サテライトラジオデバイス、全地球測位システム、ＰＤＡ及び／又は無線通信システム１００で通信するための任意の他の適切なデバイスであってもよい。
【００７６】
所定の時間において、端末装置１１０及び端末装置１２０は無線通信用送信装置及び／又は無線通信用受信装置であってもよい。データを送信する場合、無線通信用送信装置は、伝送のためにデータを符号化することができる。具体的には、無線通信用送信装置は、チャネルを介して無線通信用受信装置に送信される一定数のデータビットを取得する（例えば生成したり、他の通信装置から受信したり、又はメモリに保存したりするなど）ことができる。このデータビットはデータの伝送ブロック（又は複数の伝送ブロック）に含まれてもよく、伝送ブロックは複数のコードブロックを生成するようにセグメント化されてもよい。
【００７７】
理解すべきものとして、以上に挙げられた通信システム１００が備えた端末装置の数が例示的説明だけであり、本発明はこれに限定されず、通信システム１００が備えた端末装置の数は１より大きい任意の整数であってもよい。
【００７８】
また、該通信システム１００は公衆陸上モバイルネットワーク（英語全称：Ｐｕｂｌｉｃ  Ｌａｎｄ  Ｍｏｂｉｌｅ  Ｎｅｔｗｏｒｋ、英語略称：ＰＬＭＮ）ネットワーク又はＤ２Ｄネットワーク又はＭ２Ｍネットワーク又はＶ２Ｖネットワーク又はＶ２Ｘネットワーク又は他のネットワークであってもよく、図１が一例の簡略化した模式図であり、ネットワークには、他のネットワーク装置が含まれてもよく、図１に示されない。例えば、通信システム１００はさらにアクセスネットワーク装置（図１に示されていない）を備えることができる。
【００７９】
ここで、アクセスネットワーク装置は複数本のアンテナを含む。また、アクセスネットワーク装置は送信機チェーンと受信機チェーンを追加的に含むことができ、それらがいずれも信号送信及び受信と関連する複数の部材（例えばプロセッサ、変調器、マルチプレクサ、復調器、デマルチプレクサ又はアンテナなど）を含むことができることは当業者が理解できる。
【００８０】
アクセスネットワーク装置は複数の端末装置（例えば端末装置１１０及び端末装置１２０）と通信することができる。しかしながら、アクセスネットワーク装置が端末装置１１０又は１２０と同様の任意の数の端末装置と通信することができることは理解可能である。
【００８１】
さらに、アクセスネットワーク装置に複数本のアンテナが配置されてもよく、且つ、例えば、アクセスネットワーク装置は１本のアンテナを介し、順方向リンクに基づいて端末装置１１０へ情報を送信し、逆方向リンクを介して端末装置１１０から情報を受信することができる。さらに、アクセスネットワーク装置は別のアンテナを介し、順方向リンクに基づいて端末装置１２０へ情報を送信し、逆方向リンクを介して端末装置１２０から情報を受信することができる。
【００８２】
例えば、周波数分割複信（ＦＤＤ：Ｆｒｅｑｕｅｎｃｙ  Ｄｉｖｉｓｉｏｎ  Ｄｕｐｌｅｘ）システムでは、同一の端末装置に用いられた順方向リンク及び逆方向リンクに、異なる周波数帯を用いることができる。
【００８３】
また例えば、時分割複信（ＴＤＤ：Ｔｉｍｅ  Ｄｉｖｉｓｉｏｎ  Ｄｕｐｌｅｘ）システムと全二重システムでは、同一の端末装置に用いられた順方向リンク及び逆方向リンクに、同じ周波数帯域を用いることができる。
【００８４】
ここで、アクセスネットワーク装置は、通信するための各アンテナ（又は複数本のアンテナからなるアンテナ群）及び／又はアクセスネットワーク装置のセクタと呼ばれるエリアが設計される。例えば、アンテナ群はアクセスネットワーク装置カバレッジのセクタの端末装置と通信するように設計されてもよい。アクセスネットワーク装置が順方向リンクを介してそれぞれ端末装置と通信する過程では、アクセスネットワーク装置の送信アンテナはビームフォーミングにより順方向リンクの信号対雑音比を向上させることができる。また、アクセスネットワーク装置が１本のアンテナを介してその全ての全ての端末装置へ信号を送信するという方法と比較すると、アクセスネットワーク装置がビームフォーミングにより関連するカバレッジエリアにおけるランダムに分散している端末装置へ信号を送信する場合、隣接するセルの移動装置はより少ない干渉を受ける。
【００８５】
所定の時間において、アクセスネットワーク装置は無線通信用送信装置及び／又は無線通信用受信装置であってもよい。データを送信する場合、無線通信用送信装置は、伝送のためにデータを符号化することができる。具体的には、無線通信用送信装置は、チャネルを介して無線通信用受信装置に送信される一定数のデータビットを取得する（例えば生成したり、他の通信装置から受信したり、又はメモリに保存したりするなど）ことができる。このデータビットはデータの伝送ブロック（又は複数の伝送ブロック）に含まれてもよく、伝送ブロックは複数のコードブロックを生成するようにセグメント化されてもよい。
【００８６】
以下に本発明の実施例における装置間通信に用いられた周波数領域リソースを説明する。
【００８７】
選択可能に、本発明の実施例では、端末装置は、アンライセンススペクトルリソース（又はアンライセンス周波数帯域）を用いて無線通信を行う（例えばアップリンク情報又はダウンリンク情報を伝送する）ことができ、即ち、本発明の実施例における通信システム１００は、アンライセンス周波数帯域を用いることができる通信システムであり、限定ではなく一例として、該通信システム１００はアンライセンス搬送波上の長期発展型システムＬＡＡ−ＬＴＥ（Ｌｉｃｅｎｓｅｄ−Ａｓｓｉｓｔｅｄ  Ａｃｃｅｓｓ  Ｕｓｉｎｇ  ＬＴＥ）技術を用いることができ、又は、該通信システムがアンライセンス周波数帯域に独立して配置されることをサポートするという技術例えばＳｔａｎｄａｌｏｎｅ  ＬＴＥ  ｏｖｅｒ  ｕｎｌｉｃｅｎｓｅｄ  ｓｐｅｃｔｒｕｍを用いることもでき、又は、ＬＴＥ−Ｕ（ＬＴＥ−Ｕ：ＬＴＥ  Ａｄｖａｎｃｅｄ  ｉｎ  Ｕｎｌｉｃｅｎｓｅｄ  Ｓｐｅｃｔｒｕｍｓ）技術を用いることもでき、例えば、通信システム１００はＬＴＥシステムをアンライセンス周波数帯域に独立して配置し、さらにアンライセンス周波数帯域にＬＴＥエアインタフェースプロトコルを用いて通信を完了することができ、該システムはライセンス周波数帯域を含まない。アンライセンス周波数帯域に配置されたＬＴＥシステムは、集中スケジューリング、干渉協調、適応型リクエスト再送（ＨＡＲＱ）などの技術を用いることができ、Ｗｉ−Ｆｉなどのアクセス技術に対して、該技術がより良いロバスト性を有し、より高いスペクトル効率を取得し、より広いカバレッジ及びより良いユーザーエクスペリエンスを提供することができる。
【００８８】
アンライセンススペクトルリソースとはシステムによって割り当てられる必要がないものを意味し、各通信装置はアンライセンススペクトルに含まれるリソースを共有して用いることができる。アンライセンス周波数帯域上のリソース共有とは特定のスペクトラムの使用に対して送信電力、帯域外漏れなどのインジケータ上の制限のみを規定し、該周波数帯域を共同で用いる複数の装置同士が基本的な共存要求を満たすことを保証することを意味し、事業者はアンライセンス周波数帯域リソースを用いてネットワークキャパシティ分流の目的を達成することができるが、アンライセンス周波数帯域リソースに対する異なる地域及び異なるスペクトルの規制要件に従う必要がある。これらの要件は一般的にレーダーなどの公共システムを保護し、及び複数のシステムができるだけ相互に悪い影響を与えないようにし、公平で共存することを保証するために定められ、送信電力制限、帯域外漏れインジケータと屋内及び屋外での使用制限、一部の地域でのいくつかの追加された共存ポリシーなどを含む。例えば、各通信装置は競争方式又はモニタリング方式、例えばリッスンビフォアトーク（ＬＢＴ：Ｌｉｓｔｅｎ−ｂｅｆｏｒｅ−ｔａｌｋ）に定められた方式で用いられたスペクトルリソースを用いることができる。
【００８９】
限定ではなく一例として、本発明の実施例では、該アンライセンススペクトルリソースは５ＧＨｚの付近の約９００ＭＨｚの周波数帯域、２．４ＧＨｚ周波数帯域の付近の約９００ＭＨｚの周波数帯域を含むことができる。
【００９０】
本発明の実施例では、端末装置はさらにライセンススペクトルリソースを用いて通信することができ、即ち、本発明の実施例の通信システム１００はライセンス周波数帯域を用いることができる通信システムである。
【００９１】
ライセンススペクトルリソースは、使用される前に一般的に国家又は地方無線委員会の承認を得る必要があるスペクトルリソースであり、異なるシステム例えばＬＴＥシステムとＷｉＦｉシステム、又は、異なる事業者に含まれるシステムはライセンススペクトルリソースを共有して用いることができない。
【００９２】
また例えば、ＬＴＥシステムでは、搬送波上で複数のセルが同じ周波数で同時に動作することができ、搬送波とセルの概念が同等であるとみなすことができる。例えばＣＡシーンでは、ＵＥに主搬送波、補助搬送波が配置された場合、該搬送波の搬送波インデックスと該搬送波で動作するセルのセル識別子（Ｃｅｌｌ  ＩＤ：Ｃｅｌｌ  Ｉｎｄｅｎｔｉｆｙ）が同時に含まれ、この場合、搬送波とセルの概念が同等であるとみなすことができ、例えば端末装置に対して一つの搬送波へのアクセスと一つのセルへのアクセルが同等である。即ち、本発明の実施例の説明では、「セル」は「搬送波」に置き換えられてもよい。
【００９３】
図２は中心端末装置の観点から説明された本発明の一実施例による装置間通信のための方法２００を示すフローチャートである。
【００９４】
図２に示すように、該方法２００は、
第一の端末装置が第一のグループにおける中心端末装置として機能することを確定し、該第一のグループが該中心端末装置と少なくとも一つのメンバー端末装置を含むＳ２１０と、
該第一の端末装置が第二の端末装置に第一の無線リソースを割り当て、該第二の端末装置が該第一の無線リソースに基づいて装置間通信を行うようにし、該第二の端末装置が該第一のグループにおけるメンバー端末装置に属するＳ２２０とを含む。
【００９５】
本発明の実施例では、複数（少なくとも二つ）の端末装置はネゴシエーションを行って一つのグループを確定し、且つ該グループにおける中心端末装置及びメンバー端末装置を確定することができ、以下に、理解及び説明を容易にするために、一般性を損なわずに、端末装置Ａ（即ち第一の端末装置の一例）と端末装置Ｂ（即ち第二の端末装置又は第三の端末装置の一例）が上記ネゴシエーションを行うプロセスを例として説明する。
【００９６】
図３は本発明の一実施例における中心端末装置の判定プロセスを示す図である。図３に示すように、本発明の実施例では、上記グループ確定プロセスは発見プロセスを含むことができ、即ち、
選択可能に、該方法はさらに、
該第一の端末装置が第一の検出信号を送信し、該第三の端末装置が受信された第一の検出信号の信号強度が第一のプリセット強度以上であることを確定した後に該第二の指示情報を送信するようにし、又は、該第三の端末装置が受信された第一の検出信号に基づいて確定された該第一の端末装置と該第二の端末装置の間の距離が第一のプリセット距離以下であることを確定した後に該第二の指示情報を送信するようにすることを含む。
【００９７】
さらに、選択可能に、該第一の端末装置が第一の指示情報を送信することは、
該第一の端末装置が第二の検出信号を受信し、該第二の検出信号が該第三の端末装置から送信されたものであることと、
該第一の端末装置が受信された第二の検出信号の信号強度が第一のプリセット強度以上であることを確定した後に該第一の指示情報を送信すること、又は
該第一の端末装置が受信された第二の検出信号に基づいて該第一の端末装置と該第三の端末装置の間の距離を確定し、該第一の端末装置と該第三の端末装置の間の距離が第一のプリセット距離以下であることを確定した後に第一の指示情報を送信することとを含む。
【００９８】
具体的には、本発明の実施例では、グループに加入していない端末装置（例えば端末装置Ａと端末装置Ｂ）は、所定の周波数領域リソース（以下に理解及び区分を容易にするために、周波数領域リソース１として記述する）でプリセット周期（以下に理解及び区分を容易にするために、周期Ｔ１として記述する）に従って所定のフォーマットを有する発見信号（検出信号と呼ばれてもよい）を送信することができ、且つ限定ではなく一例として、該発見信号がビーコン信号（ｂｅａｃｏｎ  ｓｉｇｎａｌ）であってもよく、且つグループに加入していない端末装置は、発見信号を送信していない場合、該周波数領域リソース１でグループに加入していない他の端末装置から送信されたビーコン信号、即ち発見信号をモニタリングすることができる。これにより、グループに加入していない端末装置は該発見信号に基づいて互いに発見し、後続のグループ確立プロセス（続いて詳細に説明する）を行うことができる。
【００９９】
選択可能に、本発明の実施例では、上記周期Ｔ１は動的に変化することができ、例えば所定の時間を経過するたびに、所定のステップサイズに従って増減される。
【０１００】
また、本発明の実施例では、周期Ｔ１の変化範囲を定めることができ、即ち周期Ｔ１を所定の範囲内のみに動的に変化させることができる。
【０１０１】
選択可能に、本発明の実施例では、該発見信号は端末装置の位置の指示情報を含むことができ、且つ限定ではなく一例として、本発明の実施例では、各端末装置は例えば全地球測位システム（ＧＰＳ：Ｇｌｏｂａｌ  Ｐｏｓｉｔｉｏｎｉｎｇ  Ｓｙｓｔｅｍ）などの衛星測位システムによって測位を行うことができ、さらに端末装置の位置の指示情報を確定する。
【０１０２】
一般性を損なわずに、端末装置Ａが受信された端末装置Ｂからの発見信号Ｂに基づき、後続のグループ確立プロセスを行うか否かを判定することを例として説明する。
【０１０３】
これにより、端末装置Ａは上記方式によって発見信号（即ち第一の検出信号の一例であり、以下に理解及び区分を容易にするために、発見信号Ａとして記述する）を送信することができ、端末装置Ｂは上記方式によって発見信号（即ち第二の検出信号の一例であり、以下に理解及び区分を容易にするために、発見信号Ｂして記述する）を送信することができる。さらに、端末装置Ａが端末装置Ｂのカバレッジ範囲内である場合、該端末装置Ａは発見信号Ｂを受信することができる。
【０１０４】
選択可能に、端末装置Ａが該発見信号Ｂの信号強度がプリセット電力閾値（以下に理解を容易にするために、Ｐｐｒｏｘｉｍｉｔｙとして記述する）以上であることを確定した場合、端末装置Ａは端末装置Ａと端末Ｂがグループを確立することができることを確定し、後続のグループ確立プロセスを実行することができる。また、選択可能に、端末装置Ａが該発見信号Ｂの信号強度がＰｐｒｏｘｉｍｉｔｙ以上であることを確定した場合、端末装置Ａはさらに発見信号Ｂの信号強度がＰｐｒｏｘｉｍｉｔｙ以上になっている時間長がプリセット時間閾値（以下に理解を容易にするために、Ｔｐｒｏｘｉｍｉｔｙと記述する）を超えるか否かを確定することができ、「はい」と判定した場合、端末装置Ａは、端末装置Ａと端末装置Ｂがグループを確立し、後続のグループ確立プロセスを実行することができる。
【０１０５】
又は、選択可能に、端末装置Ａは該発見信号Ｂに基づき、該端末装置Ａと該端末装置Ｂの間の距離を確定することができる。例えば、発見信号Ｂに端末装置Ｂの位置の指示情報が含まれる場合、端末装置Ａは該指示情報に基づいて端末装置Ｂの位置を確定することができ、且つＧＰＳなどの技術に基づいて端末装置Ａの位置を確定することができ、さらに端末装置Ａは該端末装置Ａと該端末装置Ｂの間の距離を確定することができる。又は、各種の信号強度と各種の距離値とのマッピング関係の確定を実現することにより、端末装置Ａは発見信号Ｂの信号強度に基づき、該マッピング関係から該発見信号Ｂの信号強度に対応する距離値を検索し、該端末装置Ａと該端末装置Ｂの間の距離とすることができる。端末装置Ａが該端末装置Ａと該端末装置Ｂの間の距離がプリセット距離閾値（以下に理解を容易にするために、Ｄｐｒｏｘｉｍｉｔｙと記述する）以下であることを確定した場合、端末装置Ａは端末装置Ａと端末装置Ｂがグループを確立することができることを確定し、後続のグループ確立プロセスを実行することができる。また、選択可能に、端末装置Ａが該端末装置Ａと該端末装置Ｂの間の距離がＤｐｒｏｘｉｍｉｔｙ以下であることを確定した後に、端末装置Ａはさらに端末装置Ａと該端末装置Ｂの間の距離がＤｐｒｏｘｉｍｉｔｙ以下になっている時間がＴｐｒｏｘｉｍｉｔｙを超えるか否かを確定し、「はい」と判定した場合、端末装置Ａは端末装置Ａと端末装置Ｂがグループを確立し、後続のグループ確立プロセスを実行することができる。
【０１０６】
同様に、端末装置Ｂは発見信号Ａに基づき、後続のグループ確立プロセスを実行するか否かを確定することができる。
【０１０７】
上記発見プロセスにより、形成されたグループにおける各メンバー端末装置がいずれも中心端末装置のカバレッジに位置することが可能となり、さらに各メンバー端末装置に対する中心端末装置のスケジューリングを確保することができ、それによって本発明の装置間通信のための方法の信頼性をさらに向上させることができる。
【０１０８】
理解すべきものとして、以上に挙げられたグループ確立プロセスが発見プロセスを含むのは、グループ確立プロセスの一例だけであり、グループ確立プロセスは該発見プロセスを含まなくてもよく、且つ、以上に挙げられた発見プロセスに含まれる具体的なステップは例示的説明だけであり、実際の状況に応じて適切に変更されてもよく、例えば、発見信号を受信した後に後続のグループ確立プロセスを直接行うことができ、時間閾値の関連条件を満たすか否かを判定する必要がない。
【０１０９】
本発明の実施例では、上記グループ確定プロセスは中心端末装置確定プロセスを含むことができ、即ち、
選択可能に、該第一の端末装置が第一のグループにおける中心端末装置として機能することを確定することは、
該第一の端末装置が第一のシーケンスを生成することと、
該第一の端末装置が第一の指示情報を送信し、該第一の指示情報が該第一のシーケンス及び該第一の端末装置の装置情報を示すことに用いられ、一つの装置情報が一つの端末装置を一意に示すことに用いられることと、
該第一の端末装置が少なくとも一つの第二の指示情報を受信し、該少なくとも一つの第二の指示情報が少なくとも一つの第三の端末装置と一対一で対応し、各第二の指示情報が対応する第三の端末装置によって生成された第二のシーケンス及び対応する第三の端末装置の装置情報を示すことに用いられることと、
該第一のシーケンスと該第二のシーケンスとの関係がプリセット条件を満たす場合、該第一の端末装置が第一の端末装置が該第一のグループにおける中心端末装置として機能することを確定することとを含む。
【０１１０】
さらに、選択可能に、該方法はさらに、
該第一のシーケンスと該第二のシーケンスとの関係がプリセット条件を満たす場合、該第一の端末装置が該第三の端末装置が該第一のグループにおけるメンバー端末装置に属することを確定することを含む。
【０１１１】
具体的には、本発明の実施例では、各端末装置（例えば端末装置Ａと端末装置Ｂ）は所定のフォーマットのシーケンスを生成することができ、該「所定のフォーマット」が通信プロトコルによって定められてもよく、
又は、該「所定のフォーマット」が該端末装置を製造する時にメーカーによって各端末装置に予め設定されてもよく、
又は、該「所定のフォーマット」が電気通信事業者によって各端末装置に送信されてもよく、
又は、該「所定のフォーマット」がユーザによって端末装置に入力されてもよく、
又は、該「所定のフォーマット」が、端末装置によって受信された、他（一つ又は複数）の端末から送信されたビーコン信号のフォーマットによって定められてもよく、例えば一つのビーコン信号のフォーマットが一つのシーケンスのフォーマットに対応する。説明すべきものとして、端末装置によって受信された、他の複数の端末装置から送信されたビーコン信号のフォーマットが異なる場合、端末装置は、最大数の端末装置に用いられたビーコンフォーマットに基づいて該「所定のフォーマット」を確定することができる。
【０１１２】
理解すべきものとして、以上に挙げられた所定のフォーマットの確定プロセスが例示的説明だけであり、本発明は特に限定されず、各端末装置によって生成されたシーケンスのフォーマットが対応し合うのであれば良く、それによって、後述するプリセット条件を満たすか否かを判定するために、各シーケンスを比較することができる。
【０１１３】
限定ではなく一例として、該シーケンスは該「所定のフォーマット」に定められた仕様（例えば２進数、８進数、１０進数又は１６進数など）の文字列であってもよく、
又は、該シーケンスが該「所定のフォーマット」に定められた値範囲内の乱数であってもよく、
又は、該シーケンスは該「所定のフォーマット」に定められた、端末装置内に予め設定された該端末装置の固有識別子（例えば装置情報、携帯電話番号など）自体、又は、該固有識別子に対応する値であってもよい。
【０１１４】
さらに、以上に挙げられた所定のフォーマットの具体的な形態が例示的説明だけであり、本発明は特に限定されず、各端末装置が各シーケンスを比較して後述するプリセット条件を満たすか否かを判定することが可能なものであればよい。
【０１１５】
選択可能に、該第一の端末装置が第一のシーケンスを生成することは、
該第一の端末装置が該第一の端末装置の装置情報に基づいて第一のシーケンスを生成することを含む。
【０１１６】
具体的には、端末装置の装置情報がユニーク的であるため、本発明の実施例では、端末装置の装置情報に基づいて該端末装置のシーケンスを生成することができる。
【０１１７】
限定ではなく一例として、該端末装置の装置情報の文字列又は値を該端末装置のシーケンスとすることができる。
【０１１８】
本発明の実施例では、端末装置の装置情報は端末装置の装置識別子（例えば携帯電話番号など）であってもよく、又は、端末装置の装置情報は端末装置の装置識別子に基づいて確定された値又は文字列であってもよく、例えば、端末装置の装置識別子を用いて暗号化処理などを行い、端末装置の装置情報を生成することができる。以下に、同じ又は類似の状況につての説明を省略する。
【０１１９】
理解すべきものとして、以上に挙げられた端末装置が装置情報に基づいてシーケンスを確定するプロセスは例示的説明だけであり、本発明はこれに限定されず、例えば、端末装置は装置情報（又は装置情報に対応する値）を所定の数学モデル（例えば式）に代入して計算し、計算結果を該端末装置によって生成されたシーケンスとすることができる。
【０１２０】
その後、端末装置（例えば、端末装置Ａと端末装置Ｂ）は生成されたシーケンス及び該端末装置の装置情報（端末装置の装置識別子、又は端末装置の装置識別子に対応する値）を他の端末装置が受信して識別することができるメッセージ（以下に理解及び説明を容易にするために、ＭＳＧ（Ｍｅｓｓａｇｅ）＃１として記述する）にカプセル化することができ、限定ではなく例として、該ＭＳＧ＃１がブロードキャストメッセージであってもよく、即ち、該一つの端末装置の信号カバレッジ内の全ての他の端末装置はいずれも該端末装置から送信されたＭＳＧ＃１を受信することができる。これにより、該他の端末装置は該ＭＳＧ＃１に含まれる装置情報（端末装置の装置識別子、又は端末装置の装置識別子に対応する値）に基づき、該ＭＳＧ＃１を送信する端末装置（即ち該装置情報に示される端末装置）を確定することができる。
【０１２１】
理解すべきものとして、以下に挙げられた「端末装置の装置情報」であるパラメータは例示的説明だけであり、本発明は特に限定されず、端末装置があるブロードキャストメッセージを送信する端末装置を識別することを可能にする他のパラメータ又は情報などはいずれも本発明の「端末装置の装置情報」の保護範囲に含まれ、以下に同じ又は類似の状況につての説明を省略する。
【０１２２】
また、限定ではなく一例として、上記ＭＳＧ＃１は、端末装置がシーケンス（又はシーケンスと装置情報）に基づいて特定のメッセージヘッダー（又は操作コード「ＯＰ−Ｃｏｄｅ」）と巡回冗長検査コード（ＣＲＣ：Ｃｙｃｌｉｃ  Ｒｅｄｕｎｄａｎｃｙ  Ｃｏｄｅ）などを追加して構成するものであってもよい。
【０１２３】
その後、各端末装置は所定の周波数領域リソース（以下に理解及び区分を容易にするために、周波数領域リソース２として記述する）で、上記のように生成されたＭＳＧ#１を送信することができる。説明すべきものとして、該周波数領域リソース２は上記周波数領域リソース１と同じであってもよく、異なってもよく、本発明は特に限定されず、以下に同じ又は類似の状況についての説明を省略する。
【０１２４】
さらに、限定ではなく一例として、一回のグループ確立プロセスにおいて一つの端末装置が初めてＭＳＧ＃１を送信する場合、ブロードキャスト−比較カウンターの値を「１」に設定することができる。
【０１２５】
これにより、端末装置Ａは上記方式によってシーケンスＡ（即ち第一のシーケンスの一例）を生成することができる。さらに、端末装置Ａは該シーケンスＡ及び該端末装置Ａを一意に示すことができる装置情報（以下に理解及び区分を容易にするために、装置情報Ａとして記述する）を含むＭＳＧ＃１を生成して送信することができ、以下に理解及び区分を容易にするために、ＭＳＧ＃１Ａ（即ち第一の指示情報の一例）として記述する。
【０１２６】
同様に、端末装置Ｂは上記方式によってシーケンスＢ（即ち第二のシーケンスの一例）を生成することができる。さらに、端末装置Ｂは該シーケンスＢ及び該端末装置Ｂを一意に示すことができる装置情報（以下に理解及び区分を容易にするために、装置情報Ｂとして記述する）を含むＭＳＧ＃１を生成して送信することができ、以下に理解及び区分を容易にするために、ＭＳＧ＃１Ｂ（即ち第二の指示情報の一例）として記述する。
【０１２７】
一般性を損なわずに、端末装置Ａが生成されたシーケンスＡ及び受信された端末装置ＢからのＭＳＧ＃１Ｂに含まれるシーケンスＢとの関係に基づいてグループにおける中心端末装置を確定するプロセスを例として、中心装置の確定プロセスを詳細に説明する。
【０１２８】
即ち、端末装置ＡはシーケンスＡとシーケンスＢを比較し、シーケンスＡとシーケンスＢとの関係がプリセット条件を満たすか否かを判定し、判定結果に基づき、該端末装置Ａと該端末装置Ｂを含むグループ（以下に理解及び区分を容易にするために、グループ＃１として記述する）における中心端末装置を確定することができる。
【０１２９】
限定ではなく一例として、該「プリセット条件」は、端末装置が生成されたシーケンスと受信されたシーケンスのうちの対応する値が最も大きいシーケンスが属する端末装置をグループにおける中心端末装置とすることであってもよい。
【０１３０】
又は、該「プリセット条件」は、端末装置が生成されたシーケンスと受信されたシーケンスのうちの対応する値が最も小さいシーケンスが属する端末装置をグループにおける中心端末装置とすることであってもよい。
【０１３１】
又は、該「プリセット条件」は、端末装置が生成されたシーケンスと受信されたシーケンスをプリセットルールに従って（例えば、値の降順又は昇順に従って）ソートし、所定の位置（例えば１番目又は最後）に位置するシーケンスが属する端末装置をグループにおける中心端末装置とすることであってもよい。
【０１３２】
また、限定ではなく一例として、各端末は各シーケンスのうちの「プリセット条件」を満たすシーケンス以外の各シーケンスが属する端末装置をグループにおけるメンバー端末装置とすることができる。
【０１３３】
本発明の実施例では、該「プリセット条件」は通信プロトコルによって定められてもよい。
【０１３４】
又は、該「プリセット条件」は該端末装置を製造する時にメーカーによって各端末装置に予め設定されてもよく、
又は、該「プリセット条件」が電気通信事業者によって各端末装置に送信されてもよく、
又は、該「プリセット条件」がユーザによって端末装置に入力されてもよく、
理解すべきものとして、以上に挙げられたプリセット条件の確定プロセスが例示的説明だけであり、本発明は特に限定されず、且つ各端末装置に用いられるプリセットルールは同じであってもよく、異なってもよく、本発明は特に限定されず、該端末装置が同じ複数のシーケンスに基づいて同じ中心端末装置を確定することを可能にするものであればよい。
【０１３５】
選択可能に、本発明の実施例では、一つの端末装置は、生成されたシーケンスが上記プリセット条件を満たすことを確定した後に、該端末装置がグループにおける中心端末装置として機能することを直接確定することができ、且つ、選択可能に、受信されたシーケンスが属する端末装置をグループにおけるメンバー装置とすることができる。
【０１３６】
又は、本発明の実施例では、各端末装置は、生成されたシーケンスが上記プリセット条件を満たすことを確定した後に、さらに他の端末装置とネゴシエーションを行うことができ、即ち、
選択可能に、ＭＳＧ＃１に装置識別子（例えば、装置情報が該装置識別子に基づいて生成された値である）が含まれていない場合、各端末装置はネゴシエーションを行い、各装置情報に示された端末装置を確定することができる。これにより、後続の通信プロセスでは、該装置情報に基づいてメッセージを送信する端末装置を確定することができ、無線通信の信頼性をさらに向上させることができる。
【０１３７】
さらに、選択可能に、該第一の端末装置が第一の端末装置が該第一のグループにおける中心端末装置として機能することを確定する前に、該方法はさらに、
該第一のシーケンスと該第二のシーケンスとの関係がプリセット条件を満たす場合、該第一の端末装置が第三の指示情報を送信し、該第三の指示情報が、該第一の端末装置が中心端末装置として機能することをリクエストすることを示すことに用いられることを含む。
【０１３８】
具体的には、一つの端末装置（例えば第一の端末装置）が生成されたシーケンスと受信された各シーケンスとの関係がプリセット条件（例えば、生成されたシーケンスの値が受信された各シーケンスの値より大きい）を満たすことを確定した後に、該第一の端末装置は、一つのグループ（即ち、第一の端末装置によって比較された各シーケンスが属する端末装置が構成したグループ、例えば上記グループ＃１）における中心端末装置として機能することをリクエストするためのメッセージ（即ち第三の指示情報の一例であり、以下に理解及び説明を容易にするために、ＭＳＧ＃２として記述する）を送信することができる。
【０１３９】
限定ではなく一例として、該ＭＳＧ＃２がブロードキャストメッセージであってもよく、即ち、該一つの端末装置の信号カバレッジ内の全ての他の端末装置（第三の端末装置を含む）はいずれもＭＳＧ＃２を受信することができる。
【０１４０】
また、選択可能に、本発明の実施例では、該ＭＳＧ＃２はそれを送信する端末装置（例えば第一の端末装置）の装置情報を含むことができ、これにより、該他の端末装置（例えば第三の端末装置）は該ＭＳＧ＃２に含まれる装置情報に基づき、該ＭＳＧ＃２を送信する端末装置を確定することができる。
【０１４１】
又は、選択可能に、本発明の実施例では、該ＭＳＧ＃２はそれを送信する端末装置（例えば第一の端末装置）によって生成されたシーケンスを含むことができ、これにより、該他の端末装置（例えば第三の端末装置）は該ＭＳＧ＃２に含まれるシーケンスに基づき、且つ受信されたＭＳＧ＃１のうちの装置情報とシーケンスとの対応関係に応じて、該ＭＳＧ＃２を送信する端末装置を確定することができる。
【０１４２】
その後、端末装置（例えば第一の端末装置）は、所定の周波数領域リソース（以下に理解及び区分を容易にするために、周波数領域リソース３として記述する）で、上記のように生成されたＭＳＧ#２を送信することができる。説明すべきものとして、該周波数領域リソース３は周波数領域リソース１と同じであってもよく、異なってもよく、本発明は特に限定されず、以下に、繰り返し説明を回避するために、同じ又は類似の状況についての説明を省略する。
【０１４３】
その後、端末装置（例えば第一の端末装置）は、該ＭＳＧ＃２に対する他の端末装置の応答状況を確定し、応答状況に応じてグループにおける中心端末装置の後続処理を確定することができる。
【０１４４】
限定ではなく一例として、該ＭＳＧ＃２の応答状況は以下の状況を含むことができる。
【０１４５】
状況Ａ：他の端末装置（例えば第三の端末装置又は第二の端末装置）が該第一の端末装置がグループにおける中心端末装置として機能することを同意するという応答を受信した。
【０１４６】
状況Ｂ：所定の期間（即ちプリセット期間Ｔ）内に、端末装置（例えば第三の端末装置又は第二の端末装置）が該第一の端末装置がグループにおける中心端末装置として機能することを同意しないという応答を受信した。
【０１４７】
状況Ｃ：所定の期間（即ちプリセット期間Ｔ）内に、端末装置（例えば第三の端末装置又は第二の端末装置）が該第一の端末装置がグループにおける中心端末装置として機能することを同意しないという応答が受信されていない。
【０１４８】
以下に、理解及び説明を容易にするために、端末装置Ａと端末装置Ｂが上記シーケンスＡ及びシーケンスＢに基づき、上記プリセット条件に応じて、端末Ａがグループ＃１における中心端末装置として機能することを確定するケースを例とし、上記状況での処理プロセスを詳細に説明する。
【０１４９】
状況Ａ
該第一の端末装置が第一の端末装置が該第一のグループにおける中心端末装置として機能することを確定することは、
第一の端末装置が第四の指示情報を受信し、該第四の指示情報が、該第三の端末装置が第一の端末装置が該第一のグループにおける中心端末装置として機能することを同意することを示すことに用いられ、該第四の指示情報が、該第三の端末装置が該第一のシーケンスと該第二のシーケンスとの関係が該プリセット条件を満たしていることを確定した時に送信したものであることと、
第一の端末装置が該第四の指示情報に基づき、第一の端末装置が該第一のグループにおける中心端末装置であることを確定し、且つ該第三の端末が該メンバー端末装置に属することを確定することとを含む。
【０１５０】
具体的には、端末装置Ａ（即ち第一の端末装置の一例）はシーケンスＡとシーケンスＢとの関係がプリセット条件を満たすことを確定した後に、上記方式によってＭＳＧ＃２（以下に理解及び区分を容易にするために、ＭＳＧ＃２Ａとして記述する）を生成して送信することができる。
【０１５１】
端末装置Ｂ（即ち第二の端末装置又は第三の端末装置の一例）は、シーケンスＡとシーケンスＢとの関係がプリセット条件を満たすことを確定した後に、該ＭＳＧ＃２Ａを受信し、且つ、例えばＭＳＧ＃１Ａに含まれる装置情報（又はシーケンス）及び該ＭＳＧ＃２Ａに含まれる装置情報（シーケンス）が同一の端末装置（即ち端末装置Ａ）に対応する場合、端末装置Ｂは該ＭＳＧ＃２Ａに対する確認（ＡＣＫ）メッセージ（即ち第四の指示情報の一例）を生成して所定の周波数領域リソース（以下に理解及び区分を容易にするために、周波数領域リソース４として記述する）で送信することができ、該ＡＣＫメッセージが、ＭＳＧ＃２Ａを送信する端末装置（即ち端末装置Ａ）がグループ＃１における中心端末装置として機能することを同意することを示すための確認情報を含むことができる。
【０１５２】
限定ではなく一例として、該ＡＣＫメッセージはブロードキャストメッセージであってもよく、即ち、該端末装置Ｂ（即ち第二の端末装置又は第三の端末装置の一例）の信号カバレッジ内の全ての他の端末装置（端末装置Ａを含む）はいずれも該ＡＣＫメッセージを受信することができる。
【０１５３】
また、選択可能に、本発明の実施例では、該ＡＣＫメッセージが該端末装置Ｂ（即ち第二の端末装置又は第三の端末装置の一例）の装置情報を含むことができ、これにより、端末装置Ａは該ＡＣＫメッセージに含まれる装置情報に基づき、該ＡＣＫメッセージを送信する端末装置Ｂを確定することができ、且つ、端末装置Ａは端末装置Ｂがグループ＃１におけるメンバー端末装置として機能してもよいことを確定することができる。
【０１５４】
又は、選択可能に、本発明の実施例では、該ＡＣＫメッセージが該端末装置Ｂ（即ち第二の端末装置又は第三の端末装置の一例）の生成されたシーケンス（即ちシーケンスＢ）を含むことができ、これにより、端末装置Ａは、該ＡＣＫメッセージに含まれるシーケンスＢに基づき、ＭＳＧ＃２Ｂに含まれるシーケンスＢと端末装置Ｂの装置情報との対応関係に応じて、該ＡＣＫメッセージを送信する端末装置Ｂを確定することができ、且つ、端末装置Ａは端末装置Ｂがグループ＃１におけるメンバー端末装置として機能してもよいことを確定することができる。
【０１５５】
選択可能に、該第四の指示情報はさらに該第一のシーケンスを示すことに用いられる。
【０１５６】
具体的には、本発明の実施例では、該ＡＣＫメッセージが該端末装置Ａの生成されたシーケンス（即ちシーケンスＡ）を含むことができ、これにより、端末装置Ａは該ＡＣＫメッセージに含まれるシーケンスＡに基づき、該ＡＣＫメッセージがＭＳＧ＃２Ａに対する応答であることを確定することができる。
【０１５７】
これにより、本発明の装置間通信のための方法の信頼性をさらに向上することができる。
【０１５８】
理解すべきものとして、以上に挙げられた、シーケンスＡとシーケンスＢとの関係がプリセット条件を満たすことを確定した後のＭＳＧ＃２Ａに対する端末装置Ｂの応答方式が例示的説明だけであり、本発明はこれに限定されず、例えば、端末装置Ｂはいかなる応答メッセージを送信しなくてもよく、この場合、端末装置Ａは、プリセット期間Ｔ内にいかなる応答メッセージ（ＡＣＫ応答メッセージ及びＮＡＣＫ応答メッセージを含む）が受信されていない場合、端末装置Ａは、端末装置Ｂが該端末装置Ａがグループ＃１における中心端末装置として機能することを同意することを確定することができる。
【０１５９】
状況Ｂ
該第一の端末装置が第一の端末装置が該第一のグループにおける中心端末装置として機能することを確定する前に、該方法はさらに、
該第一の端末装置が第三の指示情報を送信した後のプリセット期間Ｔ内に第五の指示情報を受信したことを確定した場合に、該第一の指示情報を再度送信し、該第五の指示情報が、該第三の端末装置が第一の端末装置が該第一のグループにおける中心端末装置として機能することを同意しないことを示すことに用いられることを含む。
【０１６０】
具体的には、端末装置Ａは、シーケンスＡとシーケンスＢとの関係がプリセット条件を満たすことを確定した後に、上記方式によってＭＳＧ＃２Ａを生成して送信することができる。
【０１６１】
端末装置Ｂが該ＭＳＧ＃１Ａを正確に受信することができず（例えば、端末装置Ｂによって受信されたＭＳＧ＃１Ａが不完全であり、又はＣＲＣチェックに失敗した）、そしてシーケンスＡとシーケンスＢとの関係がプリセット条件を満たすか否かを確定できない場合、該ＭＳＧ＃２Ａに対する非確認（ＮＡＣＫ）メッセージ（即ち第五の指示情報の一例）を生成して送信することができ、該ＮＡＣＫメッセージが、ＭＳＧ＃２Ａを送信する端末装置（即ち，端末装置Ａ）がグループ＃１における中心端末装置として機能することを同意しないことを示すための非確認情報を含むことができる。
【０１６２】
限定ではなく一例として、該ＮＡＣＫメッセージはブロードキャストメッセージであってもよく、即ち、該端末装置Ｂ（即ち第二の端末装置又は第三の端末装置の一例）の信号カバレッジ内の全ての他の端末装置（端末装置Ａを含む）はいずれも該ＮＡＣＫメッセージを受信することができる。
【０１６３】
また、選択可能に、本発明の実施例では、該ＮＡＣＫメッセージが該端末装置Ｂ（即ち第二の端末装置又は第三の端末装置の一例）の装置情報又はシーケンスＢを含むことができ、これにより、端末装置Ａは該ＮＡＣＫメッセージに含まれる装置情報又はシーケンスＢに基づき、該ＮＡＣＫメッセージを送信する端末装置Ｂを確定することができる。
【０１６４】
選択可能に、該第五の指示情報はさらに該第一のシーケンスを示すことに用いられる。
【０１６５】
具体的には、本発明の実施例では、該ＮＡＣＫメッセージが該端末装置Ａの生成されたシーケンス（即ちシーケンスＡ）を含むことができ、これにより、端末装置Ａは該ＮＡＣＫメッセージに含まれるシーケンスＡに基づき、該ＮＡＣＫメッセージがＭＳＧ＃２Ａに対する応答であることを確定することができる。
【０１６６】
本発明の実施例では、端末装置ＡはさらにＮＡＣＫメッセージを受信した時点を確定し、該時点が端末装置がＭＳＧ＃２Ａを送信した後の所定期間Ｔ内にある場合、端末装置Ａはグループ＃１における中心端末装置として機能しないことを確定し、且つ端末装置Ｂがグループ＃１におけるメンバー端末装置として機能しないことを確定することができる。
【０１６７】
説明すべきものとして、本発明の実施例では、該「プリセット期間Ｔ」は通信プロトコルによって定められてもよく、
又は、該「プリセット期間Ｔ」は該端末装置を製造する時にメーカーによって各端末装置に予め設定されてもよく、
又は、該「プリセット期間Ｔ」が電気通信事業者によって各端末装置に送信されてもよく、
又は、該「プリセット期間Ｔ」がユーザによって端末装置に入力されてもよい。
【０１６８】
その後、端末装置Ａは該ＭＳＧ＃１Ａを再度送信することができる。
【０１６９】
選択可能に、該第五の指示情報は該第三の端末装置が該第一の指示情報の受信エラーを確定した後に送信したものであり、及び
該第五の指示情報はさらに該第一の指示情報のうちの受信エラーになる部分を示すことに用いられる。
【０１７０】
具体的には、該ＮＡＣＫメッセージはさらに該端末装置Ｂによって受信されたＭＳＧ＃１Ａのうちの受信エラーになる部分を含むことができ、且つ、限定ではなく一例として、該受信エラーになる部分が端末装置Ｂが例えばＣＲＣに基づいて確定した、チェックに失敗した内容であってもよく、又は、この該受信エラーになる部分がＭＳＧ＃１Ａに欠落した内容に対応するビットであってもよい。
【０１７１】
これにより、端末装置Ａは該ＮＡＣＫメッセージに基づき、ＭＳＧ＃１Ａのうちの該受信エラーになる部分に対応する部分を再度送信することができ、それによってリソースのオーバーヘッドを削減できる。
【０１７２】
説明すべきものとして、本発明の実施例では、端末装置ＢがＭＳＧ＃１Ａを複数回正確に受信することができないため、ＮＡＣＫメッセージを複数回送信する必要がある場合があるかもしれなく、これに対応して、端末装置ＡはＭＳＧ＃１Ａ（ＭＳＧ＃１Ａの全てのビットであってもよく、またＭＳＧ＃１Ａの一部のビットであってもよい）を複数回再送信する可能性がある。この場合、端末装置Ａは、ＭＳＧ＃１Ａを再度送信するたびに、ブロードキャスト−比較カウンターに１をインクリメントすることができ、且つ、ブロードキャスト−比較カウンターの値がプリセット閾値「Ｎ」に達した場合、端末Ａは今回のグループ確立プロセスが失敗したと見なす。選択可能に、端末装置Ａは発見信号を再度送信することができる。
【０１７３】
これに対応して、端末装置ＢがＮＡＣＫメッセージを送信した後の所定の期間（以下に理解及び区分を容易にするために、期間Ｔ２として記述する）内に端末装置Ａから再度送信されたＭＳＧ＃１Ａを正確に受信した場合、端末装置ＢはＭＳＧ＃１Ｂを再度送信し、シーケンスＡとシーケンスＢに対する比較プロセスを再度実行する。
【０１７４】
端末Ｂが期間Ｔ２内に端末装置Ａから再度送信されたＭＳＧ＃１Ａが受信されていない場合、端末装置Ｂは今回のグループ確立プロセスが失敗したことを確定することができる。選択可能に、端末装置Ｂは発見信号を再度送信することができる。
【０１７５】
状況Ｃ
選択可能に、該第一の端末装置が第一の端末装置が該第一のグループにおける中心端末装置として機能することを確定することは、
該第一の端末装置が、該第三の指示情報を送信した後のプリセット期間Ｔ内に第五の指示情報が受信されていないことを確定した場合、第一の端末装置が該第一のグループにおける中心端末装置であることを確定し、且つ該第三の端末装置が該メンバー端末装置に属することを確定し、該第五の指示情報が、該第三の端末装置が該第一の端末装置が該第一のグループにおける中心端末装置として機能することを同意しないことを示すことに用いられることを含む。
【０１７６】
具体的には、端末装置ＡはＭＳ＃２Ａを送信した後にタイマーを起動することができ、且つ、該タイマーが満了した時点は上記プリセット期間Ｔの終了時点と同じであってもよく、且つ、タイマーが満了する前に端末装置Ａが他の端末装置（例えば端末装置Ｂ）から送信されたＮＡＣＫメッセージが受信されていない場合、又は、端末装置Ａが上記プリセット期間Ｔ内にＮＡＣＫメッセージが受信されていない場合、端末装置Ａは、他の端末装置（例えば端末装置Ｂ）が端末装置Ａがグループ＃１における中心端末装置として機能することを同意することをデフォルト的に見なし、該他の端末装置（例えば端末装置Ｂ）をグループ＃１におけるメンバー端末装置とすることができる。
【０１７７】
選択可能に、該方法はさらに、
該第一の端末装置が該プリセット期間Ｔの後に該第五の指示情報を受信した場合、該第三の端末装置が該第一のグループに属しないことを確定することを含む。
【０１７８】
具体的には、端末装置Ａがタイマーが満了した後に他の端末装置（例えば端末装置Ｂ）から送信されたＮＡＣＫメッセージを受信した場合、又は、端末装置Ａが上記プリセット期間Ｔの後にＮＡＣＫメッセージを受信した場合、端末装置Ａは依然としてグループ＃１における中心端末装置として機能することを確定し、且つ該ＮＡＣＫメッセージを送信した端末装置（例えば端末装置Ｂ）がグループ＃１におけるメンバー端末装置として機能しないことを確定することができ、例えば該端末装置Ｂをグループ＃１におけるグループメンバーリストから削除することができる。
【０１７９】
理解すべきものとして、以上に挙げられた、中心端末装置及びメンバー端末装置を確定するプロセスは例示的説明だけであり、本発明はこれに限定されない。
【０１８０】
例えば、端末装置Ｂと端末装置Ａがいずれも相手側から送信されたＭＳＧ＃１を正確に受信していない場合、端末装置ＢがＮＡＣＫメッセージを送信した場合、端末装置Ｂと端末装置ＡはいずれもＭＳＧ＃１を再度送信することができ、再度して比較した結果が端末装置Ｂが中心端末装置として機能することである（即ち、再度受信されたシーケンスＢとシーケンスＡとの関係が端末装置Ｂが中心端末装置として機能することを示す）場合、端末装置Ｂは、上記のように、端末ＡがシーケンスＡとシーケンスＢとの関係に基づいて端末装置Ａが中心端末装置として機能することを確定する時に実行する後続プロセスを実行することができ、ここで、繰り返し説明を回避するために、その詳細な説明を省略する。
【０１８１】
また例えば、ＡＣＫメッセージ又はＮＡＣＫメッセージを送信しない端末装置（以下に理解及び区分を容易にするために、端末装置Ｃとして記述する）に対して、グループ＃１におけるメンバー端末装置として機能しない。且つ、該端末装置Ｃは発見信号を再度送信及びモニタリングすることができる。
【０１８２】
また例えば、端末装置Ａが端末装置Ｃから送信されたＡＣＫメッセージ又はＮＡＣＫメッセージが受信されていない場合、端末装置Ａは該端末装置Ｃがグループ＃１におけるメンバー端末装置として機能しないことを確定することができる。且つ、該端末装置Ｃは発見信号を再度送信及びモニタリングすることができる。
【０１８３】
以下に本発明の実施例における中心端末装置の機能を詳細に説明する。
【０１８４】
理解及び説明を容易にするために、以下に端末装置Ａがグループ＃１における中心端末装置として機能し、端末装置Ｂがグループ＃１におけるメンバー端末装置に属することを例とし、中心端末装置の機能を詳細に説明する。
【０１８５】
限定ではなく一例として、本発明の実施例では、中心端末装置は以下の機能を有することができる。
【０１８６】
１．グループ識別子をメンテナンス及びブロードキャストする
即ち、選択可能に、該方法はさらに、
第一の端末装置が該第一のグループのグループ識別子を確定し、その中、一つのグループ識別子が一つの装置グループを一意に示すことに用いられることと、
該第一の端末装置が第一のグループブロードキャスト信号を周期的に送信し、該第一のグループブロードキャスト信号に該第一のグループのグループ識別子及び該第一の端末装置の装置情報が含まれることとを含む。
【０１８７】
具体的には、端末装置Ａ（即ち第一の端末装置の一例）は、該グループ＃１を示すためのグループ識別子（以下に理解及び区分を容易にするために、グループＩＤ＃１と記述する）を生成することができる。
【０１８８】
本発明の実施例では、グループ識別子は特定フォーマットを有することができ、即ち、通信システムにおける端末装置は該特定のフォーマットを有する情報をグループ識別子とすることができる。該グループ識別子のフォーマットは通信プロトコルによって定められてもよく、又は、該端末装置を製造する時にメーカーによって各端末装置内に予め設定されてもよく、又は、電気通信事業者によって各端末装置に送信されてもよく、又は、ユーザによって端末装置に入力されてもよく、各端末装置がグループ識別子を識別することを可能にするものであればよく、本発明はグループ識別子のフォーマットを限定しない。
【０１８９】
限定ではなく一例として、例えば、端末装置Ａは、通信プロトコルに基づく規定などで取得された複数の識別子（又は、シーケンス又は乱数）から一つの識別子をグループ識別子ＩＤ＃１としてランダムに選択することができる。理解すべきものとして、以上に挙げられた、グループ識別子の生成方法は例示的説明だけであり、本発明は特に限定されず、例えば端末装置Ａは該端末装置Ａの装置情報に基づき、該グループＩＤ＃１を確定することができ、例えば、端末装置Ａは装置情報（又は、装置情報に対応する値）を所定の数学モデル（例えば式）に代入して計算し、計算結果をグループＩＤ＃１とすることができる。
【０１９０】
その後、端末装置Ａは該グループＩＤ＃１を含むブロードキャスト信号（即ち、第一のグループブロードキャスト信号の一例であり、以下に理解及び区分を容易にするために、ブロードキャスト信号＃１として記述する）を送信することができ、且つ、該ブロードキャスト信号＃１が該端末装置Ａの装置情報を含むことができる。
【０１９１】
これにより、端末装置Ａと上記ネゴシエーションプロセスを実行する該端末装置（例えば端末装置Ｂ）は、ブロードキャスト信号＃１に含まれる端末装置Ａの装置情報に基づき、該ブロードキャスト信号＃１に含まれるグループＩＤ＃１を確定し、メンバー端末装置が該端末装置Ａであるグループ（即ちグループ＃１）のグループ識別子とすることができる。
【０１９２】
理解すべきものとして、以上に挙げられた、ブロードキャスト信号＃１に端末装置Ａの装置情報を含ませる解決策は例示的説明だけであり、本発明はこれに限定されず、例えば、端末装置Ａは、ブロードキャスト信号＃１を送信する先頭のＫ回（例えば第一回）のみ、ブロードキャスト信号＃１に端末装置Ａの装置情報を含ませ、且つその後に送信されるブロードキャスト信号＃１に端末装置Ａの装置情報を含ませず、グループＩＤ＃１のみを含ませることができる。
【０１９３】
これにより、グループ＃１におけるメンバー端末装置は、上記の周期的に送信されたブロードキャスト信号＃１に基づき、グループ＃１の存在を確定することができる。
【０１９４】
選択可能に、該方法はさらに、
第一の端末装置が少なくとも一つの第二のグループブロードキャスト信号を検出し、該少なくとも一つの第二のグループブロードキャスト信号が少なくとも一つの第二のグループと一対一で対応し、各第二のグループブロードキャスト信号が対応する第二のグループにおける中心端末装置によって周期的に送信されたものであり、各第二のグループブロードキャスト信号に、対応する第二のグループのグループ識別子及び対応する第二のグループにおける中心端末装置の装置情報が含まれることと、
該第一の端末装置が、該第二のグループのグループ識別子が該第一のグループのグループ識別子と同じであることを確定した場合に、該第一のグループのグループ識別子を変更することと、又は
該第一の端末装置が、該第二のグループのグループ識別子が該第一のグループのグループ識別子と同じであることを確定した場合に、第九の指示情報を送信し、該第九の指示情報が、該第二のグループのグループ識別子を変更するように該第二のグループにおける中心端末装置に指示することに用いられることとを含む。
【０１９５】
具体的には、本発明の実施例では、通信システムに複数（少なくとも二つ）のグループが同時に存在する可能性があり、グループ＃１における中心端末装置（即ち端末装置Ａ）が他のグループ（即ち第二のグループの一例であり、以下に理解及び区分を容易にするために、グループ＃２として記述する）における中心端末装置（以下に理解及び区分を容易にするために、端末装置Ｄとして記述する）のカバレッジ内にある場合、端末装置Ａは端末装置Ｄから送信された、グループ＃２のグループ識別子（以下に理解及び区分を容易にするために、グループＩＤ＃２として記述する）を含むためのブロードキャスト信号（即ち第二のグループブロードキャスト信号の一例であり、以下に理解及び区分を容易にするために、ブロードキャスト信号＃２として記述する）を受信する可能性がある。
【０１９６】
且つ、端末装置Ａが該グループＩＤ＃２がグループＩＤ１と同じであることを確定した場合、端末装置Ａはグループ＃１のグループ識別子を再度選択し、且つグループ＃１に用いられた新しいグループ識別子をグループ＃１におけるメンバー端末装置（例えば端末装置＃Ｂ）に通知することができる。
【０１９７】
又は、端末装置Ａが該グループＩＤ＃２がグループＩＤ＃１と同じであることを確定した場合、端末装置Ａは、グループ＃２のグループ識別子を再度選択するように端末装置Ｄに指示するためのメッセージ（即ち指示情報の一例）を送信し、端末装置Ｄに、グループ＃２に用いられた新しいグループ識別子をグループ＃２におけるメンバー端末装置に通知させることができる。
【０１９８】
これにより、カバレッジが重なった二つのグループが同じグループＩＤを用いることに起因する、各グループにおけるメンバー端末装置の通信エラーの発生を回避することができる。
【０１９９】
２．メンバー端末装置にグループ内識別子を割り当てる
即ち、選択可能に、該方法はさらに、
該第一の端末装置が該第一のグループにおける各端末装置にグループ内識別子を割り当て、一つのグループ内識別子が該第一のグループにおける一つの端末装置を一意に示すことに用いられることと、
該第一の端末装置が第六の指示情報を送信し、該第六の指示情報が該第一のグループにおける各端末装置のグループ内識別子を示すことに用いられ、該第一のグループにおける各端末装置同士が該グループ識別子に基づいて装置間通信を行うようにすることとを含む。
【０２００】
且つ、端末装置Ａはグループ＃１における中心端末装置として機能することを確定した後に、グループ＃１における各メンバー端末装置にグループ内識別子を割り当てることができ、ここで、一つのグループにおいて、一つのグループ内識別子が一つのメンバー端末装置を一意に示すことに用いられる。これにより、該グループ＃１における各メンバー端末装置は該グループ内識別子に基づいて装置間通信を行うことができる。
【０２０１】
限定ではなく一例として、本発明の実施例では、端末装置Ａはグループ＃１における各メンバー端末装置の装置情報に基づき、各メンバー端末装置のグループ内識別子を確定することができ、例えば、端末装置はさらに一つの端末装置の装置情報（又は装置情報に対応する値）を所定の数学モデル（例えば式）に代入して計算し、計算結果を該端末装置のグループ内識別子とすることができる。
【０２０２】
本発明の実施例では、中心端末装置は、ブロードキャスト情報などの方式によってグループ内識別子を各メンバー端末装置に割り当てることができ、ブロードキャスト情報が各メンバー端末装置の装置情報とグループ内識別子を含むことができる。且つ、各メンバー端末装置は該グループ内識別子を受信した後に、中心端末装置へ確認情報をフィードバックすることができる。
【０２０３】
３．グループ内識別子の時間及び周波数同期をメンテナンスする
具体的には、本発明の実施例では、中心端末装置（例えば端末装置Ａ）は、該中心端末装置が属するグループ（例えばグループ＃１）における各端末装置（例えば該グループにおけるメンバー端末装置と中心端末装置を含むことができる）同士が装置間通信を行うために用いた伝送リソース（例えば、搬送波周波数、帯域幅）、周期的時間同期信号を確定することができ、該時間同期信号が特定のフォーマットを有することができ、即ち端末装置は該特定のフォーマットに基づき、時間同期信号を識別することができる。
【０２０４】
且つ、グループにおけるメンバー端末装置（例えば端末装置Ｂ）は内部のタイミング信号を中心端末装置により送信される時間同期信号に統一（ａｌｉｇｎ）させることができる。
【０２０５】
４．グループに加入するように端末装置を制御する
即ち、選択可能に、該第一の端末装置が第四の端末装置から送信された第一のリクエストメッセージを受信し、該第一のリクエストメッセージに該第四の端末装置の装置情報が含まれ、該第一のリクエストメッセージが、該第四の端末装置が該第一のグループへの加入をリクエストすることを示すことに用いられ、該第一のリクエストメッセージが、該第二の端末装置が受信された第一のグループブロードキャスト信号の信号強度が第二のプリセット強度以上であることを確定した後に送信したものであり、又は、該第一のリクエストメッセージが、該第二の端末装置が受信された第一のグループブロードキャスト信号に基づいて確定された該第一の端末装置と該第四の端末装置の間の距離が第二のプリセット距離以下であることを確定した後に送信したものであり、
該第一の端末装置が該第一のリクエストメッセージに基づき、該第四の端末装置が該第一のグループにおけるメンバー端末装置に属することを確定する。
【０２０６】
具体的には、グループに加入していない何かしらの端末装置（即ち第二の端末装置又は第四の端末装置の一例であり、以下に理解及び区分を容易にするために、端末装置Ｅとして記述する）が端末装置Ａのカバレッジ内に移動した場合、該端末装置Ｅは、端末装置Ａから送信されたブロードキャスト信号＃１を受信することができる。
【０２０７】
選択可能に、端末装置Ｅが該ブロードキャスト信号＃１の信号強度がプリセット電力閾値（以下に理解を容易にするために、Ｗｐｒｏｘｉｍｉｔｙとして記述する）以上であることを確定した場合、端末装置Ｅは、該グループ＃１へ加入するためのプロセスを開始することができる。また、選択可能に、端末装置Ｅが該ブロードキャスト信号＃１の信号強度がＷｐｒｏｘｉｍｉｔｙ以上であることを確定した場合、端末装置Ｅはさらにブロードキャスト信号＃１の信号強度がＷｐｒｏｘｉｍｉｔｙ以上になっている時間がプリセット時間閾値（以下に理解を容易にするために、Ｙｐｒｏｘｉｍｉｔｙとして記述する）を超えるか否かを確定することができ、「はい」と判定した場合、端末装置Ｅは、該グループ＃１へ加入するためのプロセスを開始することができる。
【０２０８】
又は、選択可能に、端末装置Ｅは、該ブロードキャスト信号＃１に基づき、該端末装置Ｅと該端末装置Ａの間の距離を確定することができる。例えば、本発明の実施例では、ブロードキャスト信号＃１が端末装置Ａの位置の指示情報を含むことができ、この場合、端末装置Ｅは該指示情報に基づいて端末装置Ａの位置を確定することができ、且つＧＰＳなどの技術に基づいて端末装置Ｅの位置を確定することができ、さらに端末装置Ｅは該端末装置Ｅと該端末装置Ａの間の距離を確定することができる。又は、各種の信号強度と各種の距離値とのマッピング関係の確定を実現することにより、端末装置Ｅはブロードキャスト信号＃１の信号強度に基づき、該マッピング関係から該ブロードキャスト信号＃１の信号強度に対応する距離値を検索し、該端末装置Ｅと該端末装置Ａの間の距離とすることができる。端末装置Ｅが該端末装置Ｅと該端末装置Ａの間の距離がプリセット距離閾値（以下に理解を容易にするために、Ｘｐｒｏｘｉｍｉｔｙとして記述する）未満であることを確定した場合、端末装置Ｅは該グループ＃１へ加入するためのプロセスを開始することができる。また、選択可能に、端末装置Ｅが該端末装置Ｅと該端末装置Ａの間の距離がＸｐｒｏｘｉｍｉｔｙ未満であることを確定した場合、端末装置Ｅはさらに端末装置Ｅと該端末装置Ａの間の距離がＸｐｒｏｘｉｍｉｔｙ未満になっている時間がＹｐｒｏｘｉｍｉｔｙを超えるか否かを確定することができ、「はい」と判定した場合、端末装置Ｅは該グループ＃１へ加入するためのプロセスを開始することができる。
【０２０９】
限定ではなく一例として、上記の該グループ＃１へ加入するためのプロセスは、端末装置Ｅが端末装置Ａへ該グループ＃１への加入をリクエストするためのリクエストメッセージ（即ち第一のリクエストメッセージの一例であり、以下に理解及び区分を容易にするために、リクエストメッセージ＃１として記述する）を送信することができることを含むことができ、本発明の実施例では、該リクエストメッセージ＃１が該端末装置Ｅの識別子と特定のメッセージヘッダー又は操作コード（該リクエストメッセージ＃１が端末がグループへの加入をリクエストするためのリクエストメッセージであることを示すことに用いられる）を含むことができる。
【０２１０】
また、選択可能に、該リクエストメッセージ＃１はさらに該端末装置Ｅがグループ＃への加入をリクエストする理由（例えば、該端末装置Ｅが該グループ＃１における一つ又は複数のメンバー端末装置と通信する必要がある）を示すための情報、又は該端末装置Ｅの装置タイプを示すための情報を含むことができる。
【０２１１】
これにより、端末装置Ａは、該リクエストメッセージ＃１を受信し、且つ該リクエストメッセージ＃１に基づいて端末装置Ｅがグループ＃１への加入をリクエストすることを確定することができ、その後、端末装置Ａは例えば、現在のグループ＃１に含まれる端末装置の数などに基づき、端末装置Ｅがグループ＃１に加入することを同意するか否かを判定し、又は、端末装置Ｅがグループ＃１におけるメンバー端末装置として機能することを同意するか否かを判定することができる。且つ、端末装置Ａは判定結果を端末装置Ｅに送信することができる。
【０２１２】
５．グループから脱退するようにメンバー端末装置を制御する。
【０２１３】
例えば、選択可能に、該方法はさらに、
該第一の端末装置は該第一のグループにおける第五の端末装置から送信された第二のリクエストメッセージを受信し、該第五の端末装置が該第一のグループにおけるメンバー端末装置に属し、該第二のリクエストメッセージが、該第五の端末装置が該第一のグループからの脱退をリクエストすることを示すことに用いられ、該第二のリクエストメッセージが、該第五の端末装置が受信された第一のグループブロードキャスト信号の信号強度が第二のプリセット強度未満であることを確定した後に送信したものであり、又は、該第二のリクエストメッセージが、該第五の端末装置が受信された第一のグループブロードキャスト信号に基づいて確定された該第一の端末と該第五の端末装置の間の距離が第二のプリセット距離より大きいことを確定した後に送信したものであることと、
該第一の端末装置が該第二のリクエストメッセージに基づき、第五の端末装置が該第一のグループにおけるメンバー端末装置に属しないことを確定することとを含む。
【０２１４】
具体的には、グループ１におけるメンバー端末装置は該ブロードキャスト信号＃１を受信することができる。
【０２１５】
選択可能に、グループ１におけるあるメンバー端末装置（例えば端末装置Ｂ、即ち第二の端末装置又は第五の端末装置の一例）が該ブロードキャスト信号#１の信号強度がプリセット電力閾値（以下に理解を容易にするために、Ｗｐｒｏｘｉｍｉｔｙと記述する）未満であることを確定した場合、端末装置Ｂは、該グループ＃１からの脱退プロセスを開始することができる。また、選択可能に、端末装置Ｂが該ブロードキャスト信号＃１の信号強度がＷｐｒｏｘｉｍｉｔｙ未満であることを確定した場合、端末装置Ｂはさらにブロードキャスト信号＃１の信号強度がＷｐｒｏｘｉｍｉｔｙ未満になっている時間がプリセット時間閾値（以下に理解を容易にするために、Ｙｐｒｏｘｉｍｉｔｙとして記述する）を超えるか否かを確定することができ、「はい」と判定した場合、端末装置Ｂは、該グループ＃１からの脱退プロセスを開始することができる。
【０２１６】
又は、選択可能に、端末装置Ｂは、該ブロードキャスト信号＃１に基づき、該端末装置Ｂと該端末装置Ａの間の距離を確定することができる。例えば、本発明の実施例では、ブロードキャスト信号＃１が端末装置Ａの位置の指示情報を含むことができ、この場合、端末装置Ｂは該指示情報に基づいて端末装置Ａの位置を確定することができ、且つＧＰＳなどの技術に基づいて端末装置Ｂの位置を確定することができ、さらに端末装置Ｂは該端末装置Ｂと該端末装置Ａの間の距離を確定することができる。又は、各種の信号強度と各種の距離値とのマッピング関係の確定を実現することにより、端末装置Ｂはブロードキャスト信号＃１の信号強度に基づき、該マッピング関係から該ブロードキャスト信号＃１の信号強度に対応する距離値を検索し、該端末装置Ｂと該端末装置Ａの間の距離とすることができる。端末装置Ｂが該端末装置Ｂと該端末装置Ａの間の距離がプリセット距離閾値（以下に理解を容易にするために、Ｘｐｒｏｘｉｍｉｔｙとして記述する）以上であることを確定した場合、端末装置Ｂは該グループ＃１からの脱退プロセスを開始することができる。また、選択可能に、端末装置Ｂが端末装置Ｂと該端末装置Ａの間の距離がＸｐｒｏｘｉｍｉｔｙ以上であることを確定した場合、端末装置Ｂはさらに端末装置Ｂと該端末装置Ａの間の距離がＸｐｒｏｘｉｍｉｔｙ以上になっている時間がＹｐｒｏｘｉｍｉｔｙを超えるか否かを確定することができ、「はい」と判定した場合、端末装置Ｂは該グループ＃１からの脱退プロセスを開始することができる。
【０２１７】
限定ではなく一例として、上記の該グループ＃１からの脱退プロセスは、端末装置Ｂが端末装置Ａへ該グループ＃１からの脱退をリクエストするためのリクエストメッセージ（即ち第二のリクエストメッセージの一例であり、以下に理解及び区分を容易にするために、リクエストメッセージ＃２として記述とする）を送信することができることを含むことができ、本発明の実施例では、該リクエストメッセージ＃２が該端末装置Ｂの識別子と特定のメッセージヘッダー又は操作コード（該リクエストメッセージ＃２が端末がグループからの脱退をリクエストするためのリクエストメッセージであることを示すことに用いられる）を含むことができる。
【０２１８】
これにより、端末装置Ａは、該リクエストメッセージ＃２を受信し、且つ該リクエストメッセージ＃２に基づいて端末装置Ｂがグループ＃１からの脱退をリクエストすることを確定することができ、その後、端末装置Ａは端末装置Ｂをグループ＃１におけるメンバー端末装置リストから削除し、且つ端末装置Ｂのグループ識別子情報及びコンテキストを削除することができる、
また例えば、選択可能に、該方法はさらに、
該第一の端末装置は、第六の端末装置から送信されたハートビート信号を検出し、該第六の端末装置が該第一のグループにおけるメンバー端末装置に属し、該ハートビート信号に該第六の端末装置の装置情報が含まれ、該ハートビート信号が、該第六の端末装置が該第一のグループにおけるメンバー端末装置として機能することを確定した後にプリセット周期に従って送信するものであることと、
該第一の端末装置がプリセット時間内に該ハートビート信号が受信されていないことを確定した場合に、該第六の端末装置が該第一のグループにおけるメンバー端末装置に属しないことを確定し、該プリセット時間が該プリセット周期の時間以上であり、該第六の端末装置が受信された第一のグループブロードキャスト信号の信号強度が第二のプリセット強度未満であることを確定した後に該ハートビート信号の送信を停止し、又は、該第六の端末装置が受信された第一のグループブロードキャスト信号に基づいて確定された該第一の端末装置と該第六の端末装置の間の距離が第二のプリセット距離より大きいことを確定した後に該ハートビート信号の送信を停止することとを含む。
【０２１９】
具体的には、本発明の実施例では、グループにおけるメンバー端末装置は、ハートビート信号を生成して所定の周波数リソース（以下に理解及び区分を容易にするために、周波数領域リソース５として記述する）で送信することができ、該ハートビート信号がメンバー端末装置のグループ内識別子又は装置情報、及びハートビート信号の番号など（該番号が一定の値の範囲内に繰り返す可能である）を含むことができ、これにより、中心端末装置は該ハートビート信号に基づき、グループにおけるメンバー端末装置を管理することができる。
【０２２０】
一般性を損なわずに、端末装置Ｂは、グループ＃１におけるメンバー端末装置として機能することを確定した場合、ハートビート信号（以下に理解及び区分を容易にするために、ハートビート信号Ｂとして記述する）を送信することができる。
【０２２１】
選択可能に、グループ＃１におけるあるメンバー端末装置（例えば端末装置Ｂ、即ち第二の端末装置又は第六の端末装置の一例）が該ブロードキャスト信号＃１の信号強度がＷｐｒｏｘｉｍｉｔｙ未満であることを確定した場合、端末装置Ｂはハートビート信号Ｂの送信を停止することができる。また、選択可能に、端末装置Ｂが該ブロードキャスト信号＃１の信号強度がＷｐｒｏｘｉｍｉｔｙ未満であることを確定した場合、端末装置Ｂはさらにブロードキャスト信号＃１の信号強度がＷｐｒｏｘｉｍｉｔｙ未満になっている時間がプリセット時間閾値Ｙｐｒｏｘｉｍｉｔｙを超えるか否かを判定することができ、「はい」と判定した場合、端末装置Ｂはハートビート信号Ｂの送信を停止することができる。
【０２２２】
又は、選択可能に、端末装置Ｂは該ブロードキャスト信号＃１に基づき、該端末装置Ｂと該端末装置Ａの間の距離を確定することができる。例えば、本発明の実施例では、ブロードキャスト信号＃１が端末装置Ａの位置の指示情報を含むことができ、この場合、端末装置Ｂは該指示情報に基づいて端末装置Ａの位置を確定することができ、且つＧＰＳなどの技術に基づいて端末装置Ｂの位置を確定することができ、さらに端末装置Ｂは該端末装置Ｂと該端末装置Ａの間の距離を確定することができる。又は、各種の信号強度と各種の距離値とのマッピング関係の確定を実現することにより、端末装置Ｂはブロードキャスト信号＃１の信号強度に基づき、該マッピング関係から該ブロードキャスト信号＃１の信号強度に対応する距離値を検索し、該端末装置Ｂと該端末装置Ａの間の距離とすることができる。端末装置Ｂが該端末装置Ｂと該端末装置Ａの間の距離がプリセット距離閾値Ｘｐｒｏｘｉｍｉｔｙ以上であることを確定した場合、端末装置Ｂはハートビート信号Ｂの送信を停止することができる。また、選択可能に、端末装置Ｂが該端末装置Ｂと該端末装置Ａの間の距離がＸｐｒｏｘｉｍｉｔｙ以上であることを確定した場合、端末装置Ｂはさらに端末装置Ｂと該端末装置Ａの間の距離がＸｐｒｏｘｉｍｉｔｙ以上になっている時間がＹｐｒｏｘｉｍｉｔｙを超えるか否かを確定することができ、「はい」と判定した場合、端末装置Ｂはハートビート信号Ｂの送信を停止することができる。
【０２２３】
本発明の実施例では、端末装置Ａに端末装置Ｂに対するタイマー（ｗａｔｃｈｄｏｇ）が配置されてもよく、且つハートビート信号Ｂを受信するたびに、該タイマーをゼロにし、これにより、端末装置Ａが該タイマーに基づいて所定の時間（即ちプリセット時間）内にハートビート信号Ｂが受信されていないことを確定した場合、端末装置Ａは、端末装置Ｂをグループ＃１におけるメンバー端末装置リストから削除し、且つ端末装置Ｂのグループ識別子及びコンテキストを削除することができる。
【０２２４】
６．グループにおける端末装置に装置間通信のための伝送リソースを割り当てる
具体的には、限定ではなく一例として、中心端末装置（例えば端末装置Ａ）は、プリセット周波数（又は通信チャネル）で一つのブロックの時間周波数リソースを占有して該中心端末装置の属するグループ（例えばグループ＃１）のリソースプールとしてグループにおける端末装置の間の通信に用いることができる。
【０２２５】
説明すべきものとして、本発明の実施例では、中心端末装置はネットワーク接続を有することができ、又は、該中心端末装置はアクセスネットワーク装置と通信することができ、この場合、中心端末装置は、アクセスネットワーク装置へグループにおける各端末装置が行う装置間通信のためのライセンス周波数領域リソースをグループのリソースプールとして申請することができ、又は、中心端末装置は競争方式又はリッスンビフォアトーク方式などで、グループにおける各端末装置が行う装置間通信のためのアンライセンス周波数領域リソースをグループのリソースプールとして確定することができる。
【０２２６】
選択可能に、該リソースプールのサイズが変更可能であり、例えば、中心端末装置はグループにおけるメンバー端末装置の数に応じてリソースプールに含まれるリソースのサイズを変更することができ、又は、中心端末装置は、グループにおけるメンバー端末装置が送信する必要があるデータのデータ量に応じて、リソースプールに含まれるリソースのサイズを変更することができる。
【０２２７】
限定ではなく一例として、本発明の実施例では、中心端末装置が上記のようにメンバー端末装置に割り当てた伝送リソースは、メンバー端末装置と同一のグループにおける他のメンバー端末装置の間の通信に用いられてもよく（即ち状況α）、又は、中心端末装置が上記のようにメンバー端末装置に割り当てた伝送リソースは、メンバー端末装置（中心端末装置を介して）とネットワーク装置の間の通信に用いられてもよく）（即ち状況β）、又は、中心端末装置が上記のようにメンバー端末装置に割り当てた伝送リソースは、メンバー端末装置（中心端末装置を介して）と他のグループにおけるメンバー端末装置の間の通信に用いられてもよく（即ち状況γ）、以下に上記の状況での装置の動作をそれぞれ詳細に説明する。
【０２２８】
以下に、理解及び説明を容易にするために、一般性を損なわずに、端末装置Ａを例とし、中心端末装置の動作を説明し、端末装置Ｂを例とし、メンバー端末装置の動作を説明する。
【０２２９】
状況α
選択可能に、該第一の無線リソースは具体的に該第二の端末装置が該第一のグループにおける第七の端末装置へ第一のデータを送信することに用いられる。
【０２３０】
具体的には、例えば、グループ＃１における端末装置Ｂ（即ち第二の端末装置の一例）がグループ＃１における一つ又は複数のメンバー端末装置（即ち第七の端末装置の一例であり、以下に理解及び説明を容易にするために、端末装置Ｆとして記述する）へデータ（以下に理解及び説明を容易にするために、データ１として記述する）を送信する必要がある場合、端末装置Ｂは、端末装置Ａへリソーススケジューリングリクエストメッセージ（以下に理解及び区分を容易にするために、ジューリングリクエストメッセージ１−１として記述する）を送信することができる。
【０２３１】
これにより、端末装置Ａは該ジューリングリクエストメッセージ１−１に基づき、上記のように確定されたリソースプールから、該データ１を伝送するための無線リソース（例えば時間周波数リソース）を確定することができ、以下に理解及び説明を容易にするために、無線リソース１−１として記述する。
【０２３２】
限定ではなく一例として、端末装置Ａが毎回割り当てるリソースのサイズが固定されてもよく、即ち、該無線リソース１−１のサイズは、例えば通信プロトコルなどによって予め定められてもよい。
【０２３３】
又は、限定ではなく一例として、選択可能に、該ジューリングリクエストメッセージ１−１はデータ１のサイズの指示情報を含むことができる。これにより、端末装置Ａはデータ１のサイズに基づき、無線リソース１−１を確定することができる。
【０２３４】
又は、限定ではなく一例として、選択可能に、該ジューリングリクエストメッセージ１−１は、データ１が属するサービスのサービスタイプの指示情報を含むことができる。これにより、端末装置Ａはデータ１が属するサービスのサービスタイプに基づき、無線リソース１−１を確定することができる。限定ではなく一例として、例えば、該データ１の属するサービスが例えばビデオサービスなどの、連続して（例えば時間領域において連続して）伝送する必要があるサービスである場合、端末装置Ａは連続したリソースを無線リソース１−１として確定することができる。
【０２３５】
上記のように無線リソース１−１を確定した場合、端末装置Ａは端末装置Ｂへ無線リソース１−１の指示情報を送信することができ、これにより、端末装置Ｂは該無線リソース１−１によってデータ１を送信することができる。限定ではなく一例として、該無線リソース１−１の指示情報は、時間領域又は周波数領域における該無線リソース１−１の位置を示すことに用いられてもよい。
【０２３６】
選択可能に、該方法はさらに、
該第一の端末装置が該第七の端末装置へ該第一の無線リソースの指示情報を送信することを含む。
【０２３７】
具体的には、本発明の実施例では、端末装置Ａは端末装置Ｆへ無線リソース１−１の指示情報を送信することができ、これにより、端末装置Ｆは該無線リソース１−１でデータ１を受信することができる。
【０２３８】
理解すべきものとして、以上に挙げられた、端末装置Ｆがデータ１を受信する方式は例示的説明だけであり、本発明はこれに限定されず、例えば、端末装置Ｆはブラインド検出によりデータ１を受信することができ、例えば、端末装置Ｂは端末装置Ｆの装置情報を、該データ１を含むデータパケットにカプセル化することができ、これにより、端末装置Ｆは、該端末装置Ｆの装置情報を含むデータパケットを検出した場合、該データパケットに端末装置Ｆに送信される必要がるデータ（例えばデータ１）が含まれることを確定することができ、さらに該データパケットに対して例えばデカプセリング処理などを行い、該データ１を取得することができる。
【０２３９】
選択可能に、該方法はさらに、
該第一の端末装置が該第七の端末装置へ該第十の指示情報を送信し、該第十の指示情報が検出信号を送信するように該第七の端末装置に指示することに用いられることを含む。
【０２４０】
具体的には、本発明の実施例では、端末装置Ａはさらに端末装置Ｆ（即ち第七の端末装置の一例）に、検出信号を送信するように該端末装置Ｆに指示するためのメッセージ（即ち第十の指示情報の一例）を送信することができ、これにより、端末装置Ｆは端末装置Ａの指示に基づき、検出信号を送信することができ、さらに、端末装置Ｂは端末装置Ｆから送信された検出信号に基づき、端末装置Ｆと端末装置Ｂの間のチャネルに対してチャネル推定を行い、該データ１に対する送信パラメータ、例えば送信電力、変調符号化モード、レートマッチングモード又はマルチアンテナ技術モード、ＨＡＲＱ冗長バージョン番号などを確定することができる。
【０２４１】
選択可能に、該方法はさらに、
該第一の端末装置が該第七の端末装置に第二の無線リソースを割り当て、該第七の端末装置が該第二の無線リソースによって該第一のデータに対するフィードバック情報を送信するようにすることを含む。
【０２４２】
具体的には、本発明の実施例では、端末装置Ｆは、上記データ１を受信した場合、端末装置Ｂへ該データ１に対するフィードバック情報（以下に理解及び区分を容易にするために、フィードバック情報１として記述する）を送信することができる。
【０２４３】
この場合、端末装置Ｆは、端末装置Ａへスケジューリングリクエストメッセージ（以下に理解及び区分を容易にするために、スケジューリングリクエストメッセージ１−２として記述する）を送信し、端末装置Ｆに該フィードバック情報１−２を含むための無線リソース（以下に理解及び区分を容易にするために、無線リソース１−２として記述する）を送信するように端末装置Ａにリクエストすることができる。
【０２４４】
限定ではなく一例として、本発明の実施例では、端末装置Ａが毎回割り当てるリソースのサイズが固定されてもよく、即ち、該無線リソース１−２のサイズが例えば通信プロトコルなどによって予め定められてもよい。
【０２４５】
又は、限定ではなく一例として、選択可能に、該ジューリングリクエストメッセージ１−２は、該端末装置Ｆから送信されたデータがフィードバック情報であることを示すための指示識別子を含むことができる。これにより、端末装置Ａは該指示識別子に基づき、無線リソース１−２を確定することができる。
【０２４６】
上記のように無線リソース１−２を確定した場合、端末装置Ａは端末装置Ｆへ無線リソース１−２の指示情報を送信することができ、これにより、端末装置Ｆは該無線リソース１−２によってデータ１に対するフィードバック情報１を送信することができる。限定ではなく一例として、該無線リソース１−２の指示情報は、時間領域又は周波数領域における該無線リソース１−２の位置を示すことに用いられてもよい。
【０２４７】
選択可能に、本発明の実施例では、端末装置Ａは端末装置Ｂへ無線リソース１−２の指示情報を送信することができ、これにより、端末装置Ｂは該無線リソース１−２でフィードバック情報を受信することができる。
【０２４８】
理解すべきものとして、以上に挙げられた、端末装置Ｂがフィードバック情報１を受信する方式は例示的説明だけであり、本発明はこれに限定されず、例えば、端末装置Ｂはブラインド検出によりフィードバック情報１を受信することができ、例えば、端末装置Ｆは端末装置Ｂの装置情報を、該フィードバック情報１を含むデータパケットにカプセル化することができ、これにより、端末装置Ｂは、該端末装置Ｂの装置情報を含むデータパケットを検出した場合、該データパケットに端末装置Ｂに送信される必要がるデータ（例えば上記フィードバック情報）が含まれることを確定することができ、さらに該データパケットに対して例えばデカプセリング処理などを行い、該フィードバック情報１を取得することができる。
【０２４９】
状況β
該方法はさらに、
該第一の端末装置が第一の無線リソースによって該第二の端末装置から送信された第四のデータを受信し、該第四のデータがネットワーク装置に送信される必要があるデータであることと、
該第一の端末装置が該ネットワーク装置へ該第四のデータを送信することとを含む。
【０２５０】
具体的には、例えば、グループ＃１における端末装置Ｂ（即ち第二の端末装置の一例）の位置がネットワーク装置のカバレッジ内になく、且つ該端末装置Ｂがネットワーク装置へデータ（即ち第四のデータの一例であり、以下に理解及び区分を容易にするために、データ２として記述する）を送信する必要がある場合、端末装置Ｂは端末装置Ａへリソーススケジューリングリクエストメッセージ（以下に理解及び区分を容易にするために、スケジューリングリクエストメッセージ２として記述する）を送信することができる。且つ、該スケジューリングリクエストメッセージ２は、該端末装置Ｂがネットワーク装置へデータを送信する必要があることを示すための指示情報を含むことができ、これにより、端末装置Ａは、該スケジューリングリクエストメッセージ２に基づき、該端末装置Ｂからのデータ（即ちデータ２）がネットワーク装置に送信される必要があることを確定することができる。
【０２５１】
これにより、端末装置Ａは、該スケジューリングリクエストメッセージ２に基づき、上記のように確定されたリソースプールから、該データ２を伝送するための無線リソース（例えば時間周波数リソース）を確定することができ、以下に理解及び説明を容易にするために、無線リソース２−１として記述する。
【０２５２】
限定ではなく一例として、例えば、端末装置Ａが毎回割り当てるリソースのサイズが固定されてもよく、即ち、該無線リソース２−１のサイズが例えば通信プロトコルなどによって予め定められてもよい。
【０２５３】
又は、限定ではなく一例として、選択可能に、該ジューリングリクエストメッセージ２はデータ２のサイズの指示情報を含むことができる。これにより、端末装置Ａはデータ２のサイズに基づき、無線リソース２−１を確定することができる。
【０２５４】
又は、限定ではなく一例として、選択可能に、該ジューリングリクエストメッセージ２は、データ２が属するサービスのサービスタイプの指示情報を含むことができる。これにより、端末装置Ａはデータ２が属するサービスのサービスタイプに基づき、無線リソース２−１を確定することができる。限定ではなく一例として、例えば、該データ２の属するサービスが例えばビデオサービスなどの、連続して（例えば時間領域において連続して）伝送する必要があるサービスである場合、端末装置Ａは連続したリソースを無線リソース２−１として確定することができる。
【０２５５】
上記のように無線リソース２を確定した場合、端末装置Ａは端末装置Ｂへ無線リソース２−１の指示情報を送信することができ、これにより、端末装置Ｂは該無線リソース２−１によってデータ２を送信することができる。限定ではなく一例として、該無線リソース２−１の指示情報は、時間領域又は周波数領域における該無線リソース２−１の位置を示すことに用いられてもよい。且つ、本発明の実施例では、端末装置Ｂから送信された、該データ２を含むデータパケットに、該データ２がネットワーク装置に送信される必要があることを示すための指示情報を含むことができ、例えば、該データ２を含むデータパケットの宛先アドレスフィールドがネットワーク装置のアドレスを含むことができる。
【０２５６】
これにより、端末装置Ａはネットワーク装置へ該データ２を送信することができ、限定ではなく一例として、端末装置Ａはネットワーク装置によってスケジューリングされたリソースに基づいて該データ２を送信することができ、且つ、限定ではなく一例として、端末装置は、ネットワーク装置に、該データ２が端末装置Ｂから送信されるものであることを示すための指示情報を送信することができる。
【０２５７】
また、端末装置Ａは端末装置Ｂへ検出信号を送信することができ、これにより、端末装置Ｂは端末装置Ａから送信された検出信号に基づき、端末装置Ａと端末装置Ｂの間のチャネルに対してチャネル推定を行い、該データ２に対する送信パラメータ、例えば送信電力、変調符号化モード、レートマッチングモード又はマルチアンテナ技術モード、ＨＡＲＱ冗長バージョン番号などを確定することができる。
【０２５８】
且つ、端末装置Ａは、上記データ２を受信した場合、端末装置Ｂへ該データ２に対するフィードバック情報（以下に理解及び区分を容易にするために、フィードバック情報２として記述する）を送信することができる。
【０２５９】
この場合、端末装置Ａは、該フィードバック情報２を含むための無線リソース（以下に理解及び区分を容易にするために、無線リソース２−２として記述する）を確定することができる。
【０２６０】
限定ではなく一例として、本発明の実施例では、端末装置Ａが毎回割り当てるリソースのサイズが固定されてもよく、即ち、該無線リソース２−２のサイズが例えば通信プロトコルなどによって予め定められてもよい。
【０２６１】
又は、限定ではなく一例として、選択可能に、端末装置Ａは、フィードバック情報２のサイズに基づき、無線リソース２−２を確定することができる。
【０２６２】
以上のように無線リソース２−２を確定した場合、端末装置Ａは該無線リソース２−２によってデータ２に対するフィードバック情報２を送信することができる。
【０２６３】
選択可能に、本発明の実施例では、端末装置Ａは端末装置Ｂへ無線リソース２−２の指示情報を送信することができ、これにより、端末装置Ｂは該無線リソース２−２でフィードバック情報を受信することができる。
【０２６４】
理解すべきものとして、以上に挙げられた、端末装置Ｂがフィードバック情報２を受信する方式は例示的説明だけであり、本発明はこれに限定されず、例えば、端末装置Ｂはブラインド検出によりフィードバック情報２を受信することができ、例えば、端末装置Ａは端末装置Ｂの装置情報を、該フィードバック情報２を含むデータパケットにカプセル化することができ、これにより、端末装置Ｂは、該端末装置Ｂの装置情報を含むデータパケットを検出した場合、該データパケットに端末装置Ｂに送信される必要がるデータ（例えば上記フィードバック情報２）が含まれることを確定することができ、さらに該データパケットに対して例えばデカプセリング処理などを行い、該フィードバック情報２を取得することができる。
【０２６５】
選択可能に、該方法はさらに、
該第一の端末装置がネットワーク装置から送信された第五のデータを受信し、該第五のデータが該第二の端末装置に送信される必要があるデータであることと、
該第一の端末装置が第一の無線リソースによって該第二の端末装置へ該第五のデータを送信することとを含む。
【０２６６】
具体的には、例えば、グループ＃１における端末装置Ｂ（即ち第二の端末装置の一例）の位置がネットワーク装置のカバレッジ内になく、且つ該ネットワーク装置が端末装置Ｂへデータ（即ち第五のデータの一例であり、以下に理解及び区分を容易にするために、データ３として記述する）を送信する必要がある場合、ネットワーク装置は該データ３を端末装置Ａに送信することができ、且つ、選択可能に、該データ３を含むデータに、該データ３が端末装置Ｂに送信される必要があることを示すための指示情報が含まれてもよい。
【０２６７】
これにより、端末装置Ａは、該データ３が端末装置Ｂに送信される必要があることを確定し、且つ該データ３を含むための無線リソース（例えば、時間周波数リソース）を確定することができ、以下に理解及び区分を容易にするために、無線リソース３−１として記述する。
【０２６８】
限定ではなく一例として、例えば、端末装置Ａが毎回割り当てるリソースのサイズが固定されてもよく、即ち、該無線リソース３−１のサイズが例えば通信プロトコルなどによって予め定められてもよい。
【０２６９】
又は、限定ではなく一例として、選択可能に、端末装置Ａはデータ３のサイズに基づき、無線リソース３−１を確定することができる。
【０２７０】
又は、限定ではなく一例として、選択可能に、端末装置Ａはデータ３が属するサービスのサービスタイプに基づき、無線リソース３−１を確定することができる。限定ではなく一例として、例えば、該データ３の属するサービスが例えばビデオサービスなどの、連続して（例えば時間領域において連続して）伝送する必要があるサービスである場合、端末装置Ａは連続したリソースを無線リソース３−１として確定することができる。
【０２７１】
上記のように無線リソース３−１を確定した場合、端末装置Ａは該無線リソース３−１によって端末装置Ｂにデータ３を送信することができる。
【０２７２】
選択可能に、端末装置Ａは端末装置Ｂへ無線リソース３−１の指示情報を送信することができ、これにより、端末装置Ｂは該無線リソース３−１によってデータ３を送信することができる。限定ではなく一例として、該無線リソース３−１の指示情報は、時間領域又は周波数領域における該無線リソース３−１の位置を示すことに用いられてもよい。
【０２７３】
理解すべきものとして、以上に挙げられた、端末装置Ｂがデータ３を受信する方式は例示的説明だけであり、本発明はこれに限定されず、例えば、端末装置Ｂはブラインド検出によりデータ３を受信することができ、例えば、端末装置Ａは端末装置Ｂの装置情報を、該データ３を含むデータパケットにカプセル化することができ、これにより、端末装置Ｆは、該端末装置Ｂの装置情報を含むデータパケットを検出した場合、該データパケットに端末装置Ｂに送信される必要がるデータ（例えばデータ３）が含まれることを確定することができ、さらに該データパケットに対して例えばデカプセリング処理などを行い、該データ３を取得することができる。
【０２７４】
また、端末装置Ａは検出信号を送信するように端末装置Ｂに指示することができ、これにより、端末装置Ａは、端末装置Ｂから送信された検出信号に基づき、端末装置Ａと端末装置Ｂの間のチャネルに対してチャネル推定を行い、該データ３に対する送信パラメータ、例えば送信電力、変調符号化モード、レートマッチングモード又はマルチアンテナ技術モード、ＨＡＲＱ冗長バージョン番号などを確定することができる。
【０２７５】
且つ、端末装置Ｂは、上記データ３を受信した場合、端末装置Ａへ該データ３に対するフィードバック情報（以下に理解及び区分を容易にするために、フィードバック情報３として記述する）を送信することができる。
【０２７６】
この場合、端末装置Ｂは、端末装置Ａへスケジューリングリクエストメッセージ（以下に理解及び区分を容易にするために、スケジューリングリクエストメッセージ３として記述する）を送信し、端末装置Ｂに該フィードバック情報３を含むための無線リソース（以下に理解及び区分を容易にするために、無線リソース３−２として記述する）を送信するように端末装置Ａにリクエストすることができる。
【０２７７】
限定ではなく一例として、本発明の実施例では、端末装置Ａが毎回割り当てるリソースのサイズが固定されてもよく、即ち、該無線リソース３−２のサイズが例えば通信プロトコルなどによって予め定められてもよい。
【０２７８】
又は、限定ではなく一例として、選択可能に、該ジューリングリクエストメッセージ３−２は、該端末装置Ｂから送信されたデータがフィードバック情報であることを示すための指示識別子を含むことができる。これにより、端末装置Ａは該指示識別子に基づき、無線リソース３−２を確定することができる。
【０２７９】
上記のように無線リソース３−２を確定した場合、端末装置Ａは端末装置Ｂへ無線リソース３−２の指示情報を送信することができ、これにより、端末装置Ｂは該無線リソース３−２によってデータ３に対するフィードバック情報３を送信することができる。限定ではなく一例として、該無線リソース３−２の指示情報は、時間領域又は周波数領域における該無線リソース３−２の位置を示すことに用いられてもよい。
【０２８０】
状況γ
具体的には、本発明の実施例では、通信システムに複数（少なくとも二つ）のグループが同時に存在する可能性があり、グループ＃１における中心端末装置（即ち端末装置Ａ）が他のグループ（即ち第三のグループの一例であり、以下に理解及び区分を容易にするために、グループ＃３として記述する）における中心端末装置（以下に理解及び区分を容易にするために、端末装置Ｇとして記述する）のカバレッジ内にある場合、端末装置Ａは端末装置Ｇから送信された、グループ＃３のグループ識別子（以下に理解及び区分を容易にするために、グループＩＤ＃３として記述する）を含むためのブロードキャスト信号（即ち第二のグループブロードキャスト信号の一例であり、以下に理解及び区分を容易にするために、ブロードキャスト信号＃３として記述する）を受信する可能性がある。
【０２８１】
選択可能に、端末装置Ａが該ブロードキャスト信号＃３の信号強度がプリセット電力閾値（以下に理解を容易にするために、Ｌｐｒｏｘｉｍｉｔｙとして記述する）以上であることを確定した場合、端末装置Ａは、端末装置Ｇとの情報インタラクションプロセスを開始することができる。また、選択可能に、端末装置Ａが該ブロードキャスト信号＃３の信号強度がＬｐｒｏｘｉｍｉｔｙ以上であることを確定した場合、端末装置Ａはさらにブロードキャスト信号＃３の信号強度がＬｐｒｏｘｉｍｉｔｙ以上になっている時間がプリセット時間閾値（以下に理解を容易にするために、Ｒｐｒｏｘｉｍｉｔｙとして記述する）を超えるか否かを確定することができ、「はい」と判定した場合、端末装置Ａは、端末装置Ｇとの情報インタラクションプロセスを開始することができる。
【０２８２】
又は、選択可能に、端末装置Ａは、該ブロードキャスト信号＃３に基づき、該端末装置Ａと該端末装置Ｂの間の距離を確定することができる。例えば、ブロードキャスト信号＃３が端末装置Ｇの位置の指示情報を含む場合、端末装置Ａは該指示情報に基づいて端末装置Ｇの位置を確定することができ、且つＧＰＳなどの技術に基づいて端末装置Ａの位置を確定することができ、さらに端末装置Ａは該端末装置Ａと該端末装置Ｇの間の距離を確定することができる。又は、各種の信号強度と各種の距離値とのマッピング関係の確定を実現することにより、端末装置Ａはブロードキャスト信号＃３の信号強度に基づき、該マッピング関係から該ブロードキャスト信号＃３の信号強度に対応する距離値を検索し、該端末装置Ａと該端末装置Ｇの間の距離とすることができる。端末装置Ａが該端末装置Ａと該端末装置Ｇの間の距離がプリセット距離閾値（以下に理解を容易にするために、Ｓｐｒｏｘｉｍｉｔｙとして記述される）以下であることを確定した場合、端末装置Ａは端末装置Ｇとの情報インタラクションプロセスを開始することができる。また、選択可能に、端末装置Ａが該端末装置Ａと該端末装置Ｇの間の距離がＳｐｒｏｘｉｍｉｔｙ以下であることを確定した場合、端末装置Ａはさらに端末装置Ａと該端末装置Ｇの間の距離がＳｐｒｏｘｉｍｉｔｙ以下になっている時間がＲｐｒｏｘｉｍｉｔｙを超えるか否かを確定することができ、「はい」と判定した場合、端末装置Ａは端末装置Ｇとの情報インタラクションプロセスを開始することができる。
【０２８３】
又は、上記端末装置Ｇは端末装置Ａからのブロードキャスト信号＃１に基づき、端末装置Ａとの情報インタラクションプロセスを開始するか否かを判定することができ、且つ、該判定プロセスが、ブロードキャスト信号＃３に基づく上記端末装置Ａの判定プロセスと同様であり、ここで、繰り返し説明を回避するために、その詳細な説明を省略する。
【０２８４】
限定ではなく一例として、上記情報インタラクションプロセスがグループに含まれる端末装置（メンバー端末装置と中心端末装置を含むことができる）に対する指示情報のインタラクションプロセスであってもよく、以下の方式を挙げることができ、例えば、端末装置Ａは端末装置Ｇへハンドシェイク信号（ＲＥＱＨＡＮＤＳＨＡＫＥ）を送信することができ、端末装置Ｇは、該ハンドシェイク信号を受信した場合、該端末装置Ａとグループ（グループ＃１及び／又はグループ＃３）における端末装置の情報を共有するか否かを判定することができ、限定ではなく一例として、端末装置Ｇは、ユーザ又は管理者により設定された、他のグループと端末装置の情報を共有することを同意するか否かを示すための情報に基づいて上記判定を行うことができる。
【０２８５】
端末装置Ｇが該端末装置Ａとグループにおけるメンバー端末装置の情報を共有できないと判定した場合、端末装置Ｇは端末装置Ａへ拒否応答信号（ＮＡＣＫＨＡＮＤＳＨＡＫＥ）を送信することができ、これにより、端末装置Ａは拒否応答信号に基づき、該端末装置Ｇとグループ（グループ＃１及び／又はグループ＃３）におけるメンバー端末装置の情報を伝送することができないことを確定する。
【０２８６】
端末装置Ｇが該端末装置Ａとグループにおけるメンバー端末装置の情報を共有できると判定した場合、端末装置Ｇは端末装置Ａへ確認応答信号（ＮＡＣＫＨＡＮＤＳＨＡＫＥ）を送信することができ、これにより、端末装置Ａは確認応答信号に基づき、該端末装置Ｇとグループ（グループ＃１及び／又はグループ＃３）におけるメンバー端末装置の情報を伝送することができることを確定する。
【０２８７】
例えば、端末装置Ａはグループ＃１に含まれる各端末装置（メンバー端末装置と中心端末装置を含むことができる）のグループ内識別子の指示情報を端末装置Ｇに送信することができる。
【０２８８】
また例えば、端末装置Ｇはグループ＃３に含まれる各端末装置（メンバー端末装置と中心端末装置を含むことができる）のグループ内識別子の指示情報を端末装置Ａに送信することができる。
【０２８９】
選択可能に、端末装置Ｇが該端末装置Ａとグループにおけるメンバー端末装置の情報を共有できると判定した場合、該端末装置Ａは端末装置Ｇをグループ＃１におけるメンバー端末装置とすることができ、且つ、該端末装置Ｇは端末装置Ａをグループ＃３におけるメンバー端末装置とすることができる。
【０２９０】
これにより、本発明の実施例では、端末装置Ｂはグループ＃３における端末装置（以下に理解及び区分を容易にするために、端末装置Ｈとして記述する）へデータを送信することができる。
【０２９１】
即ち、選択可能に、該方法はさらに、
該第一の端末装置が第一の無線リソースによって該第二の端末装置から送信された第二のデータを受信し、該第二のデータが第八の端末装置に送信される必要があるデータであり、該第八の端末装置が該第三のグループに属することと、
該第一の端末装置が第三の無線リソースを確定し、該第三の無線リソースが該第三のグループにおける中心端末装置により該第一の端末装置に割り当てられたものであることと、
該第一の端末装置が該第三の無線リソースによって該第三のグループにおける中心端末装置又は該第八の端末装置へ該第二のデータを送信することとを含む。
【０２９２】
具体的には、例えば、グループ＃１における端末装置Ｂ（即ち第二の端末装置の一例）がグループ＃３における一つ又は複数のメンバー端末装置（即ち第八の端末装置の一例であり、以下に理解及び説明を容易にするために、端末装置Ｊとして記述する）へデータ（以下に理解及び説明を容易にするために、データ４として記述する）を送信する必要がある場合、端末装置Ｂは、端末装置Ａへリソーススケジューリングリクエストメッセージ（以下に理解及び区分を容易にするために、ジューリングリクエストメッセージ４−１として記述する）を送信することができる。
【０２９３】
これにより、端末装置Ａは該ジューリングリクエストメッセージ４−１に基づき、上記のように確定されたリソースプールから、該データ４を伝送するための無線リソース（例えば時間周波数リソース）を確定することができ、以下に理解及び説明を容易にするために、無線リソース４−１として記述する。
【０２９４】
限定ではなく一例として、端末装置Ａが毎回割り当てるリソースのサイズが固定されてもよく、即ち、該無線リソース４−１のサイズが例えば通信プロトコルなどによって予め定められてもよい。
【０２９５】
又は、限定ではなく一例として、選択可能に、該ジューリングリクエストメッセージ４−１はデータ４のサイズの指示情報を含むことができる。これにより、端末装置Ａはデータ４のサイズに基づき、無線リソース４−１を確定することができる。
【０２９６】
又は、限定ではなく一例として、選択可能に、該ジューリングリクエストメッセージ４−１は、データ４が属するサービスのサービスタイプの指示情報を含むことができる。これにより、端末装置Ａはデータ４が属するサービスのサービスタイプに基づき、無線リソース４−１を確定することができる。限定ではなく一例として、例えば、該データ４の属するサービスが例えばビデオサービスなどの、連続して（例えば時間領域において連続して）伝送する必要があるサービスである場合、端末装置Ａは連続したリソースを無線リソース４−１として確定することができる。
【０２９７】
上記のように無線リソース４−１を確定した場合、端末装置Ａは端末装置Ｂへ無線リソース４−１の指示情報を送信することができ、これにより、端末装置Ｂは該無線リソース４−１によって端末装置Ａへデータ４を送信することができる。限定ではなく一例として、該無線リソース４−１の指示情報は、時間領域又は周波数領域における該無線リソース４−１の位置を示すことに用いられてもよい。
【０２９８】
本発明の実施例では、スケジューリングリクエストメッセージ４−１はさらに該データ４が端末装置Ｊに送信される必要があることを示すための指示情報を含むことができ、限定ではなく一例として、本発明の実施例では、該データ４を含む宛先アドレスフィールドに該端末装置Ｊのグループ内識別子を含むことができ、これにより、端末装置Ａは端末装置Ｈから取得された、グループ＃３に含まれる端末装置の指示情報に基づき、該データ４が伝送されてくる必要がある端末装置（即ち端末装置Ｊ）がグループ＃３に属することを確定することができる。
【０２９９】
これにより、端末装置Ａは端末装置Ｈへリソーススケジューリングリクエストメッセージ（以下に理解及び説明を容易にするために、スケジューリングリクエストメッセージ４−２として記述する）を送信することができる。
【０３００】
これにより、端末装置Ｈは該ジューリングリクエストメッセージ４−２に基づき、グループ＃３のリソースプールから、該データ４を伝送するための無線リソース（例えば時間周波数リソース）を確定することができ、以下に理解及び説明を容易にするために、無線リソース４−２として記述する。ここで、グループ＃３のリソースプール確定プロセスはグループ＃１のリソースプールの確定プロセスと同様であり、ここで、繰り返し説明を回避するために、その詳細な説明を省略する。
【０３０１】
限定ではなく一例として、例えば、端末装置Ｈが毎回割り当てるリソースのサイズが固定されてもよく、即ち、該無線リソース４−２のサイズが例えば通信プロトコルなどによって予め定められてもよい。
【０３０２】
又は、限定ではなく一例として、選択可能に、該ジューリングリクエストメッセージ４−２はデータ４のサイズの指示情報を含むことができる。これにより、端末装置Ｈはデータ４のサイズに基づき、無線リソース４−２を確定することができる。
【０３０３】
又は、限定ではなく一例として、選択可能に、該ジューリングリクエストメッセージ４−２は、データ４が属するサービスのサービスタイプの指示情報を含むことができる。これにより、端末装置Ｈはデータ４が属するサービスのサービスタイプに基づき、無線リソース４−２を確定することができる。限定ではなく一例として、例えば、該データ４の属するサービスが例えばビデオサービスなどの、連続して（例えば時間領域において連続して）伝送する必要があるサービスである場合、端末装置Ｈは連続したリソースを無線リソース４−１として確定することができる。
【０３０４】
上記のように無線リソース４−２を確定した場合、端末装置Ｈは端末装置Ａへ無線リソース４−２の指示情報を送信することができる。
【０３０５】
これにより、例えば、端末装置Ａは該無線リソース４−２によって端末装置Ｈへデータ４を送信することができる。限定ではなく一例として、該無線リソース４−２の指示情報は、時間領域又は周波数領域における該無線リソース４−２の位置を示すことに用いられてもよい。本発明の実施例では、スケジューリングリクエストメッセージ４−２はさらに
該データ４が端末装置Ｊに送信される必要があることを示すための指示情報を含むことができ、限定ではなく一例として、本発明の実施例では、該データ４を含むデータパケットの宛先アドレスフィールドに該端末装置Ｊのグループ内識別子を含むことができ、これにより、端末装置Ｈは該データ４を含むデータパケットの宛先アドレスフィールドに含まれるグループ内識別子に基づき、該データ４を端末装置Ｊに送信することができる。ここで、端末装置Ｈが端末装置Ｊへデータを送信するプロセスは上記端末装置Ａがグループ＃１における端末装置（例えば端末装置Ｂ）へデータを送信するプロセスと同様であり、ここで、繰り返し説明を回避するために、その詳細な説明を省略する。
【０３０６】
又は、例えば、端末装置Ａは該無線リソース４−２によって端末装置Ｊへデータ４を送信することができる。この場合、例えば、スケジューリングリクエストメッセージ４−２はさらに該データ４が端末装置Ｊに送信される必要があることを示すための指示情報を含むことができ、これにより、端末装置Ｈは該データ４が端末装置Ｊに送信される必要があることを確定し、且つ該端末装置Ｊへ該無線リソース４−２の指示情報を送信することができ、これにより、端末装置Ｊは該無線リソース４−２で検出し、該データ４（又は該データ４を含む無線信号）を受信することができる。又は、端末装置Ｊはブラインド検出によりデータ４を受信することができ、例えば、端末装置Ａは端末装置Ｊの装置情報を、該データ４を含むデータパケットにカプセル化することができ、これにより、端末装置Ａは、該端末装置Ｊの装置情報を含むデータパケットを検出した場合、該データパケットに端末装置Ｊに送信される必要がるデータ（例えばデータ４）が含まれることを確定することができ、さらに該データパケットに対して例えばデカプセリング処理などを行い、該データ４を取得することができる。
【０３０７】
また、本発明の実施例では、グループ＃３における端末装置はグループ＃１における端末装置Ｂへデータを送信することができ、且つ、該プロセスが上記データ４の伝送プロセスと同様であり、ここで、繰り返し説明を回避するために、その詳細な説明を省略し、即ち、該方法はさらに、
該第一の端末装置が第四の無線リソースによって該第三のグループにおける中心端末装置から送信された第三のデータを受信し、該第四の無線リソースが該第三のグループにおける中心端末装置によって割り当てられたものであり、該第三のデータが該第二の端末装置に送信される必要があるデータであることと、
該第一の端末装置が第一の無線リソースによって該第二の端末装置へ該第三のデータを送信することとを含む。
【０３０８】
７．新しいグループ中心ノードを生成する
選択可能に、該方法はさらに、
該第一の端末装置が第三のリクエストメッセージを送信し、該第三のリクエストメッセージが、該第一の端末装置が該第一のグループにおける中心端末装置の変更をリクエストすることを示すことに用いられることと、
該第一の端末装置が第九の端末装置から送信された第四のリクエストメッセージを受信し、該第九の端末装置が該第一のグループにおけるメンバー端末装置に属し、該第四のリクエストメッセージが、該第九の端末装置が該第一のグループにおける中心端末装置として機能することをリクエストすることを示すことに用いられ、該第四のリクエストメッセージが、該第九の端末装置が該第三のリクエストメッセージに基づいて送信したものであることと、
該第一の端末装置が該第四のリクエストメッセージに基づき、該第九の端末装置が該第一のグループにおける中心端末装置として機能することを確定することとを含む。
【０３０９】
具体的には、本発明の実施例では、端末装置Ａは自体の通信状況を監視し、自体の通信状況に応じて、継続してグループ＃１における中心端末装置として機能してもよいか否かを確定することができる。
【０３１０】
該第一の端末装置が第三のリクエストメッセージを送信する前に、該方法はさらに、
該第一の端末装置が現在の電気量がプリセット閾値以下であることを確定することと、又は
該第一の端末装置が該第一のグループにおける各メンバー端末装置との距離がプリセット条件を満たしていることを確定することと、又は
該第一の端末装置がネットワーク装置との通信接続が中断されたことを確定することとを含む。
【０３１１】
具体的には、限定ではなく一例として、端末装置Ａは自体の通信状況が以下の条件を満たす場合、継続してグループ＃１における中心端末装置として機能しないことを確定することができる。
【０３１２】
条件１として、端末装置Ａが電池から給電された端末装置である場合、端末装置Ａは自体の現在の電気量を検出することができ、且つ、現在の電気量がプリセット閾値（プリセット電気量値）以下である場合、端末装置Ａは、継続してグループ＃１における中心端末装置として機能しないことを確定することができ、且つ後続の中心端末装置変更プロセスを開始することができる。
【０３１３】
条件２として、端末装置Ａはグループ＃１における各端末装置との距離を検出することができ、且つ、例えば、該端末装置Ａとグループ＃１の所定の数（例えば、グループ＃１におけるメンバー端末装置の数の半分）の端末装置との間の距離がプリセット閾値（プリセット距離値）より大きい場合、端末装置Ａは、継続してグループ＃１における中心端末装置として機能しないことを確定することができ、且つ後続の中心端末装置変更プロセスを開始することができる。
【０３１４】
条件３として、端末装置Ａがネットワーク接続機能を有する端末装置である場合、端末装置Ａは自体のネットワーク接続状況を検出することができ、且つ、端末装置Ａがネットワーク接続を失った（即ちネットワーク装置との通信が中断された）場合又はネットワーク接続が悪い（信号対雑音比がプリセット雑音閾値より大きい）場合、端末装置Ａは、継続してグループ＃１における中心端末装置として機能しないことを確定することができ、且つ後続の中心端末装置変更プロセスを開始することができる。
【０３１５】
理解すべきものとして、以上に挙げられた、中心端末装置変更プロセスの開始を判定する条件は例示的説明だけであり、本発明はこれに限定されず、該条件は具体的な使用状況に応じて任意に設定されてもよい。
【０３１６】
以下に中心端末装置変更プロセスを例示的に説明する。
【０３１７】
例えば、限定ではなく一例として、端末装置Ａはグループ＃１における全てのメンバー端末装置へステップダウン（ｓｔｅｐ  ｄｏｗｎ）申請メッセージをブロードキャストすることができる。グループ＃１におけるメンバー端末装置は、該ステップダウン申請メッセージを受信した場合、自体がグループ＃１における中心端末装置として機能してもよいか否かを判定することができる。限定ではなく一例として、本発明の実施例では、上記条件１〜３と同様の条件を用いて上記判定プロセスを行うことができる。又は、上記グループ確立プロセスで説明された各メンバー中心端末装置によって生成されたシーケンスに基づいて上記判定プロセスを行うことができ、例えば、端末装置Ａ以外の端末装置の中で、生成されたシーケンスが最大又は最小の端末装置は、グループ＃１における中心端末装置として機能することが可能であることを判定することができる。且つ、グループ＃１における中心端末装置として機能することが可能と確定されたメンバー端末装置（以下に理解及び区分を容易にするために、端末装置Ｐとして記述する）は、確定応答メッセージ（ＡＣＫ  ｓｔｅｐｄｏｗｎ）をフィードバックすることができる。これにより、端末装置Ａは該確定応答メッセージを送信する端末装置をグループ＃１における新しい中心端末装置としてすることができる。説明すべきものとして、複数の端末装置が確定応答情報を送信した場合、端末装置Ａはプリセットルール（例えば通信プロトコルの規定又は管理者により設定されたルール）に基づいて一つの端末装置をグループ＃１における新しい中心端末装置として選択することができる。
【０３１８】
又は、限定ではなく一例として、端末装置Ａはグループ＃におけるメンバー端末装置から一つ又は複数のメンバー端末装置を候補端末装置として選択し、且つ該候補端末装置へ変換リクエストメッセージを送信することができ、各候補端末装置は自体がグループ＃１における中心端末装置として機能してもよいか否かを判定し、且つグループ＃１における中心端末装置として機能することが可能であることを確定する時に、該端末装置Ａへ受け入れメッセージをフィードバックすることができる。これにより、端末装置Ａは該受け入れメッセージを送信する端末装置をグループ＃１における中心端末装置とすることができる。説明すべきものとして、複数の端末が受け入れを確定するメッセージを送信した場合、端末装置Ａはプリセットルール（例えば通信プロトコルの規定又は管理者により設定されたルール）に基づいて一つの端末装置をグループ＃１における新しい中心端末装置として選択することができる。
【０３１９】
その後、端末装置Ａはグループ#１における新しい中心端末装置へグループ＃１における各端末装置のコンテキストを伝送することができる。
【０３２０】
グループ＃１における新しい中心端末装置は次のブロードキャスト周期からグループブロードキャスト信号をブロードキャストすることができる。
【０３２１】
端末装置Ａはグループ＃１におけるメンバー端末装置として機能し、且つ次のブロードキャスト周期の前にグループブロードキャスト信号のブロードキャストを停止することができる。
【０３２２】
本発明の実施例による装置間通信のための方法では、少なくとも二つの端末装置がネゴシエーションを行って一つのグループにおける中心端末装置及びメンバー端末装置を確定することにより、該グループにおける中心端末装置によって該グループにおけるメンバー端末装置に装置間通信のための無線リソースを割り当てることができ、これにより、セルラーネットワークの協力がない場合（例えば、従来のＶ２Ｖ通信技術、又は、ネットワーク装置カバレッジがないＤ２Ｄ通信技術）でも、リソーススケジューリングを実現することができ、これにより、リソース共有によって引き起こされた衝突問題を効果的に回避し、装置間通信の成功率を高め、通信遅延を減らし、装置間通信のキャパシティを拡大し、装置間通信の信頼性を向上させることができる。
【０３２３】
図４はメンバー端末装置の観点から接続された本発明の一実施例による装置間通信のための方法３００を示す概略フローチャートである。
【０３２４】
図４に示すように、該方法３００は、
第二の端末装置が第一のグループにおけるメンバー端末装置として機能することを確定し、該第一のグループが中心端末装置と少なくとも一つのメンバー端末装置を含むＳ３１０と、
該第二の端末装置が該第一のグループにおける中心端末装置により割り当てられた第一の無線リソースによって装置間通信を行うＳ３２０とを含む。
【０３２５】
選択可能に、該第一の端末装置が第一のグループにおける中心端末装置として機能することを確定することは、
該第二の端末装置が第二のシーケンスを生成することと、
該第二の端末装置が第二の指示情報を送信し、該第二の指示情報が該第二のシーケンス及び該第二の端末装置の装置情報を示すことに用いられ、一つの装置情報が一つの端末装置を一意に示すことに用いられることと、
該第二の端末装置が第一の指示情報を受信し、該第一の指示情報が第一の端末装置によって生成された第一のシーケンス及び該第一の端末装置の装置情報を示すことに用いられることと、
該第一のシーケンスと該第二のシーケンスとの関係がプリセット条件を満たしている場合、該第二の端末装置が第二の端末装置が該第一のグループにおけるメンバー端末装置として機能することとを確定することを含む。
【０３２６】
選択可能に、該方法はさらに、
該第一のシーケンスと該第二のシーケンスとの関係がプリセット条件を満たしている場合、該第二の端末装置が、該第一の端末装置が該第一のグループにおける中心端末装置であることを確定することを含む。
【０３２７】
選択可能に、該方法はさらに、
該第二の端末装置が第二の検出信号を送信し、該第一の端末装置が受信された第二の検出信号の信号強度が第一のプリセット強度以上であることを確定した後に該第一の指示情報を送信するようにし、又は、該第一の端末装置が受信された第二の検出信号に基づいて確定された該第一の端末装置と該第二の端末装置の間の距離が第一のプリセット距離以下であることを確定した後に該第一の指示情報を送信するようにすることを含む。
【０３２８】
選択可能に、該第二の端末装置が第二の指示情報を送信することは、
該第二の端末装置が第一の検出信号を受信し、該第一の検出信号が該第一の端末装置から送信されたものであることと、
該第二の端末装置が受信された第一の検出信号の信号強度が第一のプリセット強度以上であることを確定した後に該第二の指示情報を送信すること、又は
該第二の端末装置が受信された第一の検出信号に基づいて該第一の端末装置と該第二の端末装置の間の距離を確定し、該第一の端末装置と該第二の端末装置の間の距離が第一のプリセット距離以下であることを確定した後に第二の指示情報を送信することを含む。
【０３２９】
選択可能に、該第一のシーケンスは該第一の端末装置が該第一の端末装置の装置情報に基づいて確定したものであり、及び
該第二の端末装置が第二のシーケンスを生成することは、
該第二の端末装置が該第二の端末装置の装置情報に基づいて第二のシーケンスを生成することを含む。
【０３３０】
選択可能に、該第二の端末装置が第二の端末装置が該第一のグループにおけるメンバー端末装置として機能することを確定する前に、該方法はさらに、
該第二の端末装置が該第一の端末装置から送信された第三の指示情報を受信し、該第三の指示情報が、該第一の端末装置が中心端末装置として機能することをリクエストすることを示すことに用いられることを含む。
【０３３１】
選択可能に、該方法はさらに、
該第二の端末装置が該第一のシーケンスと該第二のシーケンスとの関係が該プリセット条件を満たしていることを確定した場合に第四の指示情報を送信し、該第四の指示情報が、該第二の端末装置が第一の端末装置が該第一のグループにおける中心端末装置として機能することを同意することを示すことに用いられることを含む。
【０３３２】
選択可能に、該方法はさらに、
該第二の端末装置が該第一の端末装置から送信された第六の指示情報を受信し、該第六の指示情報が、該第一の端末装置から該第二の端末装置に割り当てられたグループ内識別子を示すことに用いられることを含み、及び
該第二の端末装置が該第一のグループにおける中心端末装置により割り当てられた第一の無線リソースによって装置間通信を行うことは、
該第二の端末装置が該グループ内識別子に基づき、該第一のグループにおける中心端末装置により割り当てられた第一の無線リソースによって装置間通信を行うことを含む。
【０３３３】
選択可能に、該方法はさらに、
第二の端末装置が該第一の端末装置から周期的に送信された第一のグループブロードキャスト信号を受信し、該第一のグループブロードキャスト信号に該第一のグループのグループ識別子及び該第一の端末装置の装置情報が含まれ、該第一のグループのグループ識別子が該第一の端末装置によって確定されたものであり、一つのグループ識別子が一つの装置グループを一意に示すことに用いられることを含む。
【０３３４】
選択可能に、第二の端末装置が第一のグループにおけるメンバー端末装置として機能することを確定する前に、該方法はさらに、
該第二の端末装置が受信された第一のグループブロードキャスト信号の信号強度が第二のプリセット強度以上であることを確定した後に、該第一の端末装置へ第一のリクエストメッセージを送信すること、又は
該第二の端末装置が受信された第一のグループブロードキャスト信号に基づいて確定された該第一の端末装置と該第二の端末装置との距離が第二のプリセット距離以下であることを確定した後に、該第一の端末装置へ第一のリクエストメッセージを送信することを含み、
ここで、該第一のリクエストメッセージに該第二の端末装置の装置情報が含まれ、該第一のリクエストメッセージが該第二の端末装置が該第一のグループへの加入をリクエストすることを示すことに用いられる。
【０３３５】
選択可能に該方法はさらに、
該第二の端末装置が受信された第一のグループブロードキャスト信号の信号強度が第二のプリセット強度未満であることを確定した後、又は受信された第一のグループブロードキャスト信号に基づいて確定された該第一の端末装置と該第二の端末装置の間の距離が第二のプリセット距離より大きいことを確定した後に、該第一の端末装置へ第二のリクエストメッセージを送信し、該第二のリクエストメッセージが、該第二のメンバー端末装置が該第一のグループからの脱退をリクエストすることを示すことに用いられることを含む。
【０３３６】
選択可能に、該方法はさらに、
該第二の端末装置が、該第一のグループにおけるメンバー端末装置として機能することを確定した後にプリセット周期に従って該第一の端末装置へハートビート信号を送信することと、
該第二の端末装置が受信された第一のグループブロードキャスト信号の信号強度が第二のプリセット強度未満であることを確定した後に該ハートビート信号の送信を停止することと、又は
該第二の端末装置が受信された第一のグループブロードキャスト信号に基づいて確定された該第一の端末装置と該第二の端末装置の間の距離が第二のプリセット距離より大きいことを確定した後に該ハートビート信号の送信を停止することとを含む。
【０３３７】
選択可能に、該第二の端末装置が該第一のグループにおける中心端末装置により割り当てされた第一の無線リソースによって装置間通信を行うことは、
該第二の端末装置が該第一の無線リソースによって該第一のグループにおける第七の端末装置へ第一のデータを送信することを含む。
【０３３８】
選択可能に、該第二の端末装置が該第一のグループにおける中心端末装置により割り当てられた第一の無線リソースによって装置間通信を行うことは、
該第二の端末装置が該第一の無線リソースによって該第一の端末装置へ第二のデータを送信し、該第二のデータが第八の端末装置に送信される必要があるデータであり、該第八の端末装置が第三のグループに属することを含む。
【０３３９】
選択可能に、該第二の端末装置が該第一のグループにおける中心端末装置により割り当てられた第一の無線リソースによって装置間通信を行うことは、
該第二の端末装置が第一の無線リソースによって該第一の端末装置から送信された第三のデータを受信し、該第三のデータが第三のグループにおける中心端末装置が第四の無線リソースによって該第一の端末装置に送信した第三のデータであり、該第四の無線リソースが該第三のグループにおける中心端末装置によって割り当てられたものであることを含む。
【０３４０】
選択可能に、該方法はさらに、
該第二の端末装置が第四の無線リソースによって第三のグループにおける中心端末装置から送信された第三のデータを受信し、該第四の無線リソースが該第三のグループにおける中心端末装置によって割り当てられたものであることを含む。
【０３４１】
選択可能に、該第二の端末装置が該第一のグループにおける中心端末装置により割り当てられた第一の無線リソースによって装置間通信を行うことは、
該第二の端末装置が該第一の無線リソースによって該第一の端末装置へ第四のデータを送信し、該第四のデータがネットワーク装置に送信される必要があるデータであることを含む。
【０３４２】
選択可能に、該第二の端末装置が該第一のグループにおける中心端末装置により割り当てられた第一の無線リソースによって装置間通信を行うことは、
該第二の端末装置が第一の無線リソースによって該第一の端末装置から送信された第五のデータを受信し、該第五のデータがネットワーク装置から該第一の端末装置に送信されたものであることを含む。
【０３４３】
選択可能に、該方法はさらに、
該第二の端末装置が該第一の端末装置から送信された第三のリクエストメッセージを受信し、該第三のリクエストメッセージが、該第一の端末装置が該第一のグループにおける中心端末装置の変更をリクエストすることを示すことに用いられることと、
該第二の端末装置が該第三のリクエストメッセージに基づき、該第一の端末装置へ第四のリクエストメッセージを送信し、該第四のリクエストメッセージが、該第二の端末装置が該第一のグループにおける中心端末装置として機能することをリクエストすることを示すことに用いられることとを含む。
【０３４４】
本発明の実施例では、第二の端末装置が該方法３００において実行した各動作及び処理プロセスは上記方法２００で説明された端末装置Ｂの各動作及び処理プロセスと同様であり、第一の端末装置が該方法３００において実行した各動作及び処理プロセスは上記方法２００で説明された端末装置Ａの各動作及び処理プロセスと同様であり、ここで、繰り返し説明を回避するために、その詳細な説明を省略する。
【０３４５】
本発明の実施例による装置間通信のための方法では、少なくとも二つの端末装置がネゴシエーションを行って一つのグループにおける中心端末装置及びメンバー端末装置を確定することにより、該グループにおける中心端末装置によって該グループにおけるメンバー端末装置に装置間通信のための無線リソースを割り当てることができ、これにより、セルラーネットワークの協力がない場合（例えば、従来のＶ２Ｖ通信技術、又は、ネットワーク装置カバレッジがないＤ２Ｄ通信技術）でも、リソーススケジューリングを実現することができ、これにより、リソース共有によって引き起こされた衝突問題を効果的に回避し、装置間通信の成功率を高め、通信遅延を減らし、装置間通信のキャパシティを拡大し、装置間通信の信頼性を向上させることができる。
【０３４６】
以上に図１〜図４を参照して本発明の実施例による装置間通信のための方法を詳細に説明し、以下に図５と図６を参照して本発明の実施例による装置間通信のための装置を詳細に説明する。
【０３４７】
図５は本発明の実施例による装置間通信のための装置４００を示すブロック図であり、図５に示すように、該装置４００は、
第一のグループにおける中心端末装置として機能することを確定するように構成され、該第一のグループが該中心端末装置と少なくとも一つのメンバー端末装置を含む確定ユニット４１０と、
第二の端末に第一の無線リソースを割り当て、該第二の端末装置が該第一の無線リソースに基づいて装置間通信を行うようにするように構成され、該第二の端末装置が該第一のグループにおけるメンバー端末装置に属する処理ユニット４２０とを備える。
【０３４８】
選択可能に、該確定ユニット４１０は第一のシーケンスを生成するように構成され、
該装置４００はさらに、
第一の指示情報を送信するように構成され、該第一の指示情報が該第一のシーケンス及び該装置４００の装置情報を示すことに用いられ、一つの装置情報が一つの端末装置を一意に示すことに用いられる送信ユニット４２０と、
少なくとも一つの第二の指示情報を受信するように構成され、該少なくとも一つの第二の指示情報が少なくとも一つの第三の端末装置と一対一で対応し、各第二の指示情報が対応する第三の端末装置によって生成された第二のシーケンス及び対応する第三の端末装置の装置情報を示すことに用いられる受信ユニット４３０とを備え、
該確定ユニット４１０は該第一のシーケンスと該第二のシーケンスとの関係がプリセット条件を満たしている場合、該第一のグループにおける中心端末装置として機能することを確定するように構成される。
【０３４９】
選択可能に、該確定ユニット４１０は該第一のシーケンスと該第二のシーケンスとの関係がプリセット条件を満たしている場合、該第三の端末装置が該第一のグループにおけるメンバー端末装置に属することを確定するように構成される。
【０３５０】
選択可能に、該送信ユニット４２０はさらに第一の検出信号を送信し、該第三の端末装置が受信された第一の検出信号の信号強度が第一のプリセット強度以上であることを確定した後に該第二の指示情報を送信するようにし、又は、該第三の端末装置が受信された第一の検出信号に基づいて確定された該第一の端末装置と該第二の端末装置の間の距離が第一のプリセット距離以下であることを確定した後に該第二の指示情報を送信するようにするように構成される。
【０３５１】
選択可能に、該受信ユニット４３０はさらに第二の検出信号を受信するように構成され、該第二の検出信号が該第三の端末装置から送信されたものであり、
該確定ユニット４１０はさらに、受信された第二の検出信号の信号強度が第一のプリセット強度以上であることを確定した後に、該第一の指示情報を送信するように該送信ユニット４２０を制御するように構成され、又は
該確定ユニット４１０はさらに、受信された第二の検出信号に基づいて該装置４００と該第三の端末装置の間の距離を確定し、該該装置４００と該第三の端末装置の間の距離が第一のプリセット距離以下であることを確定した後に、第一の指示情報を送信するように該送信ユニット４２０を制御するように構成される。
【０３５２】
選択可能に、該第二のシーケンスは該第三の端末装置が該第三の端末装置の装置情報に基づいて確定したものであり、及び
該確定ユニット４１０は具体的に該装置４００の装置情報に基づいて第一のシーケンスを生成するように構成される。
【０３５３】
選択可能に、該確定ユニット４１０はさらに、該第一のシーケンスと該第二のシーケンスとの関係がプリセット条件を満たしている場合、第三の指示情報を送信するように該送信ユニット４２０を制御するように構成され、該第三の指示情報が、該装置４００が中心端末装置として機能することをリクエストすることを示すことに用いられる。
【０３５４】
選択可能に、該受信ユニット４３０はさらに第四の指示情報を受信するように構成され、該第四の指示情報が、該第三の端末装置が装置４００が該第一のグループにおける中心端末装置として機能することを同意することを示すことに用いられ、該第四の指示情報が、該第三の端末装置が該第一のシーケンスと該第二のシーケンスとの関係が該プリセット条件を満たしていることを確定した場合に送信したものであり、
該確定ユニット４１０は具体的に該第四の指示情報に基づき、該第一のグループにおける中心端末装置として機能することを確定し、且つ該第三の端末が該メンバー端末装置に属することを確定するように構成される。
【０３５５】
選択可能に、該第四の指示情報はさらに該第一のシーケンスを示すことに用いられる。
【０３５６】
選択可能に、該確定ユニット４１０は具体的に、該送信ユニット４２０が該第三の指示情報を送信した後の所定期間Ｔ内に該受信ユニット４３０が第五の指示情報が受信されていないことを確定した場合に、該第一のグループにおける中心端末装置として機能することを確定し、且つ該第三の端末が該メンバー端末装置に属することを確定するように構成され、該第五の指示情報が、該第三の端末装置が該装置４００が該第一のグループにおける中心端末装置として機能することを同意しないことを示すことに用いられる。
【０３５７】
選択可能に、該確定ユニット４１０はさらに該受信ユニット４３０が該プリセット期間Ｔの後に該第五の指示情報を受信した場合、該第三の端末装置が該第一のグループに属しないことを確定するように構成される。
【０３５８】
選択可能に、該確定ユニット４１０はさらに、該送信ユニット４２０が該第三の指示情報を送信した後のプリセット期間Ｔ内に該受信ユニット４３０が第五の指示情報を受信したことを確定した場合に、該第一の指示情報を再度送信するように該送信ユニット４２０を制御するように構成され、該第五の指示情報が、該第三の端末装置が装置４００が該第一のグループにおける中心端末装置として機能することを同意しないことを示すことに用いられる。
【０３５９】
選択可能に、該第五の指示情報は、該第三の端末装置が該第一の指示情報の受信エラーを確定した後に送信したものであり、及び
該第五の指示情報がさらに該第一の指示情報のうちの受信エラーになる部分を示すことに用いられる。
【０３６０】
選択可能に、該処理ユニット４２０はさらに該第一のグループにおける各端末装置にグループ内識別子を割り当てるように構成され、一つのグループ内識別子が該第一のグループにおける一つの端末装置を一意に示すことに用いられ、
該装置４００はさらに、
第六の指示情報を送信するように構成され、該第六の指示情報が該第一のグループにおける各端末装置のグループ内識別子を示すことに用いられ、該第一のグループにおける各端末装置同士が該グループ識別子に基づいて装置間通信を行うようにする送信ユニット４２０を備える。
【０３６１】
選択可能に、該確定ユニット４１０はさらに該第一のグループのグループ識別子を確定するように構成され、一つのグループ識別子が一つの装置グループを一意に示すことに用いられ、
該装置４００はさらに、
第一のグループブロードキャスト信号を周期的に送信するように構成され、該第一のグループブロードキャスト信号に該第一のグループのグループ識別子及び該装置４００の装置情報が含まれる送信ユニット４２０を備える。
【０３６２】
選択可能に、該装置４００はさらに、
少なくとも一つの第二のグループブロードキャスト信号を受信し、該少なくとも一つの第二のグループブロードキャスト信号が少なくとも一つの第二のグループと一対一で対応し、各第二のグループブロードキャスト信号が対応する第二のグループにおける中心端末装置によって周期的に送信されたものであり、各第二のグループブロードキャスト信号に、対応する第二のグループのグループ識別子及び対応する第二のグループにおける中心端末装置の装置情報が含まれる受信ユニット４３０を備え、
該確定ユニット４１０はさらに、該第二のグループのグループ識別子が該第一のグループのグループ識別子と同じであることを確定した場合に、該第一のグループのグループ識別子を変更するように構成され、又は
該確定ユニット４１０はさらに該第二のグループのグループ識別子が該第一のグループのグループ識別子と同じであることを確定した場合に、第九の指示情報を送信するように該送信ユニット４２０を制御するように構成され、該第九の指示情報が、該第二のグループのグループ識別子を変更するように該第二のグループにおける中心端末装置に指示することに用いられる。
【０３６３】
選択可能に、該装置４００はさらに、
第四の端末装置から送信された第一のリクエストメッセージを受信するように構成され、該第一のリクエストメッセージに該第四の端末装置の装置情報が含まれ、該第一のリクエストメッセージが、該第四の端末装置が該第一のグループへの加入をリクエストすることを示すことに用いられ、該第一のリクエストメッセージが、該第二の端末装置が受信された第一のグループブロードキャスト信号の信号強度が第二のプリセット強度以上であることを確定した後に送信したものであり、又は、該第一のリクエストメッセージが、該第二の端末装置が受信された第一のグループブロードキャスト信号に基づいて確定された装置４００と該第四の端末装置の間の距離が第二のプリセット距離以下であることを確定した後に送信したものである受信ユニット４３０を備え、
該確定ユニット４１０はさらに該第一のリクエストメッセージに基づき、該第四の端末装置が該第一のグループにおけるメンバー端末装置に属することを確定するように構成される。
【０３６４】
選択可能に、該装置４００はさらに、
該第一のグループにおける第五の端末装置から送信された第二のリクエストメッセージを受信するように構成され、該第五の端末装置が該第一のグループにおけるメンバー端末装置に属し、該第二のリクエストメッセージが、該第五の端末装置が該第一のグループからの脱退をリクエストすることを示すことに用いられ、該第二のリクエストメッセージが、該第五の端末装置が受信された第一のグループブロードキャスト信号の信号強度が第二のプリセット強度未満であることを確定した後に送信したものであり、又は、該第二のリクエストメッセージが、該第五の端末装置が受信された第一のグループブロードキャスト信号に基づいて確定された該装置４００と該第五の端末装置の間の距離が第二のプリセット距離より大きいことを確定した後に送信したものであり、
該確定ユニット４１０はさらに該第二のリクエストメッセージに基づき、第五の端末装置が該第一のグループにおけるメンバー端末装置に属しないことを確定するように構成される。
【０３６５】
選択可能に、該装置４００はさらに、
第六の端末装置から送信されたハートビート信号を受信するように構成され、該第六の端末装置が該第一のグループにおけるメンバー端末装置に属し、該ハートビート信号に該第六の端末装置の装置情報が含まれ、該ハートビート信号が、該第六の端末装置が該第一のグループにおけるメンバー端末装置として機能することを確定した後にプリセット周期に従って送信するものである受信ユニット４３０を備え、
該確定ユニット４１０はさらに、プリセット時間内に該受信ユニット４３０が該ハートビート信号が受信されていないことを確定した場合に、該第六の端末装置が該第一のグループにおけるメンバー端末装置に属しないことを確定するように構成され、該プリセット時間が該プリセット周期の時間以上であり、該第六の端末装置が受信された第一のグループブロードキャスト信号の信号強度が第二のプリセット強度未満であることを確定した後に該ハートビート信号の送信を停止し、又は、該第六の端末装置が受信された第一のグループブロードキャスト信号に基づいて確定された該装置４００と該第六の端末装置の間の距離が第二のプリセット距離より大きいことを確定した後に該ハートビート信号の送信を停止する。
【０３６６】
選択可能に、該第一の無線リソースは具体的に該第二の端末装置が該第一のグループにおける第七の端末装置へ第一のデータを送信することに用いられる。
【０３６７】
選択可能に、該装置４００はさらに、
該第七の端末装置へ該第一の無線リソースの指示情報を送信するように構成される送信ユニット４２０を備える。
【０３６８】
選択可能に、該装置４００はさらに、
該第七の端末装置へ第十の指示情報を送信するように構成され、該第十の指示情報が検出信号を送信するように該第七の端末装置に指示することに用いられる送信ユニット４２０を備える。
【０３６９】
選択可能に、該処理ユニット４２０はさらに該第七の端末装置に第二の無線リソースを割り当て、該第七の端末装置が該第二の無線リソースによって該第一のデータに対するフィードバック情報を送信するようにするように構成される。
【０３７０】
選択可能に、該装置４００はさらに、
第三のグループブロードキャスト信号を受信するように構成され、該第三のグループブロードキャスト信号が第三のグループにおける中心端末装置が周期的に送信したものであり、該第三のグループブロードキャスト信号に該第三のグループのグループ識別子及び該第三のグループにおける中心端末装置の装置情報が含まれる受信ユニット４３０を備え、
該確定ユニット４１０は、該第三のグループに含まれる端末装置を確定し、且つ該第一のグループに含まれる端末装置が該第三のグループにおける中心端末装置に知られるように、該第三のグループブロードキャスト信号に基づき、該第三のグループにおける中心端末装置と通信するように送信ユニット４２０と該受信ユニット４３０を制御するようにさらに構成される。
【０３７１】
選択可能に、該装置４００はさらに、
第一の無線リソースによって該第二の端末装置から送信された第二のデータを受信するように構成され、該第二のデータが第八の端末装置に送信される必要があるデータであり、該第八の端末装置が該第三のグループに属する受信ユニット４３０を備え、
該確定ユニット４１０はさらに第三の無線リソースを確定するように構成され、該第三の無線リソースが該第三のグループにおける中心端末装置により該装置４００に割り当てられたものであり、
送信ユニット４２０は該第三の無線リソースによって該第三のグループにおける中心端末装置又は該第八の端末装置へ該第二のデータを送信するように構成される。
【０３７２】
選択可能に、該装置４００はさらに、
第四の無線リソースによって該第三のグループにおける中心端末装置から送信された第三のデータを受信するように構成され、該第四の無線リソースが該第三のグループにおける中心端末装置によって割り当てられたものであり、該第三のデータが該第二の端末装置に送信される必要があるデータである受信ユニット４３０と、
第一の無線リソースによって該第二の端末装置へ該第三のデータを送信するように構成される送信ユニット４２０とを備える。
【０３７３】
選択可能に、該装置４００はさらに、
第一の無線リソースによって該第二の端末装置から送信された第四のデータを受信するように構成され、該第四のデータがネットワーク装置に送信される必要があるデータである受信ユニット４３０と、
該ネットワーク装置へ該第四のデータを送信するように構成される送信ユニット４２０とを備える。
【０３７４】
選択可能に、該装置４００はさらに、
ネットワーク装置から送信された第五のデータを受信するように構成され、該第五のデータが該第二の端末装置に送信される必要があるデータである受信ユニット４３０と、
第一の無線リソースによって該第二の端末装置へ該第五のデータを送信するように構成される送信ユニット４２０とを備える。
【０３７５】
選択可能に、該装置４００はさらに、
第三のリクエストメッセージを送信するように構成され、該第三のリクエストメッセージが、該装置４００が該第一のグループにおける中心端末装置の変更をリクエストすることを示すことに用いられる送信ユニット４２０と、
第九の端末装置から送信された第四のリクエストメッセージを受信するように構成され、該第九の端末装置が該第一のグループにおけるメンバー端末装置に属し、該第四のリクエストメッセージが、該第九の端末装置が該第一のグループにおける中心端末装置として機能することをリクエストすることを示すことに用いられ、該第四のリクエストメッセージが、該第九の端末装置が該第三のリクエストメッセージに基づいて送信したものである受信ユニット４３０とを備え、
該装置４００は該第四のリクエストメッセージに基づき、該第九の端末装置が該第一のグループにおける中心端末装置として機能することを確定する。
【０３７６】
選択可能に、該確定ユニット４１０はさらに、現在の電気量がプリセット閾値以下であることを確定するように構成され、又は
該確定ユニット４１０はさらに該第一のグループにおける各メンバー端末装置との距離がプリセット条件を満たしていることを確定するように構成され、又は
該確定ユニット４１０はさらにネットワーク装置との通信接続が中断されたことを確定するように構成される。
【０３７７】
本発明の実施例による装置間通信のための装置４００は本発明の実施例の方法における第一の端末装置（例えば端末装置Ａ）に対応してもよく、且つ、装置間装置のための装置４００の各ユニット即ちモジュールと上記の他の操作及び／又は機能はそれぞれ図２の方法２００の対応するプロセスを実現するためのものであり、簡潔するために、ここで省略を説明する。
【０３７８】
本発明の実施例による装置間通信のための装置では、少なくとも二つの端末装置がネゴシエーションを行って一つのグループにおける中心端末装置及びメンバー端末装置を確定することにより、該グループにおける中心端末装置によって該グループにおけるメンバー端末装置に装置間通信のための無線リソースを割り当てることができ、これにより、セルラーネットワークの協力がない場合（例えば、従来のＶ２Ｖ通信技術、又は、ネットワーク装置カバレッジがないＤ２Ｄ通信技術）でも、リソーススケジューリングを実現することができ、これにより、リソース共有によって引き起こされた衝突問題を効果的に回避し、装置間通信の成功率を高め、通信遅延を減らし、装置間通信のキャパシティを拡大し、装置間通信の信頼性を向上させることができる。
【０３７９】
図６は本発明の実施例による装置間通信のための装置５００を示すブロック図であり、図６に示すように、該装置５００は、
第一のグループにおけるメンバー端末装置として機能することを確定するように構成され、該第一のグループが中心端末装置と少なくとも一つのメンバー端末装置を含む確定ユニット５１０と、
該第一のグループにおける中心端末装置により割り当てられた第一の無線リソースによって装置間通信を行うように構成される通信ユニット５２０とを備える。
【０３８０】
選択可能に、該確定ユニット５１０は第二のシーケンスを生成するように構成され、
該通信ユニット５２０は、第二の指示情報を送信するように構成され、該第二の指示情報が該第二のシーケンス及び該装置５００の装置情報を示すことに用いられ、一つの装置情報が一つの端末装置を一意に示すことに用いられ、
該通信ユニット５２０は、第一の指示情報を受信するように構成され、該第一の指示情報が第一の端末装置によって生成された第一のシーケンス及び該第一の端末装置の装置情報を示すことに用いられ、
該確定ユニット５１０は、該第一のシーケンスと該第二のシーケンスとの関係がプリセット条件を満たしている場合、該第一のグループにおけるメンバー端末装置として機能することを確定するように構成される。
【０３８１】
選択可能に、該確定ユニット５１０は、該第一のシーケンスと該第二のシーケンスとの関係がプリセット条件を満たしている場合、該第一の端末装置が該第一のグループにおける中心端末装置であることを確定するように構成される。
【０３８２】
選択可能に、該通信ユニット５２０は、第二の検出信号を送信し、該第一の端末装置が受信された第二の検出信号の信号強度が第一のプリセット強度以上であることを確定した後に該第一の指示情報を送信するようにし、又は、該第一の端末装置が受信された第二の検出信号に基づいて確定された該第一の端末装置と該装置５００の間の距離が第一のプリセット距離以下であることを確定した後に該第一の指示情報を送信するようにするように構成される。
【０３８３】
選択可能に、該通信ユニット５２０は、第一の検出信号を受信するように構成され、該第一の検出信号が該第一の端末装置から送信されたものであり、
該確定ユニット５１０は、該通信ユニット５２０によって受信された第一の検出信号の信号強度が第一のプリセット強度以上であることを確定した後に、該第二の指示情報を送信するように該通信ユニット５２０を制御するように構成され、又は
該確定ユニット５１０は、該通信ユニット５２０に受信された第一の検出信号に基づいて該第一の端末装置と該装置５００の間の距離を確定し、該第一の端末装置と該装置５００の間の距離が第一のプリセット距離以下であることを確定した後に、第二の指示情報を送信するように該通信ユニット５２０を制御するように構成される。
【０３８４】
選択可能に、該第一のシーケンスは該第一の端末装置が該第一の端末装置の装置情報に基づいて確定したものであり、及び
該確定ユニット５１０は、該装置５００の装置情報に基づいて第二のシーケンスを生成するように構成される。
【０３８５】
選択可能に、該通信ユニット５２０は、該第一の端末装置から送信された第三の指示情報を受信するように構成され、該第三の指示情報が、該第一の端末装置が中心端末装置として機能することをリクエストすることを示すことに用いられる。
【０３８６】
選択可能に、該確定ユニット５１０は、該第一のシーケンスと該第二のシーケンスとの関係が該プリセット条件を満たしていることを確定した場合、第四の指示情報を送信するように通信ユニット５２０を制御するように構成され、該第四の指示情報が、該装置５００が第一の端末装置が該第一のグループにおける中心端末装置として機能することを同意することを示すことに用いられる。
【０３８７】
選択可能に、該通信ユニット５２０は該第一の端末装置から送信された第六の指示情報を受信するように構成され、該第六の指示情報が、該第一の端末装置から該装置５００に割り当てられたグループ内識別子を示すことに用いられ、及び
該通信ユニット５２０は該グループ内識別子に基づき、該第一のグループにおける中心端末装置により割り当てられた第一の無線リソースによって装置間通信を行うように構成される。
【０３８８】
選択可能に、該通信ユニット５２０は、該第一の端末装置から周期的に送信された第一のグループブロードキャスト信号を受信するように構成され、該第一のグループブロードキャスト信号に該第一のグループのグループ識別子及び該第一の端末装置の装置情報が含まれ、該第一のグループのグループ識別子が該第一の端末装置によって確定されたものであり、一つのグループ識別子が一つの装置グループを一意に示すことに用いられる。
【０３８９】
選択可能に、該確定ユニット５１０は、該通信ユニット５２０によって受信された第一のグループブロードキャスト信号の信号強度が第二のプリセット強度以上であることを確定した後に、該第一の端末装置へ第一のリクエストメッセージを送信するように該通信ユニット５２０を制御するように構成され、又は
該確定ユニット５１０は、該通信ユニット５２０によって受信された第一のグループブロードキャスト信号に基づいて確定された該第一の端末装置と該装置５００との距離が第二のプリセット距離以下であることを確定した後に、該第一の端末装置へ第一のリクエストメッセージを送信するように該通信ユニット５２０を制御するように構成され、
ここで、該第一のリクエストメッセージに該装置５００の装置情報が含まれ、該第一のリクエストメッセージが該装置５００が該第一のグループへの加入をリクエストすることを示すことに用いられる。
【０３９０】
選択可能に、該確定ユニット５１０は該通信ユニット５２０によって受信された第一のグループブロードキャスト信号の信号強度が第二のプリセット強度未満であることを確定した後に、該第一の端末装置へ第二のリクエストメッセージを送信するように該通信ユニット５２０を制御するように構成され、又は
該確定ユニット５１０は該通信ユニット５２０によって受信された第一のグループブロードキャスト信号に基づいて確定された該第一の端末装置と該装置５００の間の距離が第二のプリセット距離より大きいことを確定した後に、該第一の端末装置へ第二のリクエストメッセージを送信するように該通信ユニット５２０を制御するように構成され、
ここで、第二のリクエストメッセージが該第二のメンバー端末装置が該第一のグループからの脱退をリクエストすることを示すことに用いられる。
【０３９１】
選択可能に、該確定ユニット５１０は、該第一のグループにおけるメンバー端末装置として機能することを確定した後に、プリセット周期に従って該第一の端末装置へハートビート信号を送信するように該通信ユニット５２０を制御するように構成され、
該確定ユニット５１０は、該通信ユニット５２０によって受信された第一のグループブロードキャスト信号の信号強度が第二のプリセット強度未満であることを確定した後に、該ハートビート信号の送信を停止するように該通信ユニット５２０を制御するように構成され、又は
該確定ユニット５１０は、該通信ユニット５２０によって受信された第一のグループブロードキャスト信号に基づいて確定された該第一の端末装置と該装置５００の間の距離が第二のプリセット距離より大きいことを確定した後に、該ハートビート信号の送信を停止するように該通信ユニット５２０を制御するように構成される。
【０３９２】
選択可能に、該通信ユニット５２０は、該第一の無線リソースによって該第一のグループにおける第七の端末装置へ第一のデータを送信するように構成される。
【０３９３】
選択可能に、該通信ユニット５２０は、該第一の無線リソースによって該第一の端末装置へ第二のデータを送信するように構成され、該第二のデータが第八の端末装置に送信される必要があるデータであり、該第八の端末装置が第三のグループに属する。
【０３９４】
選択可能に、該通信ユニット５２０は、第一の無線リソースによって該第一の端末装置から送信された第三のデータを受信するように構成され、該第三のデータが第三のグループにおける中心端末装置が第四の無線リソースによって該第一の端末装置に送信した第三のデータであり、該第四の無線リソースが該第三のグループにおける中心端末装置によって割り当てられたものである。
【０３９５】
選択可能に、該通信ユニット５２０は、第四の無線リソースによって第三のグループにおける中心端末装置により送信された第三のデータを受信するように構成され、該第四の無線リソースが該第三のグループにおける中心端末装置によって割り当てられたものである。
【０３９６】
選択可能に、該通信ユニット５２０は、該第一の無線リソースによって該第一の端末装置へ第四のデータを送信するように構成され、該第四のデータがネットワーク装置に送信される必要があるデータである。
【０３９７】
選択可能に、該通信ユニット５２０は、第一の無線リソースによって該第一の端末装置から送信された第五のデータを受信するように構成され、第五のデータがネットワーク装置から該第一の端末装置に送信されたものである。
【０３９８】
選択可能に、該通信ユニット５２０は、該第一の端末装置から送信された第三のリクエストメッセージを受信するように構成され、該第三のリクエストメッセージが、該第一の端末装置が該第一のグループにおける中心端末装置の変更をリクエストすることを示すことに用いられ、
該通信ユニット５２０は、該第三のリクエストメッセージに基づき、該第一の端末装置へ第四のリクエストメッセージを送信するように構成され、該第四のリクエストメッセージが、該装置５００が該第一のグループにおける中心端末装置として機能することをリクエストすることを示すことに用いられる。
【０３９９】
本発明の実施例による装置間通信のための装置５００は本発明の実施例の方法における第二の端末装置（例えば端末装置Ｂ）に対応してもよく、且つ、装置間装置のための装置５００の各ユニット即ちモジュールと上記の他の操作及び／又は機能はそれぞれ図４の方法３００の対応するプロセスを実現するためのものであり、簡潔するために、ここで省略を説明する。
【０４００】
本発明の実施例による装置間通信のための装置では、少なくとも二つの端末装置がネゴシエーションを行って一つのグループにおける中心端末装置及びメンバー端末装置を確定することにより、該グループにおける中心端末装置によって該グループにおけるメンバー端末装置に装置間通信のための無線リソースを割り当てることができ、これにより、セルラーネットワークの協力がない場合（例えば、従来のＶ２Ｖ通信技術、又は、ネットワーク装置カバレッジがないＤ２Ｄ通信技術）でも、リソーススケジューリングを実現することができ、これにより、リソース共有によって引き起こされた衝突問題を効果的に回避し、装置間通信の成功率を高め、通信遅延を減らし、装置間通信のキャパシティを拡大し、装置間通信の信頼性を向上させることができる。
【０４０１】
以上に図１〜図４を参照して本発明の実施例による装置間通信のための方法を詳細に説明し、以下に図７と図８を参照して本発明の実施例による装置間通信のための装置を詳細に説明する。
【０４０２】
図７は本発明の実施例による装置間通信のための装置６００を示すブロック図であり、図７に示すように、該装置６００は、プロセッサ６１０と送受信機６２０を備え、プロセッサ６１０が送受信機６２０に接続され、選択可能に、該装置６００はさらにメモリ６３０を備え、メモリ６３０がプロセッサ６１０に接続され、さらに選択可能に、該装置６００はバスシステム６４０を備える。その中、プロセッサ６１０、メモリ６３０と送受信機６２０はバスシステム６４０を介して接続することができ、該メモリ６３０はコマンドを記憶するように構成されてもよく、該プロセッサ６１０は該メモリ６３０に記憶されたコマンドを実行し、情報又は信号を送信するように送受信機６２０を制御するように構成され、
該プロセッサ６１０は装置６００が第一のグループにおける中心端末装置として機能することを確定するように構成され、該第一のグループが該中心端末装置と少なくとも一つのメンバー端末装置を含み、
該プロセッサ６１０は、第二の端末に第一の無線リソースを割り当て、該第二の端末装置が第一の無線リソースに基づいて装置間通信を行うように構成され、該第二の端末装置が該第一のグループにおけるメンバー端末装置に属する。
【０４０３】
選択可能に、該プロセッサ６１０は、第一のシーケンスを生成するように構成され、
該プロセッサ６１０は第一の指示情報を送信するように該送受信機６２０を制御し、該第一の指示情報が該第一のシーケンス及び該装置６００の装置情報を示すことに用いられ、一つの装置情報が一つの端末装置を一意に示すことに用いられ、
該プロセッサ６１０は少なくとも一つの第二の指示情報を受信するように該送受機６２０を制御するように構成され、該少なくとも一つの第二の指示情報が少なくとも一つの第三の端末装置と一対一で対応し、各第二の指示情報が対応する第三の端末装置によって生成された第二のシーケンス及び対応する第三の端末装置の装置情報を示すことに用いられ、
該プロセッサ６１０は、該第一のシーケンスと該第二のシーケンスとの関係がプリセット条件を満たしている場合、該装置６００が該第一のグループにおける中心端末装置として機能することを確定するように構成される。
【０４０４】
選択可能に、該プロセッサ６１０は、該第一のシーケンスと該第二のシーケンスとの関係がプリセット条件を満たしている場合、該第三の端末装置が該第一のグループにおけるメンバー端末装置に属することを確定するように構成される。
【０４０５】
選択可能に、該プロセッサ６１０は、第一の検出信号を送信するように該送受信機６２０を制御し、該第三の端末装置が受信された第一の検出信号の信号強度が第一のプリセット強度以上であることを確定した後に該第二の指示情報を送信するようにし、又は、該第三の端末装置が受信された第一の検出信号に基づいて確定された該装置６００と該第二の端末装置の間の距離が第一のプリセット距離以下であることを確定した後に該第二の指示情報を送信するようにするように構成される。
【０４０６】
選択可能に、該プロセッサ６１０は、第二の検出信号を受信するように該送受信機６２０を制御するように構成され、該第二の検出信号が該第三の端末装置から送信されたものであり、
該プロセッサ６１０は、受信された第二の検出信号の信号強度が第一のプリセット強度以上であることを確定した後に、該第一の指示情報を送信するように構成され、又は
該プロセッサ６１０は、受信された第二の検出信号に基づいて該装置６００と該第三の端末装置の間の距離を確定し、該装置６００と該第三の端末装置の間の距離が第一のプリセット距離以下であることを確定した後に第一の指示情報を送信するように構成される。
【０４０７】
選択可能に、該プロセッサ６１０は、該装置６００の装置情報に基づいて第一のシーケンスを生成するように構成される。
【０４０８】
選択可能に、該プロセッサ６１０は、該第一のシーケンスと該第二のシーケンスとの関係がプリセット条件を満たしている場合、該装置６００が第三の指示情報を送信するように構成され、該第三の指示情報が、該装置６００が中心端末装置として機能することをリクエストすることを示すことに用いられる。
【０４０９】
選択可能に、該プロセッサ６１０は、第四の指示情報を受信するように該送受信機６２０を制御するように構成され、該第四の指示情報が、該第三の端末装置が装置６００が該第一のグループにおける中心端末装置として機能することを同意することを示すことに用いられ、該第四の指示情報が、該第三の端末装置が該第一のシーケンスと該第二のシーケンスとの関係が該プリセット条件を満たしていることを確定した時に送信したものであり、
該プロセッサ６１０は、該第四の指示情報に基づき、装置６００が該第一のグループにおける中心端末装置として機能することを確定し、且つ該第三の端末が該メンバー端末装置に属することを確定するように構成される。
【０４１０】
選択可能に、該第四の指示情報はさらに該第一のシーケンスを示すことに用いられる。
【０４１１】
選択可能に、該プロセッサ６１０は、該第三の指示情報を送信した後の所定期間Ｔ内に第五の指示情報が受信されていないことを確定した場合、装置６００が該第一のグループにおける中心端末装置であることを確定し、且つ該第三の端末が該メンバー端末装置に属することを確定するように構成され、該第五の指示情報が、該第三の端末装置が該装置６００が該第一のグループにおける中心端末装置として機能することを同意しないことを示すことに用いられる。
【０４１２】
選択可能に、該プロセッサ６１０は、該プリセット期間Ｔの後に該第五の指示情報を受信する該送受信機６２０を制御した場合、該第三の端末装置が該第一のグループに属しないことを確定するように構成される。
【０４１３】
選択可能に、該プロセッサ６１０は、該第三の指示情報を送信した後のプリセット期間Ｔ内に第五の指示情報を受信したことを確定した場合、該第一の指示情報を再度送信するように構成され、該第五の指示情報が、該第三の端末装置が装置６００が該第一のグループにおける中心端末装置として機能することを同意しないことを示すことに用いられる。
【０４１４】
選択可能に、該第五の指示情報は、該第三の端末装置が該第一の指示情報の受信エラーを確定した後に送信したものであり、及び
該第五の指示情報がさらに該第一の指示情報のうちの受信エラーになる部分を示すことに用いられる。
【０４１５】
選択可能に、該プロセッサ６１０は、該第一のグループにおける各端末装置にグループ内識別子を割り当てるように構成され、一つのグループ内識別子が該第一のグループにおける一つの端末装置を一意に示すことに用いられ、
該装置６００は、第六の指示情報を送信し、該第六の指示情報が該第一のグループにおける各端末装置のグループ内識別子を示すことに用いられ、該第一のグループにおける各端末装置同士が該グループ識別子に基づいて装置間通信を行うようにする。
【０４１６】
選択可能に、該プロセッサ６１０は、該第一のグループのグループ識別子を確定するように構成され、一つのグループ識別子が一つの装置グループを示すことに用いられ、
該プロセッサ６１０は、第一のグループブロードキャスト信号を周期的に送信するように該送受信機６２０を制御するように構成され、該第一のグループブロードキャスト信号に該第一のグループのグループ識別子及び該装置６００の装置情報が含まれる。
【０４１７】
選択可能に、該プロセッサ６１０は、少なくとも一つの第二のグループブロードキャスト信号を検出するように該送受信機６２０を制御するように構成され、該少なくとも一つの第二のグループブロードキャスト信号が少なくとも一つの第二のグループと一対一で対応し、各第二のグループブロードキャスト信号が対応する第二のグループにおける中心端末装置によって周期的に送信されたものであり、各第二のグループブロードキャスト信号に対応する第二のグループのグループ識別子及び対応する第二のグループにおける中心端末装置の装置情報が含まれ、
該プロセッサ６１０は、該第二のグループのグループ識別子が該第一のグループのグループ識別子と同じであることを確定した場合、該第一のグループのグループ識別子を変更するように構成され、又は
該プロセッサ６１０は、該第二のグループのグループ識別子が該第一のグループのグループ識別子と同じであることを確定した場合、第九の指示情報を送信するように該送受信機６２０を制御するように構成され、該第九の指示情報が、該第二のグループのグループ識別子を変更するように該第二のグループにおける中心端末装置に指示することに用いられる。
【０４１８】
選択可能に、該プロセッサ６１０は、第四の端末装置から送信された第一のリクエストメッセージを受信するように該送受信機６２０を制御するように構成され、該第一のリクエストメッセージに該第四の端末装置の装置情報が含まれ、該第一のリクエストメッセージが、該第四の端末装置が該第一のグループへの加入をリクエストすることを示すことに用いられ、該第一のリクエストメッセージが、該第二の端末装置が受信された第一のグループブロードキャスト信号の信号強度が第二のプリセット強度以上であることを確定した後に送信したものであり、又は、該第一のリクエストメッセージが、該第二の端末装置が受信された第一のグループブロードキャスト信号に基づいて確定された該装置６００と該第四の端末装置の間の距離が第二のプリセット距離以下であることを確定した後に送信したものであり、
該プロセッサ６１０は、該第一のリクエストメッセージに基づき、該第四の端末装置が該第一のグループにおけるメンバー端末装置に属することを確定するように構成される。
【０４１９】
選択可能に、該プロセッサ６１０は、該第一のグループにおける第五の端末装置から送信された第二のリクエストメッセージを受信するように該送受信機６２０を制御するように構成され、該第五の端末装置が該第一のグループにおけるメンバー端末装置に属し、該第二のリクエストメッセージが、該第五の端末装置が該第一のグループからの脱退をリクエストすることを示すことに用いられ、該第二のリクエストメッセージが、該第五の端末装置が受信された第一のグループブロードキャスト信号の信号強度が第二のプリセット強度未満であることを確定した後に送信したものであり、又は、該第二のリクエストメッセージが、該第五の端末装置が受信された第一のグループブロードキャスト信号に基づいて確定された該装置６００と該第五の端末装置の間の距離が第二のプリセット距離より大きいことを確定した後に送信したものであり、
該プロセッサ６１０は、該第二のリクエストメッセージに基づき、第五の端末装置が該第一のグループにおけるメンバー端末装置に属しないことを確定するように構成される。
【０４２０】
選択可能に、該プロセッサ６１０は、第六の端末装置から送信されたハートビート信号を検出するように該送受信機６２０を制御するように構成され、該第六の端末装置が該第一のグループにおけるメンバー端末装置に属し、該ハートビート信号に該第六の端末装置の装置情報が含まれ、該ハートビート信号が、該第六の端末装置が該第一のグループにおけるメンバー端末装置として機能することを確定した後にプリセット周期に従って送信するものであり、
該プロセッサ６１０は、プリセット時間内に該ハートビート信号が受信されていないことを確定した場合、該第六の端末装置が該第一のグループにおけるメンバー端末装置に属しないことを確定するように構成され、該プリセット時間が該プリセット周期の時間以上であり、該第六の端末装置が受信された第一のグループブロードキャスト信号の信号強度が第二のプリセット強度未満であることを確定した後に該ハートビート信号の送信を停止し、又は、該第六の端末装置が受信された第一のグループブロードキャスト信号に基づいて確定された該装置６００と該第六の端末装置の間の距離が第二のプリセット距離より大きいことを確定した後に該ハートビート信号の送信を停止する。
【０４２１】
選択可能に、該第一の無線リソースは、具体的に該第二の端末装置が該第一のグループにおける第七の端末装置へ第一のデータを送信することに用いられる。
【０４２２】
選択可能に、該プロセッサ６１０は、該第七の端末装置へ該第一の無線リソースの指示情報を送信するように該送受信機６２０を制御するように構成される。
【０４２３】
選択可能に、該プロセッサ６１０は、該第七の端末装置へ第十の指示情報を送信するように該送受信機６２０を制御するように構成され、該第十の指示情報が検出信号を送信するように該第七の端末装置に指示することに用いられる。
【０４２４】
選択可能に、該プロセッサ６１０は、該第七の端末装置に第二の無線リソースを割り当て、該第七の端末装置が該第二の無線リソースによって該第一のデータに対するフィードバック情報を送信するようにするように構成される。
【０４２５】
選択可能に、該プロセッサ６１０は、第三のグループブロードキャスト信号を受信するように該送受信機６２０を制御するように構成され、該第三のグループブロードキャスト信号が第三のグループにおける中心端末装置が周期的に送信したものであり、該第三のグループブロードキャスト信号に該第三のグループのグループ識別子及び該第三のグループにおける中心端末装置の装置情報が含まれ、
該プロセッサ６１０は、該第三のグループに含まれる端末装置を確定し、且つ該第一のグループに含まれる端末装置が該第三のグループにおける中心端末装置に知られるように、該第三のグループブロードキャスト信号に基づき、該第三のグループにおける中心端末装置と通信するように構成される。
【０４２６】
選択可能に、該プロセッサ６１０は、第一の無線リソースによって該第二の端末装置から送信された第二のデータを受信するように該送受信機６２０を制御するように構成され、該第二のデータが第八の端末装置に送信される必要があるデータであり、該第八の端末装置が該第三のグループに属し、
該プロセッサ６１０は第三の無線リソースを確定するように構成され、該第三の無線リソースが該第三のグループにおける中心端末装置により該装置６００に割り当てられたものであり、
選択可能に、該プロセッサ６１０は、該第三の無線リソースによって該第三のグループにおける中心端末装置又は該第八の端末装置へ該第二のデータを送信するように該送受信機６２０を制御するように構成される。
【０４２７】
選択可能に、該プロセッサ６１０は、第四の無線リソースによって該第三のグループにおける中心端末装置から送信された第三のデータを受信するように該送受信機６２０を制御するように構成され、該第四の無線リソースが該第三のグループにおける中心端末装置によって割り当てられたものであり、該第三のデータが該第二の端末装置に送信される必要があるデータであり、
該プロセッサ６１０は、第一の無線リソースによって該第二の端末装置へ該第三のデータを送信するように該送受信機６２０を制御するように構成される。
【０４２８】
選択可能に、該プロセッサ６１０は、第一の無線リソースによって該第二の端末装置から送信された第四のデータを受信するように該送受信機６２０を制御するように構成され、該第四のデータがネットワーク装置に送信される必要があるデータであり、
該プロセッサ６１０は、該ネットワーク装置へ該第四のデータを送信するように該送受信機６２０を制御するように構成される。
【０４２９】
選択可能に、該プロセッサ６１０は、ネットワーク装置から送信された第五のデータを受信するように該送受信機６２０を制御するように構成され、該第五のデータが該第二の端末装置に送信される必要があるデータであり、
該プロセッサ６１０は、第一の無線リソースによって該第二の端末装置へ該第五のデータを送信するように該送受信機６２０を制御するように構成される。
【０４３０】
選択可能に、該プロセッサ６１０は、第三のリクエストメッセージを送信するように該送受信機６２０を制御するように構成され、該第三のリクエストメッセージが、該装置６００が該第一のグループにおける中心端末装置の変更をリクエストすることを示すことに用いられ、
該プロセッサ６１０は、第九の端末装置から送信された第四のリクエストメッセージを受信するように該送受信機６２０を制御するように構成され、該第九の端末装置が該第一のグループにおけるメンバー端末装置に属し、該第四のリクエストメッセージが、該第九の端末装置が該第一のグループにおける中心端末装置として機能することをリクエストすることを示すことに用いられ、該第四のリクエストメッセージが、該第九の端末装置が該第三のリクエストメッセージに基づいて送信したものであり、
該プロセッサ６１０は、該第四のリクエストメッセージに基づき、該第九の端末装置が該第一のグループにおける中心端末装置として機能することを確定するように構成される。
【０４３１】
選択可能に、該プロセッサ６１０は、現在の電気量がプリセット閾値以下であることを確定するように構成され、又は
該プロセッサ６１０は、該第一のグループにおける各メンバー端末装置との距離がプリセット条件を満たしていることを確定するように構成され、又は
該プロセッサ６１０は、ネットワーク装置との通信接続が中断されたことを確定するように構成される。
【０４３２】
本発明の実施例による装置間通信のための装置６００は本発明の実施例の方法における第一の端末装置（例えば端末装置Ａ）に対応してもよく、且つ、装置間装置のための装置６００の各ユニット即ちモジュールと上記の他の操作及び／又は機能はそれぞれ図２の方法２００の対応するプロセスを実現するためのものであり、簡潔するために、ここで省略を説明する。
【０４３３】
本発明の実施例による装置間通信のための装置では、少なくとも二つの端末装置がネゴシエーションを行って一つのグループにおける中心端末装置及びメンバー端末装置を確定することにより、該グループにおける中心端末装置によって該グループにおけるメンバー端末装置に装置間通信のための無線リソースを割り当てることができ、これにより、セルラーネットワークの協力がない場合（例えば、従来のＶ２Ｖ通信技術、又は、ネットワーク装置カバレッジがないＤ２Ｄ通信技術）でも、リソーススケジューリングを実現することができ、これにより、リソース共有によって引き起こされた衝突問題を効果的に回避し、装置間通信の成功率を高め、通信遅延を減らし、装置間通信のキャパシティを拡大し、装置間通信の信頼性を向上させることができる。
【０４３４】
図８は本発明の実施例による装置間通信のための装置７００を示す概略ブロック図であり、図８に示すように、該装置７００は、プロセッサ７１０と送受信機７２０を備え、プロセッサ７１０が送受信機７２０に接続され、選択可能に、該装置７００はさらにメモリ７３０を備え、メモリ７３０がプロセッサ７１０に接続され、さらに選択可能に、該装置７００はバスシステム７４０を備える。その中、プロセッサ７１０、メモリ７３０と送受信機７２０はバスシステム７４０を介して接続することができ、該メモリ７３０はコマンドを記憶するように構成されてもよく、該プロセッサ７１０は該メモリ７３０に記憶されたコマンドを実行し、情報又は信号を送信するように送受信機７２０を制御するように構成され、
プロセッサ７１０は装置７００が第一のグループにおけるメンバー端末装置として機能することを確定するように構成され、該第一のグループが該中心端末装置と少なくとも一つのメンバー端末装置を含み、
プロセッサ７１０は、該第一のグループにおける中心端末装置により割り当てられた第一の無線リソースによって装置間通信を行うように該送受信機７２０を制御する。
【０４３５】
選択可能に、プロセッサ７１０は第二のシーケンスを生成するように構成され、
プロセッサ７１０は第二の指示情報を送信するように該送受信機７２０を制御するように構成され、該第二の指示情報が該第二のシーケンス及び該装置７００の装置情報を示すことに用いられ、一つの装置情報が一つの端末装置を一意に示すことに用いられ、
プロセッサ７１０は第一の指示情報を受信するように該送受機７２０を制御するように構成され、該第一の指示情報が第一の端末装置によって生成された第一のシーケンス及び該第一の端末装置の装置情報を示すことに用いられ、
プロセッサ７１０は、該第一のシーケンスと該第二のシーケンスとの関係がプリセット条件を満たしている場合、装置７００が該第一のグループにおけるメンバー端末装置として機能することを確定するように構成される。
【０４３６】
選択可能に、プロセッサ７１０は、該第一のシーケンスと該第二のシーケンスとの関係がプリセット条件を満たしている場合、該第一の端末装置が該第一のグループにおける中心端末装置であることを確定するように構成される。
【０４３７】
選択可能に、プロセッサ７１０は、第二の検出信号を送信するように該送受信機７２０を制御し、該第一の端末装置が受信された第二の検出信号の信号強度が第一のプリセット強度以上であることを確定した後に該第一の指示情報を送信するようにし、又は、該第一の端末装置が受信された第二の検出信号に基づいて確定された該第一の端末装置と該装置７００の間の距離が第一のプリセット距離以下であることを確定した後に該第一の指示情報を送信するようにするように構成される。
【０４３８】
選択可能に、プロセッサ７１０は、第一の検出信号を受信するように該送受信機７２０を制御するように構成され、該第一の検出信号が該第一の端末装置から送信されたものであり、
プロセッサ７１０は、受信された第一の検出信号の信号強度が第一のプリセット強度以上であることを確定した後に、該第二の指示情報を送信するように該送受信機７２０を制御するように構成され、又は
プロセッサ７１０は、受信された第一の検出信号に基づいて該第一の端末装置と該装置７００の間の距離を確定し、該第一の端末装置と該装置７００の間の距離が第一のプリセット距離以下であることを確定した後に、第二の指示情報を送信するように該送受信機７２０を制御するように構成される。
【０４３９】
選択可能に、該第一のシーケンスは該第一の端末装置が該第一の端末装置の装置情報に基づいて確定されたものであり、及び
プロセッサ７１０は、該装置７００の装置情報に基づいて第二のシーケンスを生成するように構成される。
【０４４０】
選択可能に、プロセッサ７１０は、該第一の端末装置から送信された第三の指示情報を受信するように該送受信機７２０を制御するように構成され、該第三の指示情報が該第一の端末装置が中心端末装置として機能することをリクエストすることを示すことに用いられる。
【０４４１】
選択可能に、プロセッサ７１０は、該第一のシーケンスと該第二のシーケンスとの関係が該プリセット条件を満たしていることを確定した場合、第四の指示情報を送信するように該送受信機７２０を制御するように構成され、該第四の指示情報が、該装置７００が第一の端末装置が該第一のグループにおける中心端末装置として機能することを同意することを示すことに用いられる。
【０４４２】
選択可能に、プロセッサ７１０は、該第一の端末装置から送信された第六の指示情報を受信するように該送受信機７２０を制御するように構成され、該第六の指示情報が該第一の端末装置から該装置７００に割り当てられたグループ内識別子を示すことに用いられ、及び、
プロセッサ７１０は、該グループ内識別子に基づいて該第一のグループにおける中心端末装置により割り当てられた第一の無線リソースによって装置間通信を行うように該送受信機７２０を制御するように構成される。
【０４４３】
選択可能に、プロセッサ７１０は、該第一の端末装置から周期的に送信された第一のグループブロードキャスト信号を受信するように該送受信機７２０を制御するように構成され、該第一のグループブロードキャスト信号に該第一のグループのグループ識別子及び該第一の端末装置の装置情報が含まれ、該第一のグループのグループ識別子が該第一の端末装置によって確定されたものであり、一つのグループ識別子が一つの装置グループを一意に示すことに用いられる。
【０４４４】
選択可能に、プロセッサ７１０は、受信された第一のグループブロードキャスト信号の信号強度が第二のプリセット強度以上であることを確定した場合、該第一の端末装置へ第一のリクエストメッセージを送信するように該送受信機７２０を制御するように構成され、又は
プロセッサ７１０は、受信された第一のグループブロードキャスト信号に基づいて確定された該第一の端末装置と該装置７００との距離が第二のプリセット距離以下であることを確定した場合、該第一の端末装置へ第一のリクエストメッセージを送信するように該送受信機７２０を制御するように構成され、
ここで、該第一のリクエストメッセージに該装置７００の装置情報が含まれ、該第一のリクエストメッセージが該装置７００が該第一のグループへの加入をリクエストすることを示すことに用いられる。
【０４４５】
選択可能に、プロセッサ７１０は、受信された第一のグループブロードキャスト信号の信号強度が第二のプリセット強度未満であることを確定した場合、又は、受信された第一のグループブロードキャスト信号に基づいて確定された該第一の端末装置と該装置７００の間の距離が第二のプリセット距離より大きいことを確定した場合、該第一の端末装置へ第二のリクエストメッセージを送信するように該送受信機７２０を制御し、該第二のリクエストメッセージが、該第二のメンバー端末装置が該第一のグループからの脱退をリクエストすることを示すことに用いられる。
【０４４６】
選択可能に、プロセッサ７１０は、該第一のグループにおけるメンバー端末装置として機能することを確定した場合、プリセット周期に従って該第一の端末装置へハートビート信号を送信するように該送受信機７２０を制御するように構成され、
プロセッサ７１０は、受信された第一のグループブロードキャスト信号の信号強度が第二のプリセット強度未満であることを確定した場合、該ハートビート信号の送信を停止するように該送受信機７２０を制御するように構成され、又は
プロセッサ７１０は、受信された第一のグループブロードキャスト信号に基づいて確定された該第一の端末装置と該装置７００の間の距離が第二のプリセット距離より大きいことを確定した場合、該ハートビート信号の送信を停止するように該送受信機７２０を制御するように構成される。
【０４４７】
選択可能に、プロセッサ７１０は、該第一の無線リソースによって該第一のグループにおける第七の端末装置へ第一のデータを送信するように該送受信機７２０を制御するように構成される。
【０４４８】
選択可能に、プロセッサ７１０は、該第一の無線リソースによって該第一の端末装置へ第二のデータを送信するように該送受信機７２０を制御するように構成され、該第二のデータが第八の端末装置に送信される必要があるデータであり、該第八の端末装置が第三のグループに属する。
【０４４９】
選択可能に、プロセッサ７１０は、第一の無線リソースによって該第一の端末装置から送信された第三のデータを受信するように該送受信機７２０を制御するように構成され、該第三のデータが第三のグループにおける中心端末装置が第四の無線リソースによって該第一の端末装置に送信した第三のデータであり、該第四の無線リソースが該第三のグループにおける中心端末装置によって割り当てられたものである。
【０４５０】
選択可能に、プロセッサ７１０は、第四の無線リソースによって第三のグループにおける中心端末装置から送信された第三のデータを受信するように該送受信機７２０を制御するように構成され、該第四の無線リソースが該第三のグループにおける中心端末装置によって割り当てられたものである。
【０４５１】
選択可能に、プロセッサ７１０は、第一の無線リソースによって該第一の端末装置へ第四のデータを送信するように該送受信機７２０を制御するように構成され、該第四のデータがネットワーク装置に送信される必要があるデータである。
【０４５２】
選択可能に、プロセッサ７１０は、第一の無線リソースによって該第一の端末装置から送信された第五のデータを受信するように該送受信機７２０を制御するように構成され、第五のデータがネットワーク装置から該第一の端末装置に送信されたものである。
【０４５３】
選択可能に、プロセッサ７１０は、該第一の端末装置から送信された第三のリクエストメッセージを受信するように該送受信機７２０を制御するように構成され、該第三のリクエストメッセージが、該第一の端末装置が該第一のグループにおける中心端末装置の変更をリクエストすることを示すことに用いられ、
プロセッサ７１０は、該第三のリクエストメッセージに基づき、該第一の端末装置へ第四のリクエストメッセージを送信するように構成され、該第四のリクエストメッセージが、該装置７００が該第一のグループにおける中心端末装置として機能することをリクエストすることを示すことに用いられる。
【０４５４】
本発明の実施例による装置間通信のための装置７００は本発明の実施例の方法における第二の端末装置（例えば端末装置Ｂ）に対応してもよく、且つ、装置間装置のための装置７００の各ユニット即ちモジュールと上記の他の操作及び／又は機能はそれぞれ図４の方法３００の対応するプロセスを実現するためのものであり、簡潔するために、ここで省略を説明する。
【０４５５】
本発明の実施例による装置間通信のための装置では、少なくとも二つの端末装置がネゴシエーションを行って一つのグループにおける中心端末装置及びメンバー端末装置を確定することにより、該グループにおける中心端末装置によって該グループにおけるメンバー端末装置に装置間通信のための無線リソースを割り当てることができ、これにより、セルラーネットワークの協力がない場合（例えば、従来のＶ２Ｖ通信技術、又は、ネットワーク装置カバレッジがないＤ２Ｄ通信技術）でも、リソーススケジューリングを実現することができ、これにより、リソース共有によって引き起こされた衝突問題を効果的に回避し、装置間通信の成功率を高め、通信遅延を減らし、装置間通信のキャパシティを拡大し、装置間通信の信頼性を向上させることができる。
【０４５６】
注意すべきものとして、本発明の上記方法の実施例はプロセッサに応用されてもよく、又はプロセッサによって実現されてもよい。プロセッサは、信号処理能力を有する集積回路チップである可能性がある。実施過程では、上記方法の実施例における各ステップはプロセッサにおけるハードウェアの集積論理回路又はソフトウェア形態のコマンドにより完了されてもよい。上記プロセッサは汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブル論理デバイス、ディスクリートゲート又はトランジスタ論理デバイス、ディスクリートハードウェア部材であってもよい。本発明の実施例において開示される各方法、ステップ及び論理ブロック図を実現又は実行することができる。汎用プロセッサはマイクロプロセッサであってもよい又は該プロセッサはいずれかの従来のプロセッサなどであってもよい。本発明の実施例と組み合わせて開示された方法のステップはハードウェア復号プロセッサによって実行されて完了され、又は復号プロセッサにおけるハードウェアモジュール及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒質はメモリに位置し、プロセッサはメモリにおける情報を読み取り、そのハードウェアと組み合わせて上記方法のステップを完了する。
【０４５７】
本発明の実施例におけるメモリは揮発性記憶装置又は不揮発性記憶装置であってもよく、又は揮発性記憶装置及び不揮発性記憶装置両者を含むことができることが理解できる。その中、不揮発性記憶装置は読み取り専用メモリ（ＲＯＭ：Ｒｅａｄ−Ｏｎｌｙ  Ｍｅｍｏｒｙ）、プログラマブル読み取り専用メモリ（ＰＲＯＭ：Ｐｒｏｇｒａｍｍａｂｌｅ  ＲＯＭ）、消去可能プログラマブル読み取り専用メモリ（ＥＰＲＯＭ：Ｅｒａｓａｂｌｅ  ＰＲＯＭ）、電気的消去可能プログラマブル読み取り専用メモリ（ＥＥＰＲＯＭ：Ｅｌｅｃｔｒｉｃａｌｌｙ  ＥＰＲＯＭ）又はフラッシュメモリであってもよい。揮発性記憶装置は外部キャッシュメモリとして機能するランダムアクセスメモリ（ＲＡＭ：Ｒａｎｄｏｍ  Ａｃｃｅｓｓ  Ｍｅｍｏｒｙ）であってもよい。制限的でなく例示的な説明により、多くの形態のＲＡＭは利用可能であり、例えばスタティックランダムアクセスメモリ（ＳＲＡＭ：Ｓｔａｔｉｃ  ＲＡＭ）、動的ランダムアクセスメモリ（ＤＲＡＭ：Ｄｙｎａｍｉｃ  ＲＡＭ）、同期動的ランダムアクセスメモリ（ＳＤＲＡＭ：Ｓｙｎｃｈｒｏｎｏｕｓ  ＤＲＡＭ）、ダブルデータレート同期動的ランダムアクセスメモリ（ＤＤＲＳＤＲＡＭ：Ｄｏｕｂｌｅ  Ｄａｔａ  Ｒａｔｅ  ＳＤＲＡＭ）、強化型同期動的ランダムアクセスメモリ（ＥＳＤＲＡＭ：Ｅｎｈａｎｃｅｄ  ＳＤＲＡＭ）、同期リンク動的ランダムアクセスメモリ（ＳＬＤＲＡＭ：Ｓｙｎｃｈｌｉｎｋ  ＤＲＡＭ）とダイレクトラムバスランダムアクセスメモリ（ＤＲ  ＲＡＭ：Ｄｉｒｅｃｔ  Ｒａｍｂｕｓ  ＲＡＭ）である。注意すべきものとして、本明細書に記載されたシステムと方法のメモリはこれらといずれかの他の適切なタイプのメモリを含むことを図るがこれらに限定されない。
【０４５８】
理解すべきものとして、本発明の各方法の実施例では、上記各プロセスの番号の大きさが実行順序を意味せず、各プロセスの実行順序はその機能と内部ロジックによって確定されるべきであり、本発明の実施例の実施プロセスのいかなる限定を構成すべきではない。
【０４５９】
当業者であれば、本明細書に開示された実施例と組み合わせて説明された各例のユニット及びアルゴリズムステップは、電子ハードウェア、又はコンピュータソフトウェアと電子ハードウェアとの組み合わせで実現されてもよいと理解できる。これらの機能がハードウェア又はソフトウェアで実行されるかどうかは技術的解決策の特定アプリケーションと設計制約条件に依存する。専門技術者は各特定のアプリケーションに対して異なる方法を使用して説明された機能を実現することができるが、このような実現は本発明の範囲を超えていると考えられるべきではない。
【０４６０】
当業者は、便利且つ簡潔で説明するために、上述したシステム、装置とユニットの具体的な動作プロセスについて上記方法の実施例における対応するプロセスを参照でき、ここでは説明を省略することを明確に理解することができる。
【０４６１】
本出願が提供するいくつかの実施例では、開示されたシステム、装置及び方法は他の方式により実現されてもよいと理解すべきである。例えば、上述した装置の実施例は例示的なものだけであり、例えば、前記ユニットの区分はロジック機能的区分だけであり、実際に実施する時に他の区分方式もあり得て、例えば複数のユニット又は部材は組み合わせられてもよい又は別のシステムに統合されてもよく、又はいくつかの特徴は無視されてもよく、又は実行されなくてもよい。また、示される又は議論される相互結合又は直接結合又は通信接続はいくつかのインターフェース、装置又はユニットを介する間接的結合又は通信接続であってもよく、電気的、機械的又は他の形態であってもよい。
【０４６２】
分離部材として説明された前記ユニットは物理的に分離するものであってもよくまたは物理的に分離するものでなくてもよく、ユニットとして表示された部材は物理的ユニットであってもよくまたは物理的ユニットでなくてもよく、すなわち一つの箇所に位置してもよく、又は複数のネットワークユニットに分布してもよい。実際のニーズに応じてその中の一部又は全てのユニットを選択して本実施例の解決策の目的を達成することができる。
【０４６３】
また、本発明の各実施例における各機能ユニットは一つの処理ユニットに統合されてもよく、個々のユニットは単独で物理的に存在してもよく、二つ又は二つ以上のユニットは一つのユニットに統合されてもよい。
【０４６４】
前記機能はソフトウェア機能ユニットの形態で実現され且つ独立した製品として販売又は使用される場合，一つのコンピュータ読み取り可能な記憶媒体に格納されてもよい。このような理解に基づき，本発明の技術的解決策は本質的にソフトウェア製品の形態で実現されてもよく、又は従来技術に貢献する部分又は該技術的解決策の部分がソフトウェア製品の形態で実現されてもよく、該コンピュータソフトウェア製品は一台のコンピュータ装置（パーソナルコンピュータ、サーバ、又はネットワーク装置などあってもよい）に本発明の各実施例に記載の方法の全部又は一部のステップを実行させるためのいくつかのコマンドを含む記憶媒体に記憶すべき。前記記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０４６５】
以上は、本発明の最適的な実施例に過ぎなく、本発明を制限せず、本分野の当業者に対して、本発明が各種類の変更と変化がある。本発明の主旨精神と原則以内に、いかなる改修、同等入れ替わり、改良等が、本発明の保護範囲以内に含まれるべきである。
【図１】
2019519951.tif 000003
【図２】
2019519951.tif 000004
【図３】
2019519951.tif 000005
【図４】
2019519951.tif 000006
【図５】
2019519951.tif 000007
【図６】
2019519951.tif 000008
【図７】
2019519951.tif 000009
【図８】
2019519951.tif 000010
【手続補正書】
【提出日】平成30年11月2日(2018.11.2)
【手続補正１】
【補正対象書類名】特許請求の範囲
【補正対象項目名】全文
【補正方法】変更
【補正の内容】
【特許請求の範囲】
【請求項１】
装置間通信のための方法であって、
第一の端末装置が第一のグループにおける中心端末装置として機能することを確定し、前記第一のグループが前記中心端末装置と少なくとも一つのメンバー端末装置を含むことと、
前記第一の端末装置が第二の端末装置に第一の無線リソースを割り当て、前記第二の端末装置が前記第一の無線リソースに基づいて装置間通信を行うようにし、前記第二の端末装置が前記第一のグループにおけるメンバー端末装置に属することとを含む、前記装置間通信のための方法。
【請求項２】
前記第一の端末装置が第一のグループにおける中心端末装置として機能することを確定することは、
前記第一の端末装置が第一のシーケンスを生成することと、
前記第一の端末装置が第一の指示情報を送信し、前記第一の指示情報が前記第一のシーケンス及び前記第一の端末装置の装置情報を示すことに用いられ、一つの装置情報が一つの端末装置を一意に示すことに用いられることと、
前記第一の端末装置が少なくとも一つの第二の指示情報を受信し、前記少なくとも一つの第二の指示情報が少なくとも一つの第三の端末装置と一対一で対応し、各第二の指示情報が対応する第三の端末装置によって生成された第二のシーケンス及び対応する第三の端末装置の装置情報を示すことに用いられることと、
前記第一のシーケンスと前記第二のシーケンスとの関係がプリセット条件を満たしている場合、前記第一の端末装置が第一の端末装置が前記第一のグループにおける中心端末装置として機能することを確定すること、及び、任意選択で、前記第一の端末装置が前記第三の端末装置が前記第一のグループにおけるメンバー端末装置に属することを確定することを含むことを特徴とする
請求項１に記載の方法。
【請求項３】
前記方法はさらに、
前記第一の端末装置が第一の検出信号を送信し、前記第三の端末装置が受信された第一の検出信号の信号強度が第一のプリセット強度以上であることを確定した後に前記第二の指示情報を送信するようにし、又は、前記第三の端末装置が受信された第一の検出信号に基づいて確定された前記第一の端末装置と前記第二の端末装置の間の距離が第一のプリセット距離以下であることを確定した後に前記第二の指示情報を送信するようにすること、又は
前記第一の端末装置が第二の検出信号を受信し、前記第二の検出信号が前記第三の端末装置から送信されたものであることと、
前記第一の端末装置が受信された第二の検出信号の信号強度が第一のプリセット強度以上であることを確定した後に、又は、
受信された第二の検出信号に基づいて前記第一の端末装置と前記第三の端末装置の間の距離を確定し、前記第一の端末装置と前記第三の端末装置の間の距離が第一のプリセット距離以下であることを確定した後に、第一の指示情報を送信することと、
を含むことを特徴とする
請求項２に記載の方法。
【請求項４】
前記第一の端末装置が第一の端末装置が前記第一のグループにおける中心端末装置として機能することを確定する前に、前記方法はさらに、
前記第一のシーケンスと前記第二のシーケンスとの関係がプリセット条件を満たしている場合、前記第一の端末装置が第三の指示情報を送信し、前記第三の指示情報が、前記第一の端末装置が中心端末装置として機能することをリクエストすることを示すことに用いられることを含み、
前記第一の端末装置が第一の端末装置が前記第一のグループにおける中心端末装置として機能することを確定することは、
第一の端末装置が第四の指示情報を受信し、前記第四の指示情報が、前記第三の端末装置が第一の端末装置が前記第一のグループにおける中心端末装置として機能することを同意することを示すことに用いられ、前記第四の指示情報が、前記第三の端末装置が前記第一のシーケンスと前記第二のシーケンスとの関係が前記プリセット条件を満たしていることを確定した場合に送信したものであること、及び、第一の端末装置が前記第四の指示情報に基づき、第一の端末装置が前記第一のグループにおける中心端末装置であることを確定し、且つ前記第三の端末が前記メンバー端末装置に属することを確定すること、
又は、
前記第一の端末装置が、前記第三の指示情報を送信した後の所定期間Ｔ内に第五の指示情報が受信されていないことを確定した場合、第一の端末装置が前記第一のグループにおける中心端末装置であることを確定し、且つ前記第三の端末が前記メンバー端末装置に属することを確定し、前記第五の指示情報が、前記第三の端末装置が前記第一の端末装置が前記第一のグループにおける中心端末装置として機能することを同意しないことを示すことに用いられること、
又は、
前記第一の端末装置が前記第三の指示情報を送信した後のプリセット期間Ｔ内に第五の指示情報を受信したことを確定した場合、前記第一の指示情報を再度送信し、前記第五の指示情報が、前記第三の端末装置が第一の端末装置が前記第一のグループにおける中心端末装置として機能することを同意しないことを示すことに用いられること、
又は、
前記第一の端末装置が、前記プリセット期間Ｔの後に前記第五の指示情報を受信した場合、前記第三の端末装置が前記第一のグループに属しないことを確定すること、
を含むことを特徴とする
請求項２〜３のいずれか一項に記載の方法。
【請求項５】
前記方法はさらに、
前記第一の端末装置が前記第一のグループにおける各端末装置にグループ内識別子を割り当て、一つのグループ内識別子が前記第一のグループにおける一つの端末装置を一意に示すことに用いられること、及び、前記第一の端末装置が第六の指示情報を送信し、前記第六の指示情報が前記第一のグループにおける各端末装置のグループ内識別子を示すことに用いられ、前記第一のグループにおける各端末装置同士が前記グループ識別子に基づいて装置間通信を行うようにすること、
又は、
第一の端末装置が前記第一のグループのグループ識別子を確定し、一つのグループ識別子が一つの装置グループを示すことに用いられること、及び、前記第一の端末装置が第一のグループブロードキャスト信号を周期的に送信し、前記第一のグループブロードキャスト信号に前記第一のグループのグループ識別子及び前記第一の端末装置の装置情報が含まれること、
又は、
第一の端末装置が少なくとも一つの第二のグループブロードキャスト信号を検出し、前記少なくとも一つの第二のグループブロードキャスト信号が少なくとも一つの第二のグループと一対一で対応し、各第二のグループブロードキャスト信号が対応する第二のグループにおける中心端末装置によって周期的に送信されたものであり、各第二のグループブロードキャスト信号に、対応する第二のグループのグループ識別子及び対応する第二のグループにおける中心端末装置の装置情報が含まれること、及び、前記第一の端末装置が、前記第二のグループのグループ識別子が前記第一のグループのグループ識別子と同じであることを確定した場合、前記第一のグループのグループ識別子を変更すること、又は、第九の指示情報を送信し、前記第九の指示情報が、前記第二のグループのグループ識別子を変更するように前記第二のグループにおける中心端末装置に指示することに用いられること、
のうちの少なくとも一つを含み、
任意選択で、前記方法はさらに、
前記第一の端末装置が第四の端末装置から送信された第一のリクエストメッセージを受信し、前記第一のリクエストメッセージに前記第四の端末装置の装置情報が含まれ、前記第一のリクエストメッセージが、前記第四の端末装置が前記第一のグループへの加入をリクエストすることを示すことに用いられ、前記第一のリクエストメッセージが、前記第二の端末装置が受信された第一のグループブロードキャスト信号の信号強度が第二のプリセット強度以上であることを確定した後に送信したものであり、又は、前記第一のリクエストメッセージが、前記第二の端末装置が受信された第一のグループブロードキャスト信号に基づいて確定された前記第一の端末装置と前記第四の端末装置の間の距離が第二のプリセット距離以下であることを確定した後に送信したものであること、及び、前記第一の端末装置が前記第一のリクエストメッセージに基づき、前記第四の端末装置が前記第一のグループにおけるメンバー端末装置に属することを確定すること、
又は、
前記第一の端末装置が前記第一のグループにおける第五の端末装置から送信された第二のリクエストメッセージを受信し、前記第五の端末装置が前記第一のグループにおけるメンバー端末装置に属し、前記第二のリクエストメッセージが、前記第五の端末装置が前記第一のグループからの脱退をリクエストすることを示すことに用いられ、前記第二のリクエストメッセージが、前記第五の端末装置が受信された第一のグループブロードキャスト信号の信号強度が第二のプリセット強度未満であることを確定した後に送信したものであり、又は、前記第二のリクエストメッセージが、前記第五の端末装置が受信された第一のグループブロードキャスト信号に基づいて確定された前記第一の端末と前記第五の端末装置の間の距離が第二のプリセット距離より大きいことを確定した後に送信したものであること、及び、前記第一の端末装置が前記第二のリクエストメッセージに基づき、第五の端末装置が前記第一のグループにおけるメンバー端末装置に属しないことを確定すること、
又は、
前記第一の端末装置が第六の端末装置から送信されたハートビート信号を検出し、前記第六の端末装置が前記第一のグループにおけるメンバー端末装置に属し、前記ハートビート信号に前記第六の端末装置の装置情報が含まれ、前記ハートビート信号が、前記第六の端末装置が前記第一のグループにおけるメンバー端末装置として機能することを確定した後にプリセット周期に従って送信するものであること、及び、前記第一の端末装置が、プリセット時間内に前記ハートビート信号を受信していないことを確定した場合、前記第六の端末装置が前記第一のグループにおけるメンバー端末装置に属しないことを確定し、前記プリセット時間が前記プリセット周期の時間以上であり、前記第六の端末装置が受信された第一のグループブロードキャスト信号の信号強度が第二のプリセット強度未満であることを確定した後に前記ハートビート信号の送信を停止し、又は、前記第六の端末装置が受信された第一のグループブロードキャスト信号に基づいて確定された前記第一の端末装置と前記第六の端末装置の間の距離が第二のプリセット距離より大きいことを確定した後に前記ハートビート信号の送信を停止すること、
のうちの少なくとも一つを含むことを特徴とする
請求項１〜４のいずれか一項に記載の方法。
【請求項６】
前記第一の無線リソースは、具体的に前記第二の端末装置が前記第一のグループにおける第七の端末装置へ第一のデータを送信することに用いられ、
前記方法はさらに、
前記第一の端末装置が前記第七の端末装置へ前記第一の無線リソースの指示情報を送信すること、
又は、
前記第一の端末装置が前記第七の端末装置へ第十の指示情報を送信し、前記第十の指示情報が検出信号を送信するように前記第七の端末装置に指示することに用いられること、
又は、
前記第一の端末装置が前記第七の端末装置に第二の無線リソースを割り当て、前記第七の端末装置が前記第二の無線リソースによって前記第一のデータに対するフィードバック情報を送信するようにすること、
のうちの少なくとも一つを含むことを特徴とする
請求項１〜５のいずれか一項に記載の方法。
【請求項７】
前記方法はさらに、
第一の端末装置が第三のグループブロードキャスト信号を受信し、前記第三のグループブロードキャスト信号が第三のグループにおける中心端末装置によって周期的に送信されたものであり、前記第三のグループブロードキャスト信号に前記第三のグループのグループ識別子及び前記第三のグループにおける中心端末装置の装置情報が含まれることと、
前記第三のグループに含まれる端末装置を確定し、且つ前記第一のグループに含まれる端末装置が前記第三のグループにおける中心端末装置に知られるように、前記第一の端末装置が前記第三のグループブロードキャスト信号に基づき、前記第三のグループにおける中心端末装置と通信することとを含むことを特徴とする
請求項１〜６のいずれか一項に記載の方法。
【請求項８】
前記方法はさらに、
前記第一の端末装置が第一の無線リソースによって前記第二の端末装置から送信された第二のデータを受信し、前記第二のデータが第八の端末装置に送信される必要があるデータであり、前記第八の端末装置が前記第三のグループに属すること、前記第一の端末装置が第三の無線リソースを確定し、前記第三の無線リソースが前記第三のグループにおける中心端末装置により前記第一の端末装置に割り当てられたものであること、及び、前記第一の端末装置が前記第三の無線リソースによって前記第三のグループにおける中心端末装置又は前記第八の端末装置へ前記第二のデータを送信すること、
又は、
前記第一の端末装置が第四の無線リソースによって前記第三のグループにおける中心端末装置から送信された第三のデータを受信し、前記第四の無線リソースが前記第三のグループにおける中心端末装置によって割り当てられたものであり、前記第三のデータが前記第二の端末装置に送信される必要があるデータであること、及び、前記第一の端末装置が第一の無線リソースによって前記第二の端末装置へ前記第三のデータを送信すること、
又は、
前記第一の端末装置が第一の無線リソースによって前記第二の端末装置から送信された第四のデータを受信し、前記第四のデータがネットワーク装置に送信される必要があるデータであること、及び、前記第一の端末装置が前記ネットワーク装置へ前記第四のデータを送信すること、
又は、
前記第一の端末装置がネットワーク装置から送信された第五のデータを受信し、前記第五のデータが前記第二の端末装置に送信される必要があるデータであること、及び、前記第一の端末装置が第一の無線リソースによって前記第二の端末装置へ前記第五のデータを送信すること、
のうちの少なくとも一つを含むことを特徴とする
請求項１〜７のいずれか一項に記載の方法。
【請求項９】
前記方法はさらに、
前記第一の端末装置が第三のリクエストメッセージを送信し、前記第三のリクエストメッセージが、前記第一の端末装置が前記第一のグループにおける中心端末装置の変更をリクエストすることを示すことに用いられることと、
前記第一の端末装置が第九の端末装置から送信された第四のリクエストメッセージを受信し、前記第九の端末装置が前記第一のグループにおけるメンバー端末装置に属し、前記第四のリクエストメッセージが、前記第九の端末装置が前記第一のグループにおける中心端末装置として機能することをリクエストすることを示すことに用いられ、前記第四のリクエストメッセージが、前記第九の端末装置が前記第三のリクエストメッセージに基づいて送信したものであることと、
前記第一の端末装置が前記第四のリクエストメッセージに基づき、前記第九の端末装置が前記第一のグループにおける中心端末装置として機能することを確定することとを含むことを特徴とする
請求項１〜８のいずれか一項に記載の方法。
【請求項１０】
装置間通信のための方法であって、
第二の端末装置が第一のグループにおけるメンバー端末装置として機能することを確定し、前記第一のグループが中心端末装置と少なくとも一つのメンバー端末装置を含むことと、
前記第二の端末装置が前記第一のグループにおける中心端末装置により割り当てられた第一の無線リソースによって装置間通信を行うこととを含む、前記装置間通信のための方法。
【請求項１１】
前記第一の端末装置が第一のグループにおける中心端末装置として機能することを確定することは、
前記第二の端末装置が第二のシーケンスを生成することと、
前記第二の端末装置が第二の指示情報を送信し、前記第二の指示情報が前記第二のシーケンス及び前記第二の端末装置の装置情報を示すことに用いられ、一つの装置情報が一つの端末装置を一意に示すことに用いられることと、
前記第二の端末装置が第一の指示情報を受信し、前記第一の指示情報が第一の端末装置によって生成された第一のシーケンス及び前記第一の端末装置の装置情報を示すことに用いられることと、
前記第一のシーケンスと前記第二のシーケンスとの関係がプリセット条件を満たしている場合、前記第二の端末装置が第二の端末装置が前記第一のグループにおけるメンバー端末装置として機能することを確定すること、任意選択で、前記第二の端末装置が、前記第一の端末装置が前記第一のグループにおける中心端末装置として機能することを確定することを含み、
任意選択で、前記方法はさらに、
前記第二の端末装置が第二の検出信号を送信し、前記第一の端末装置が受信された第二の検出信号の信号強度が第一のプリセット強度以上であることを確定した後に、又は、受信された第二の検出信号に基づいて確定された前記第一の端末装置と前記第二の端末装置の間の距離が第一のプリセット距離以下であることを確定した後に、前記第一の指示情報を送信するようにすること、
又は、
前記第二の端末装置が第一の検出信号を受信し、前記第一の検出信号が前記第一の端末装置から送信されたものであること、及び、前記第二の端末装置が受信された第一の検出信号の信号強度が第一のプリセット強度以上であることを確定した後に、又は、前記第二の端末装置が受信された第一の検出信号に基づいて前記第一の端末装置と前記第二の端末装置の間の距離を確定し、前記第一の端末装置と前記第二の端末装置の間の距離が第一のプリセット距離以下であることを確定した後に、第二の指示情報を送信すること
を含むことを特徴とする、
請求項１０に記載の方法。
【請求項１２】
前記第二の端末装置が第二の端末装置が前記第一のグループにおけるメンバー端末装置として機能することを確定する前に、前記方法はさらに、
前記第二の端末装置が前記第一の端末装置から送信された第三の指示情報を受信し、前記第三の指示情報が、前記第一の端末装置が中心端末装置として機能することをリクエストすることを示すことに用いられること、及び、前記第二の端末装置が前記第一のシーケンスと前記第二のシーケンスとの関係が前記プリセット条件を満たしていることを確定した場合に第四の指示情報を送信し、前記第四の指示情報が、前記第二の端末装置が第一の端末装置が前記第一のグループにおける中心端末装置として機能することを同意することを示すことに用いられること、
又は、
前記第二の端末装置が、前記第一の端末装置が前記第一のグループにおける中心端末装置として機能することを確定した後に、前記方法は、
前記第二の端末装置が前記第一の端末装置から送信された第三のリクエストメッセージを受信し、前記第三のリクエストメッセージが、前記第一の端末装置が前記第一のグループにおける中心端末装置の変更をリクエストすることを示すことに用いられることと、
前記第二の端末装置が前記第三のリクエストメッセージに基づき、前記第一の端末装置へ第四のリクエストメッセージを送信し、前記第四のリクエストメッセージが、前記第二の端末装置が前記第一のグループにおける中心端末装置として機能することをリクエストすることを示すことに用いられることとをさらに含む
請求項１１に記載の方法。
【請求項１３】
前記方法はさらに、
前記第二の端末装置が前記第一の端末装置から送信された第六の指示情報を受信し、前記第六の指示情報が、前記第一の端末装置から前記第二の端末装置に割り当てられたグループ内識別子を示すことに用いられ、前記第二の端末装置が前記グループ内識別子に基づき、前記第一のグループにおける中心端末装置により割り当てられた第一の無線リソースによって装置間通信を行うこと、
又は、
第二の端末装置が前記第一の端末装置から周期的に送信された第一のグループブロードキャスト信号を受信し、前記第一のグループブロードキャスト信号に前記第一のグループのグループ識別子及び前記第一の端末装置の装置情報が含まれ、前記第一のグループのグループ識別子が前記第一の端末装置によって確定されたものであり、一つのグループ識別子が一つの装置グループを示すことに用いられること、
を含み、
任意選択で、前記方法は、
第二の端末装置が第一のグループにおけるメンバー端末装置として機能することを確定する前に、
前記第二の端末装置が受信された第一のグループブロードキャスト信号の信号強度が第二のプリセット強度以上であることを確定した後に、又は、前記第二の端末装置が受信された第一のグループブロードキャスト信号に基づいて確定された前記第一の端末装置と前記第二の端末装置との距離が第二のプリセット距離以下であることを確定した後に、前記第一の端末装置へ第一のリクエストメッセージを送信し、ここで、前記第一のリクエストメッセージに前記第二の端末装置の装置情報が含まれ、前記第一のリクエストメッセージが前記第二の端末装置が前記第一のグループへの加入をリクエストすることを示すことに用いられること、
又は、
前記第二の端末装置が受信された第一のグループブロードキャスト信号の信号強度が第二のプリセット強度未満であることを確定した後、又は、受信された第一のグループブロードキャスト信号に基づいて確定された前記第一の端末装置と前記第二の端末装置の間の距離が第二のプリセット距離より大きいことを確定した後に、前記第一の端末装置へ第二のリクエストメッセージを送信し、前記第二のリクエストメッセージが、前記第二のメンバー端末装置が前記第一のグループからの脱退をリクエストすることを示すことに用いられること、
又は、
前記第二の端末装置が、前記第一のグループにおけるメンバー端末装置として機能することを確定した後にプリセット周期に従って前記第一の端末装置へハートビート信号を送信すること、及び、前記第二の端末装置が受信された第一のグループブロードキャスト信号の信号強度が第二のプリセット強度未満であることを確定した後に、又は、受信された第一のグループブロードキャスト信号に基づいて確定された前記第一の端末装置と前記第二の端末装置の間の距離が第二のプリセット距離より大きいことを確定した後に、前記ハートビート信号の送信を停止すること、
のうちの少なくとも一つをさらに含む
請求項１０〜１２のいずれか一項に記載の方法。
【請求項１４】
前記第二の端末装置が前記第一のグループにおける中心端末装置により割り当てされた第一の無線リソースによって装置間通信を行うことは、前記第二の端末装置が前記第一の無線リソースによって前記第一のグループにおける第七の端末装置へ第一のデータを送信すること；前記第二の端末装置が前記第一の無線リソースによって前記第一の端末装置へ第二のデータを送信し、前記第二のデータが第八の端末装置に送信される必要があるデータであり、前記第八の端末装置が第三のグループに属すること；前記第二の端末装置が第一の無線リソースによって前記第一の端末装置から送信された第三のデータを受信し、前記第三のデータが第三のグループにおける中心端末装置が第四の無線リソースによって前記第一の端末装置に送信した第三のデータであり、前記第四の無線リソースが前記第三のグループにおける中心端末装置によって割り当てられたものであること；前記第二の端末装置が前記第一の無線リソースによって前記第一の端末装置へ第四のデータを送信し、前記第四のデータがネットワーク装置に送信される必要があるデータであること；又は、前記第二の端末装置が第一の無線リソースによって前記第一の端末装置から送信された第五のデータを受信し、第五のデータがネットワーク装置から前記第一の端末装置に送信されたものであること、のうちの少なくとも一つを含むこと、
又は、
前記方法はさらに、前記第二の端末装置が第四の無線リソースによって第三のグループにおける中心端末装置から送信された第三のデータを受信し、前記第四の無線リソースが前記第三のグループにおける中心端末装置によって割り当てられたものであることを含むこと、
のうちの少なくとも一つが成り立つことを特徴とする
請求項１０〜１３のいずれか一項に記載の方法。
【請求項１５】
端末装置であって、
プロセッサと、
命令を記憶するメモリと、を含み、前記命令が前記プロセッサによって実行される時に、前記プロセッサが請求項１〜９のいずれか１項に記載の方法、又は、請求項１０〜１４のいずれか１項に記載の方法を実現する、
前記端末装置。
【国際調査報告】
2019519951.tif 000011
2019519951.tif 000012
2019519951.tif 000013
2019519951.tif 000014
2019519951.tif 000015
2019519951.tif 000016